(57)【要約】  第１ハウジング部分に対して選択的に動作嵌合および解離されるように構成された第２ハウジング部分であって、第１ハウジング部分および第２ハウジング部分が相互に動作嵌合するように相対的に摺動可能に構成される、第２ハウジング部分と、第１ハウジング部分と第２ハウジング部分とが相対的に摺動して相互に動作嵌合する場合にハウジング部分の他方により支持されるタンクと嵌合する位置でハウジング部分の一方によって支持される流体コネクタとを有する、流体媒体を利用者に送達するための送達システム。
2013516239.tif 000002
【特許請求の範囲】
【請求項１】
流体媒体を利用者に送達するための送達システムであって、
利用者による携行に適した第１ハウジング部分と、
前記第１ハウジング部分に対して選択的に動作嵌合および解離される構成を持つ第２ハウジング部分であって、前記第１ハウジング部分および前記第２ハウジング部分の一方が、流体媒体を格納するための内部空間を有するタンクを支持するためのものであり、前記第１ハウジング部分および前記第２ハウジング部分が、相互に動作嵌合するように相対的に摺動可能である構成を持つ、第２ハウジング部分と、
前記第１ハウジング部分および前記第２ハウジング部分の一方により前記タンクが支持されて前記第１ハウジング部分および前記第２ハウジング部分が相対的に摺動して相互に動作嵌合する場合に前記タンクと嵌合する位置において、前記第１ハウジング部分および前記第２ハウジング部分の他方により支持される流体コネクタと、
を包含する送達システム。
【請求項２】
前記第１ハウジング部分が、少なくとも第１位置と第２位置との間で前記第２ハウジングに対して第１方向に摺動可能であるように構成され、
前記第１ハウジング部分が前記第２ハウジング部分に対して前記第２位置にある場合に、前記第１ハウジング部分が前記第２部分と動作嵌合する、
請求項１に記載の送達システム。
【請求項３】
前記タンクが前記第１ハウジング部分に支持されるとともに、前記流体コネクタが前記第２ハウジング部分に支持され、
前記第１ハウジング部分が前記第２ハウジング部分に対して前記第２位置にある場合に、前記流体コネクタと前記タンクとの間の流体のため前記流体コネクタが前記タンクと嵌合する、
請求項２に記載の送達システム。
【請求項４】
前記送達システムがさらに、
前記第１ハウジング部分が前記第１位置から前記第２位置へ前記第２ハウジング部分に対して摺動する際に、前記第１ハウジング部分と前記第２ハウジング部分とを接続するための接続構造、
を包含する、請求項２に記載の送達システム。
【請求項５】
前記第１ハウジング部分が、少なくともロック解除位置から少なくともロック位置へ前記第２ハウジング部分に対して前記第１方向に摺動可能である、請求項４に記載の送達システム。
【請求項６】
前記接続構造がダブテール接続構造を包含し、
前記ダブテール接続構造が、前記第１ハウジング部分および前記第２ハウジング部分の一方に支持されるダブテールと、前記ダブテールを支持する前記第１ハウジング部分および前記第２ハウジング部分の一方に対しての前記第１ハウジング部分および前記第２ハウジング部分の他方の溝部とを含み、前記ダブテールが、前記第１ハウジング部分が前記第２ハウジング部分に対して前記第２位置まで摺動する際に前記溝部の少なくとも一部分に沿って移動して前記溝部を画定する表面と嵌合するためのものである、
請求項４に記載の送達システム。
【請求項７】
前記接続構造が、前記第１ハウジング部分および前記第２ハウジング部分の一方に支持される突起部と、前記突起部を支持する前記第１ハウジング部分および前記第２ハウジング部分の一方に対しての前記第１ハウジング部分および前記第２ハウジング部分の他方の溝部とを含み、前記突起部が、前記第１ハウジング部分が前記第２ハウジング部分に対して前記第２位置まで摺動する際に前記溝部の少なくとも一部分に沿って移動して前記溝部を画定する表面と嵌合するためのものである、請求項４に記載の送達システム。
【請求項８】
前記第１ハウジング部分が前記第２ハウジング部分に対して前記第２位置まで摺動する際に前記突起部を摩擦嵌め式に前記溝部の前記表面と嵌合させるように、前記溝部を画定する前記表面がテーパ状である、請求項７に記載の送達システム。
【請求項９】
前記第１ハウジング部分が前記第２ハウジング部分に対して前記第２位置まで摺動する際に前記突起部を摩擦嵌め式に前記表面と嵌合させるように、前記突起部がテーパ状である、請求項７に記載の送達システム。
【請求項１０】
前記突起部を支持する前記第１ハウジング部分および前記第２ハウジング部分の一方に対しての前記第１ハウジング部分および前記第２ハウジング部分の他方に空洞を画定する当接部を前記接続構造が含み、前記当接部が、前記第１ハウジング部分が前記第２ハウジング部分に対して前記第２位置にある時に前記突起部を前記空洞にロックするためのものである、請求項７に記載の送達システム。
【請求項１１】
前記接続構造が、
前記第１ハウジング部分および前記第２ハウジング部分の一方に支持される凸状部、および、前記凸状部を支持する前記第１ハウジング部分および前記第２ハウジング部分の一方に対しての前記第１ハウジング部分および前記第２ハウジング部分の他方の凹状部であって、凸状部が、前記第１ハウジング部分が前記第２ハウジング部分に対して前記第２位置まで摺動する際に前記凹状部の少なくとも一部分に沿って移動するためのものである、凸状部および凹状部と、
前記凸状部を支持する前記第１ハウジング部分および前記第２ハウジング部分の一方に対しての前記第１ハウジング部分および前記第２ハウジング部分の他方に空洞を画定する当接部であって、第１ハウジング部分が前記第２ハウジング部分に対して前記第２位置にある時に前記空洞に前記凸状部をロックするための当接部と、
を含む、請求項４に記載の送達システム。
【請求項１２】
前記第１ハウジング部分および前記第２ハウジング部分の一方が第１嵌合部材を有し、
前記第１嵌合部材を有する前記第１ハウジング部分および前記第２ハウジング部分の一方に対しての前記第１ハウジング部分および前記第２ハウジング部分の他方が、第２嵌合部材を有し、
前記第１嵌合部材および前記第２嵌合部材が、前記第１ハウジング部分が前記第２ハウジング部分に対して前記第２位置まで摺動して前記第１ハウジング部分を前記第２ハウジング部分にロックする際に相互に嵌合するように構成される、
請求項２に記載の送達システム。
【請求項１３】
前記第１嵌合部材が複数の凸状部を包含し、
前記第１ハウジング部分が前記第２ハウジング部分に対して前記第２位置まで摺動して前記第１ハウジング部分を前記第２ハウジング部分にロックする際に前記複数の凸状部の少なくとも一つと嵌合するための複数の小孔および凸状部のうち少なくとも一方を前記第２嵌合部材が包含する、
請求項１２に記載の送達システム。
【請求項１４】
前記第１嵌合部材および前記第２嵌合部材が相互に嵌合する場合に、前記第１方向と交差する軸方向における前記第２ハウジング部分からの前記第１ハウジング部分の離脱を前記第１嵌合部材および前記第２嵌合部材が阻止する、請求項１２に記載の送達システム。
【請求項１５】
前記第１ハウジング部分および前記第２ハウジング部分の一方の一部分に沿って前記第１方向に延在する一対の隆起部を前記第１ハウジング部分および前記第２ハウジング部分の一方が包含し、前記一対の隆起部が、前記第１ハウジング部分が前記第２ハウジング部分に対して前記第２位置まで摺動する際に前記第１ハウジング部分および前記第２ハウジング部分の他方を案内するためのものである、請求項２に記載の送達システム。
【請求項１６】
前記隆起部の各々が前記第１ハウジング部分および第２ハウジング部分の一方の周縁部に沿って延在する、請求項１５に記載の送達システム。
【請求項１７】
前記送達システムがさらに、
前記第１ハウジング部分が前記第２ハウジング部分に対して前記第２位置まで摺動する際に前記第１ハウジング部分と前記第２ハウジング部分とを接続するための接続構造、
を包含し、
前記一対の隆起部が、前記第１ハウジング部分が前記第２ハウジング部分に対して前記第２位置まで摺動する際に前記第１ハウジング部分および前記第２ハウジング部分の他方を案内して前記接続構造に前記第１ハウジング部分と前記第２ハウジング部分とを接続させるためのものである、
請求項１５に記載の送達システム。
【請求項１８】
前記第１ハウジング部分および前記第２ハウジング部分の一方が、前記第１ハウジング部分および前記第２ハウジング部分の前記一方に支持された前記タンクが前記タンクを支持する前記第１ハウジング部分および前記第２ハウジング部分の前記一方に対しての前記第１ハウジング部分および前記第２ハウジング部分の他方と接触することを実質的に防止するために、停止面を有する前記第１ハウジング部分および前記第２ハウジング部分の一方に対しての前記第１ハウジング部分および前記第２ハウジング部分の他方の一部分と接触する停止面を有する、請求項２に記載の送達システム。
【請求項１９】
前記停止面が、前記停止面を有する前記第１ハウジング部分および前記第２ハウジング部分の一方に対しての前記第１ハウジング部分および前記第２ハウジング部分の他方の一部分と接触して、前記流体導管と前記タンクとが嵌合した後に前記第１ハウジング部分および前記第２ハウジング部分の一方に対しての前記第１ハウジング部分および前記第２ハウジング部分の他方と前記タンクが接触することを実質的に防止するためのものである、請求項１８に記載の送達システム。
【請求項２０】
前記送達システムがさらに一対の磁石を包含し、前記一対の磁石が、前記第１ハウジング部分および前記第２ハウジング部分の一方に支持された第１磁石と、前記第１磁石を支持する前記第１ハウジング部分および前記第２ハウジング部分の一方に対しての前記第１ハウジング部分および前記第２ハウジング部分の他方に支持された第２磁石とを含み、前記第１磁石および前記第２磁石が、前記第１ハウジング部分が前記第２ハウジング部分に対して前記第２位置まで摺動して前記第２ハウジング部分と不整合状態になった場合に前記第１ハウジング部分と前記第２ハウジング部分とを整合させるように構成される、請求項２に記載の送達システム。
【請求項２１】
前記第１ハウジング部分が前記第２ハウジング部分に対して前記第２位置まで摺動して前記第２ハウジング部分と不整合状態になった場合に相互に反発するように前記磁石の各々が配設される、請求項２０に記載の送達システム。
【請求項２２】
前記磁石の各々が共通極を有する、請求項２１に記載の送達システム。
【請求項２３】
前記第１ハウジング部分が前記第２ハウジング部分に対して前記第２位置にある時にラッチを有する前記第１ハウジング部分および前記第２部分の一方に対しての前記第１ハウジング部分および前記第２ハウジング部分の他方と嵌合するためのラッチを、前記第１ハウジング部分および前記第２ハウジング部分の一方が有する、請求項２に記載の送達システム。
【請求項２４】
前記ラッチを有する前記第１ハウジング部分および前記第２ハウジング部分の一方に対しての前記第１ハウジング部分および前記第２ハウジング部分の他方と嵌合または解離の少なくとも一方を行うように押入可能な構成を前記ラッチが持つ、請求項２３に記載の送達システム。
【請求項２５】
前記ラッチを有する前記第１ハウジング部分および前記第２ハウジング部分の一方に対する前記第１ハウジング部分および前記第２ハウジング部分の他方が、前記ラッチを検知するためのセンサを有する、請求項２３に記載の送達システム。
【請求項２６】
前記第１ハウジング部分が前記第１方向に摺動するが前記第２位置までは摺動していない場合に前記第１ハウジング部分および前記第２ハウジング部分を付勢して相互に離間させるための付勢部材を、前記第１ハウジング部分および前記第２ハウジング部分の一方が有し、
前記ラッチが、前記第１ハウジング部分が前記第２位置まで前記第１方向に摺動する場合に前記ラッチを有する前記第１ハウジング部分および前記第２ハウジング部分の一方に対しての前記第１ハウジング部分および前記第２ハウジング部分の他方と嵌合するためのものである、
請求項２３に記載の送達システム。
【請求項２７】
前記第１ハウジング部分が前記第１方向に摺動するが前記第２位置までは摺動していない場合に前記第１ハウジング部分および前記第２ハウジング部分を付勢して相互に離間させるための付勢部材を、前記第１ハウジング部分および前記第２ハウジング部分の一方が有する、請求項２に記載の送達システム。
【請求項２８】
医療機器の製造方法であって、
第１ハウジング部分を利用者による携行に適応させることと、
前記第１ハウジング部分に対して選択的に動作嵌合および解離されるように第２ハウジング部分を構成することであって、前記第１ハウジング部分および前記第２ハウジング部分の一方が流体媒体を格納するための内部空間を有するタンクを支持するためのものであり、前記第１ハウジング部分および前記第２ハウジング部分が、相互に動作嵌合するように相対的に摺動可能な構成を持つことと、
前記第１ハウジング部分および前記第２ハウジング部分の一方により前記タンクが支持されて前記第１ハウジング部分および前記第２ハウジング部分が相互に動作嵌合するように相対的に摺動した場合に前記タンクと嵌合する位置に、前記第１ハウジング部分および前記第２ハウジング部分の他方により流体コネクタを支持することと、
を包含する方法。
【請求項２９】
利用者を治療するための医療機器であって、
利用者による携行に適応した第１ハウジング部分と、
前記第１ハウジング部分に対して選択的に動作嵌合および解離される構成を持つ第２ハウジング部分と、
前記第１ハウジング部分および前記第２ハウジング部分の少なくとも一方に設けられる複数の電気接点であって、一組の主電気接点と少なくとも一つの副電気接点とを含む複数の電気接点と、
前記第１ハウジング部分および前記第２ハウジング部分の他方に設けられた短絡機構であって、前記一組の主電気接点と相互作用を行うための短絡機構と、
前記第１ハウジング部分と前記第２ハウジング部分とが接合されて前記短絡機構が前記複数の電気接点の前記一組の主電気接点と相互作用する場合に第１信号を提供するように構成された回路網と、
を包含し、
前記回路網がさらに、前記第１ハウジング部分と前記第２ハウジング部分とが接合されて前記短絡機構が前記複数の電気接点の前記少なくとも一つの副電気接点と相互作用を行う場合に第２信号を提供するように構成される、
医療機器。
【請求項３０】
前記第１ハウジング部分と前記第２ハウジング部分とが接続されていることを前記第１信号が示す、請求項２９に記載の医療機器。
【請求項３１】
前記第１ハウジング部分と前記第２ハウジング部分とが接続されていないことを前記第２信号が示す、請求項３０に記載の医療機器。
【請求項３２】
前記短絡機構が前記一組の主電気接点と接触する場合に前記一組の主電気接点が前記短絡機構と相互作用を行い、
前記第１ハウジング部分と前記第２ハウジング部分とが接合されて前記短絡機構が前記複数の電気接点の前記一組の主電気接点と接触する場合に前記第１信号を提供するように前記回路網が構成され、
前記第１ハウジング部分と前記第２ハウジング部分とが接合されて前記短絡機構が前記複数の電気接点の前記少なくとも一つの副電気接点と接触する場合に前記第２信号を提供するように前記回路網がさらに構成される、
請求項２９に記載の医療機器。
【請求項３３】
前記短絡機構が複数の端部を有して、前記端部の各々が、前記一組の主電気接点の該当主電気接点と相互作用を行うためのものであり、
前記第１ハウジング部分と前記第２ハウジング部分とが接合されて前記短絡機構の前記端部の各々が前記一組の主電気接点の該当主電気接点と相互作用を行う場合に前記第１信号を提供するように前記回路網が構成され、
前記第１ハウジング部分と前記第２ハウジング部分とが接合されて前記短絡機構の前記端部の少なくとも一つが前記複数の電気接点の前記少なくとも一つの副電気接点と相互作用する場合に前記第２信号を提供するように前記回路網がさらに構成される、
請求項２９に記載の医療機器。
【請求項３４】
前記一組の主電気接点が、第１主電気接点と第２主電気接点とを包含し、
前記短絡機構の前記複数の端部が、前記第１主電気接点および前記第２主電気接点と相互作用を行うための第１端部および第２端部を含み、
前記第１ハウジング部分と前記第２ハウジング部分とが接合されて前記短絡機構の前記第１端部および前記第２端部が前記複数の電気接点の前記第１主電気接点および前記第２主電気接点と相互作用する場合に前記第１信号を提供するように前記回路網が構成され、
前記第１ハウジング部分と前記第２ハウジング部分とが接合されて前記短絡機構の前記第１端部および前記第２端部の少なくとも一方が前記複数の電気接点の前記少なくとも一つの副電気接点と相互作用を行う場合に前記第２信号を提供するように前記回路網がさらに構成される、
請求項３３に記載の医療機器。
【請求項３５】
該当の前記第１主電気接点および前記第２主電気接点のみと相互作用を行う第１端部および第２端部を前記短絡機構が有する、請求項３４に記載の医療機器。
【請求項３６】
前記少なくとも一つの副電気接点のうち少なくとも一つが前記一組の主電気接点の間に配設される、請求項２９に記載の医療機器。
【請求項３７】
前記第１ハウジング部分と前記第２ハウジング部分とが接合されて前記短絡機構が前記複数の電気接点の前記一組の主電気接点と相互作用を行わない場合に第３信号を提供するように前記回路網がさらに構成される、請求項２９に記載の医療機器。
【請求項３８】
前記第１ハウジング部分と前記第２ハウジング部分とが接続されていないことを前記第３信号が示す、請求項３７に記載の医療機器。
【請求項３９】
前記第２信号と前記第３信号とが同じタイプの信号である、請求項３７に記載の医療機器。
【請求項４０】
前記一組の主電気接点のうち少なくともいくつかが前記複数の電気接点のうち最も外側の電気接点となるように配設される、請求項２９に記載の医療機器。
【請求項４１】
前記少なくとも一つの副電気接点のすべてが前記一組の主電気接点の間に配設される、請求項２９に記載の医療機器。
【請求項４２】
前記短絡機構が前記一組の主電気接点と相互作用を行う場合に前記一組の主電気接点の間に電気接続を確立するように前記短絡機構が構成される、請求項２９に記載の医療機器。
【請求項４３】
前記短絡機構が電気伝導体を包含する、請求項４２に記載の医療機器。
【請求項４４】
前記一組の主電気接点が、第１位置へ付勢されるとともに前記第１位置から第２位置へ押圧可能であるように構成され、
前記第１ハウジング部分が前記第２ハウジング部分と嵌合する時に前記第２位置へ移動するように前記一組の主電気接点が構成される、
請求項２９に記載の医療機器。
【請求項４５】
前記機器がさらに、
前記一組の主電気接点を前記第１位置へ付勢するための付勢部材、
を包含する、請求項４４に記載の医療機器。
【請求項４６】
前記付勢部材が個別付勢部材を包含し、前記個別付勢部材の各々が前記一組の主電気接点の一つを前記第１位置へ付勢するためのものである、請求項４５に記載の医療機器。
【請求項４７】
前記複数の電気接点が、第１位置へ付勢されるとともに前記第１位置から第２位置へ押圧可能であるように構成され、
前記第１ハウジング部分が前記第２ハウジング部分と嵌合する時に前記複数の電気接点が前記第２位置へ移動する、
請求項２９に記載の医療機器。
【請求項４８】
第１位置へ付勢されるとともに前記第１位置から第２位置へ押圧可能であるように前記短絡機構が構成され、
前記第１ハウジング部分が前記第２ハウジング部分と嵌合する時に前記第２位置へ移動するように前記短絡機構が構成される、
請求項２９に記載の医療機器。
【請求項４９】
前記第１ハウジング部分および前記第２ハウジング部分の一方が、流体媒体を格納するための内部空間を有するタンクを支持するためのものである、請求項２９に記載の医療機器。
【請求項５０】
前記一組の主電気接点の前記主電気接点の各々が導電性パッドを包含する、請求項２９に記載の医療機器。
【請求項５１】
前記複数の電気接点が前記第２ハウジング部分に設けられ、前記第２ハウジング部分の電子機器へ電力を提供するための電源を前記第２ハウジング部分が有し、
前記複数の電気接点の少なくともいくつかが、前記第２ハウジング部分の前記電源を充電するための電気供給源と嵌合可能であるように構成される、
請求項２９に記載の医療機器。
【請求項５２】
前記複数の電気接点が前記第２ハウジング部分に設けられ、前記第２ハウジング部分がプログラマブル回路網を有し、
前記複数の電気接点の少なくともいくつかが、前記第２ハウジング部分の前記プログラマブル回路網をプログラムするための入力装置と嵌合可能であるように構成される、
請求項２９に記載の医療機器。
【請求項５３】
前記複数の電気接点が前記第２ハウジング部分に設けられ、前記複数の電気接点と前記第１ハウジング部分の前記短絡機構の一方に基づいて前記第２ハウジング部分のタイプを判断するように前記回路網が構成される、請求項２９に記載の医療機器。
【請求項５４】
前記短絡機構が既知抵抗を包含する、請求項２９に記載の医療機器。
【請求項５５】
医療機器の製造方法であって、
第１ハウジング部分をユーザによる携行に適応させることと、
前記第１ハウジング部分に対して選択的に動作嵌合および解離されるように第２ハウジング部分を構成することと、
前記第１ハウジング部分および前記第２ハウジング部分の少なくとも一方に複数の電気接点を設けることであって、前記複数の電気接点が一組の主電気接点と少なくとも一つの副電気接点とを含むことと、
前記第１ハウジング部分および前記第２ハウジング部分の他方に短絡機構を設けることであって、前記短絡機構が前記一組の主電気接点と相互作用を行うためのものであることと、
前記第１ハウジング部分と前記第２ハウジング部分とが接合されて前記短絡機構が前記複数の電気接点の前記一組の主電気接点と相互作用を行う場合に第１信号を提供するように回路網を構成することと、
前記第１ハウジング部分と前記第２ハウジング部分とが接合されて前記短絡機構が前記複数の電気接点の少なくとも一つの副電気接点と相互作用を行う場合に第２信号を提供するように前記回路網を構成することと、
を包含する方法。
【請求項５６】
利用者を治療するための医療機器であって、
利用者による携行に適応した第１ハウジング部分と、
前記第１ハウジング部分に対して選択的に動作嵌合および解離されるように構成された第２ハウジング部分と、
前記第１ハウジング部分および前記第２ハウジング部分の少なくとも一方に設けられた、所定磁場および所定磁気強度の少なくとも一方を有する磁気源と、
前記第１ハウジング部分および前記第２ハウジング部分の他方に設けられた、前記所定磁場および前記所定磁気強度の少なくとも一方を検出するためのセンサと、
前記第１ハウジング部分と前記第２ハウジング部分とが接合されて前記磁気源の前記所定磁場および前記所定磁気強度の少なくとも一方を前記センサが検出する場合に第１信号を提供するように構成された回路網と、
を包含し、
前記回路網がさらに、前記第１ハウジング部分と前記第２ハウジング部分とが接合されて前記所定磁場源と異なる磁場と前記磁場源の前記所定磁気強度と異なる磁気強度とのうち少なくとも一方を前記センサが検出する場合に第２信号を提供するように構成される、
医療機器。
【請求項５７】
第１既定閾値を超えるガウスレベルを前記センサが検出する場合に制御回路網を起動させるための信号を提供するように前記センサが構成される、請求項５６に記載の医療機器。
【請求項５８】
前記センサが磁気閾値スイッチを包含する、請求項５７に記載の医療機器。
【請求項５９】
第２既定閾値を超えるガウスレベルを前記センサが検知する場合に前記制御回路網と前記センサの少なくとも一方を停止させるための信号を提供するように構成された第２磁気閾値スイッチをさらに包含する医療機器であって、前記第２既定閾値が前記第１既定閾値よりも高い、請求項５７に記載の医療機器。
【請求項６０】
磁気源が所定磁場方向を有し、
前記センサが前記所定磁場方向を検出するためのものであり、
前記第１ハウジング部分と前記第２ハウジング部分とが接合されて前記センサが前記所定磁場方向を検出する場合に前記第１信号を提供するように前記回路網が構成される、
請求項５６に記載の医療機器。
【請求項６１】
前記第１ハウジング部分と前記第２ハウジング部分とが接合されて前記所定磁場方向と異なる磁場方向を前記センサが検出する場合に前記第２信号を提供するように前記回路網がさらに構成される、請求項６０に記載の医療機器。
【請求項６２】
前記所定磁場が方向を含み、前記方向を検出するように前記センサが構成される、請求項５６に記載の医療機器。
【請求項６３】
医療機器の製造方法であって、
第１ハウジング部分を利用者による携行に適応させることと、
前記第１ハウジング部分に対して選択的に動作嵌合および解離されるように第２ハウジング部分を構成することと、
所定磁場および所定磁気強度のうち少なくとも一方を有する磁気源を前記第１ハウジング部分および前記第２ハウジング部分の少なくとも一方に設けることと、
前記所定磁場および前記所定磁気強度のうち少なくとも一方を検出するためのセンサを前記第１ハウジング部分および前記第２ハウジング部分の他方に設けることと、
前記第１ハウジング部分と前記第２ハウジング部分とが接合されて前記磁気源の前記所定磁場および前記所定磁気強度の少なくとも一方を前記センサが検出する場合に第１信号を提供するように回路網を構成することと、
前記第１ハウジング部分と前記第２ハウジング部分とが接合されて前記所定磁場と異なる磁場と前記磁気源の前記所定磁気強度と異なる磁気強度のうち少なくとも一方を前記センサが検出する場合に第２信号を提供するように前記回路網を構成することと、
を包含する方法。
【発明の詳細な説明】
【技術分野】
【０００１】
本発明の実施形態は、概して医療機器システムおよび方法、また特定の実施形態では医療機器システムの構成要素の接続および／または整合のための接続および／または整合特徴を含むようなシステムおよび方法に関連する。
【背景技術】
【０００２】
現代の医療技術では、患者の身体へ薬剤または他の物質を送達することによりある種の慢性病の治療が行われる。例えば、糖尿病は、一般的に規定量のインシュリンを適切なタイミングで患者に送達することにより治療される慢性病である。従来、患者にインシュリンを送達するには、手で操作される注射器およびインシュリンペンが採用されていた。もっと最近になると、制御量の薬剤を患者に送達するためのプログラマブルポンプを含む最新のシステムが設計されている。
【０００３】
ポンプタイプの送達装置は、患者に接続される外部装置として構成され、また、患者の身体の内部に埋め込まれる埋込み装置として構成されている。外部ポンプタイプの送達装置は、病院、診療所、またはその他などの常設箇所での使用のために設計された装置を含み、患者またはその他により携行されるように設計された装置など緊急時または可搬使用のために構成された装置をさらに含む。外部ポンプタイプの送達装置は、限定的ではないがインシュリンなどの流体媒体のタンクを格納するとよい。
【０００４】
外部ポンプタイプの送達装置は、例えば適当な中空チューブ類を通して患者または利用患者に流体連通状態で接続されるとよい。中空チューブ類は、患者の皮膚を穿刺してここから流体媒体を送達するように設計された中空針に接続されるとよい。代替的に、中空チューブ類が、カニューレまたはその他を通して患者に直接接続されてもよい。
【０００５】
いくつかの外部ポンプタイプの送達装置の例は、（各々が本発明の譲渡人に所有されている）２００５年８月２３日に「廃棄用部分を備える注入装置および方法」の名称で出願した特許文献１および「注入装置のための交換式電子カード」の名称で出願した特許文献２、また名称「患者注入装置のための構成要素および方法」の名称で出願した特許文献３、「注入装置のためのディスペンサ構成要素および方法」の名称で出願した特許文献４、―名称「インシュリン投与量を患者に通知するための方法」の名称で出願した特許文献５、そして「着用可能な内蔵式薬品注入装置」の名称で出願した特許文献６に記載され、その各々の内容全体が参照により本願に援用される。
【０００６】
外部ポンプタイプの送達装置は、例えば適当な中空チューブ類を通して利用患者に流体連通状態で接続されるとよい。中空チューブ類は、利用患者の皮膚を穿刺して注入媒体を利用患者に送達するように設計された中空針に接続されるとよい。代替的に、中空チューブ類は、カニューレかマイクロ針セットとして、またはこれらを通して利用患者に直接接続されてもよい。
【０００７】
利用患者の皮膚を穿刺する中空針を通して中空チューブ類が利用患者に接続されるという状況では、針を手で利用患者に挿入することは、利用患者にとって多少の精神的苦痛になり得る。したがって、利用患者への針の挿入を補助することで後退位置から延出位置までばねにより針が即座に移動する挿入機構が製作されている。針が延出位置へ移動する際には、ゆっくりとした手による針の挿入と比較すると利用患者にとって精神的苦痛の少ない一回の比較的素早い動作で、針が利用患者の皮膚へ迅速に押入される。利用患者の皮膚へ針が迅速に押し込まれると、手による挿入よりも一部の利用患者にとっては精神的苦痛が少ないかもしれないが、状況によっては非常にゆっくりとした一定のペースで針が移動する場合の方が患者の感じる精神的苦痛が少なくなるのは確かである。
【０００８】
送達装置とともに使用されてこれに組み込まれる挿入機構の例は、（各々が本発明の譲受人に譲渡された）２００６年１２月２６日に「針挿入器を備える注入媒体送達システム、装置、および方法と、針挿入装置および方法」の名称で出願した特許文献７および２００５年８月２３日に「廃棄用部分を備える注入装置および方法」の名称で出願した特許文献８に記載されており、その各々の内容全体が参照により本願に援用される。挿入具の他の例は、「挿入セットのための挿入装置とその使用方法」の名称で出願された（本発明の譲受人に譲渡された）特許文献９に記載されており、その内容全体が参照により本願に援用される。針および／またはカニューレを挿入するのに使用され（または使用のため変形され）得る針／カニューレ挿入具の他の例は、例えば２００３年３月１４日に「シルエットまたは類似製品のための自動挿入装置」の名称で出願された特許文献１０および／または２００２年１２月９日に「挿入セットのための挿入装置とその使用方法」の名称で出願された特許文献１１に記載されており、その両方の内容全体が参照により本願に援用される。
【０００９】
ポンプタイプの送達装置は、昼夜を問わずいつでも正確な投与量のインシュリンが計算されて利用患者に自動的に送達されることを可能にする。さらに、グルコースセンサおよびモニタとともに使用される時には、検知および監視された血中グルコースのレベルに基づいて必要とされる適切なタイミングで適切な投与量の注入媒体を提供するようにインシュリンポンプが自動的に制御されるとよい。
【００１０】
ポンプタイプの送達装置は、糖尿病など様々なタイプの健康状態の最新治療の重要な一面となっている。ポンプ技術が改良されるにつれ、また医師および利用患者がこのような装置の扱いに習熟するにつれ、外部医療用注入ポンプによる治療の人気は高くなり、今後十年間でかなり上昇すると予想される。
【先行技術文献】
【特許文献】
【００１１】
【特許文献１】米国特許出願第１１／２１１，０９５号明細書
【特許文献２】ＰＣＴ国際公開特許出願第０１／７０３０７号（第ＰＣＴ／ＵＳ０１／０９１３９号）明細書
【特許文献３】ＰＣＴ国際公開特許出願第０４／０３０７１６号（第ＰＣＴ／ＵＳ２００３／０２８７６９号）明細書
【特許文献４】ＰＣＴ国際公開特許出願第０４／０３０７１７号（第ＰＣＴ／ＵＳ２００３／０２９０１９号）明細書
【特許文献５】米国特許出願公開第２００５／００６５７６０号明細書
【特許文献６】米国特許第６，５８９，２２９号明細書
【特許文献７】米国特許出願第１１／６４５，４３５号明細書
【特許文献８】米国特許出願第１１／２１１，０９５号明細書
【特許文献９】米国特許出願公開第２００２／００２２８５５号明細書
【特許文献１０】米国特許出願第１０／３８９，１３２号明細書
【特許文献１１】米国特許出願第１０／３１４，６５３号明細書
【特許文献１２】米国特許出願第１１／５１５，２２５号明細書
【特許文献１３】米国特許出願第１１／５８８，８７５号明細書
【特許文献１４】米国特許出願第１１／５８８，８３２号明細書
【特許文献１５】米国特許出願第１１／５８８，８４７号明細書
【特許文献１６】米国特許出願第１１／５８９，３２３号明細書
【特許文献１７】米国特許出願第１１／６０２，１７３号明細書
【特許文献１８】米国特許出願第１１／６０２，０５２号明細書
【特許文献１９】米国特許出願第１１／６０２，４２８号明細書
【特許文献２０】米国特許出願第１１／６０２，１１３号明細書
【特許文献２１】米国特許第１１／６０４，１７１号明細書
【特許文献２２】米国特許出願第１１／６０４，１７２号明細書
【特許文献２３】米国特許第１１／６０６，７０３号明細書
【特許文献２４】米国特許出願第１１／６０６，８３６号明細書
【特許文献２５】米国特許出願第１１／６３６，３８４号明細書
【特許文献２６】米国特許出願第１１／６４５，９９３号明細書
【特許文献２７】米国特許出願第１１／６４５，９７２号明細書
【特許文献２８】米国特許出願第１１／６４６，０５２号明細書
【特許文献２９】米国特許出願第１１／６４６，０００号明細書
【特許文献３０】米国特許出願第１１／７５９，７２５号明細書
【特許文献３１】米国特許出願第１１／６０６，８３７号明細書
【特許文献３２】米国特許出願第１１／７０２，７１３号明細書
【特許文献３３】米国特許出願第１１／８４３，６０１号明細書
【特許文献３４】米国特許出願第１１／８６８，８９８号明細書
【特許文献３５】米国特許出願第１１／９６４，６４９号明細書
【特許文献３６】米国特許出願第１２／１１１，７５１号明細書
【特許文献３７】米国特許出願第１２／１１１，８１５号明細書
【特許文献３８】米国特許出願第１１／９２４，４０２号明細書
【特許文献３９】米国特許出願第１１／９２９，４２８号明細書
【特許文献４０】米国特許出願第１１／９６５，５７８号明細書
【特許文献４１】米国特許出願第１２／１０７，５８０号明細書
【特許文献４２】米国特許出願第１１／９６４，６６３号明細書
【特許文献４３】米国特許出願第１０／１８０，７３２号明細書
【特許文献４４】米国特許出願第１２／０９９，７３８号明細書
【特許文献４５】米国特許出願第１２／０２７，９６３号明細書
【特許文献４６】米国特許出願第１２／１２１，６４７号明細書
【特許文献４７】米国仮特許出願第６１／０４４，２６９号明細書
【特許文献４８】米国特許出願第６１／０４４，２９２号明細書
【特許文献４９】米国仮特許出願第６１／０４４，３２２号明細書
【特許文献５０】米国特許出願第１２／１７９，５０２号明細書
【特許文献５１】米国特許出願第１２／３３６，３６７号明細書
【特許文献５２】米国特許出願第１２／１６６，２１０号明細書
【特許文献５３】米国特許出願第１２／２７１，１３４号明細書
【特許文献５４】米国特許出願第１２／１７１，９７１号明細書
【特許文献５５】米国特許出願第１２／１８９，０７７号明細書
【特許文献５６】米国特許出願第１２／１７９，５３６号明細書
【特許文献５７】米国特許出願第１２／２７７，１８６号明細書
【特許文献５８】米国特許出願第１２／２１１，７８３号明細書
【特許文献５９】米国特許出願第１２／２４７，９４５号明細書
【特許文献６０】米国特許出願第１２／３６０，０７７号明細書
【特許文献６１】米国特許出願第１２／３４５，３６２号明細書
【特許文献６２】米国特許出願第１２／３５３，１８１号明細書
【特許文献６３】米国特許出願第１２／３６０，８１３号明細書
【特許文献６４】米国特許第６，０８８，６０８号明細書
【特許文献６５】米国特許第６，１１９，０２８号明細書
【特許文献６６】米国特許第６，５８９，２２９号明細書
【特許文献６７】米国特許第６，７４０，０７２号明細書
【特許文献６８】米国特許第６，８２７，７０２号明細書
【特許文献６９】米国特許第７，３２３，１４２号
【特許文献７０】米国特許出願第０９／３６０，３４２号明細書
【特許文献７１】米国仮特許出願第６０／３１８，０６０号明細書
【特許文献７２】米国特許出願第１０／４４５，４７７号明細書
【特許文献７３】米国特許出願第１０／４２９，３８５号明細書
【特許文献７４】米国特許出願第０９／８１３，６６０号明細書
【特許文献７５】米国特許出願第１１／２１０，４６７号明細書
【特許文献７６】米国特許出願第１１／２１１，１５０号明細書
【特許文献７７】米国特許出願第１１／２１０，４５５号明細書
【特許文献７８】米国特許第６，４８５，４６５号明細書
【特許文献７９】米国特許出願第１０／７０５，６８６号明細書（特許出願公開第２００５／０１０１９１０号）
【特許文献８０】米国特許出願第１１／００４，５９４号明細書（特許出願公開第２００６／０１２９０９０号）
【特許文献８１】米国特許出願第１０／３２８，３９３号明細書
【特許文献８２】米国特許第５，５４５，１５２号明細書
【特許文献８３】米国特許出願第６０／８３９，７４１号明細書
【特許文献８４】米国特許出願第１２／５５３，００８号明細書
【特許文献８５】米国特許出願第１１／１４９，１１９号明細書
【特許文献８６】米国特許出願公開第２００７／０１４２７７６号明細書
【特許文献８７】米国特許出願第１２／６４９，６１９号明細書
【発明の概要】
【課題を解決するための手段】
【００１２】
流体媒体を利用者に送達するための送達システムは、第１ハウジング部分と第２ハウジング部分と流体コネクタとを含むとよいが、これらに限定されるわけではない。第１ハウジング部分は、利用者による携行に適している。第２ハウジング部分は、第１ハウジング部分に対して選択的に動作嵌合および解離される構成を持つ。第１ハウジング部分および第２ハウジング部分の一方は、流体媒体を格納するための内部空間を有するタンクを支持するためのものであるとよい。第１ハウジング部分および第２ハウジング部分は、相互に動作嵌合するように相対的に摺動可能に構成されるとよい。第１ハウジング部分および第２ハウジング部分の一方によりタンクが支持されて第１ハウジング部分と第２ハウジング部分とが相対的に摺動して相互に動作嵌合する場合にタンクと嵌合する位置で、第１ハウジング部分および第２ハウジング部分の他方により流体コネクタが支持されるとよい。
【００１３】
様々な実施形態において、少なくとも第１位置と第２位置との間で第２ハウジング部分に対して第１方向に摺動であるように第１ハウジング部分が構成されるとよい。第１ハウジング部分が第２ハウジング部分に対して第２位置にある場合に、第１ハウジング部分が第２ハウジング部分と動作嵌合するとよい。
【００１４】
いくつかの実施形態では、タンクが第１ハウジング部分に支持されるとよく、流体コネクタは第２ハウジング部分に支持される。第１ハウジング部分が第２ハウジング部分に対して第２位置にある場合に、流体コネクタとタンクとの間の流体フローのために流体コネクタがタンクと嵌合しているとよい。
【００１５】
いくつかの実施形態において、送達システムはさらに、第１ハウジング部分が第１位置から第２位置へ第２ハウジング部分に対して摺動する際に第１ハウジング部分と第２ハウジング部分とを接続するための接続構造を含むとよい。別の実施形態では、第１ハウジング部分が少なくともロック解除位置から少なくともロック解除位置へ第２ハウジング部分に対して第１方向に摺動可能であるとよい。
【００１６】
別の実施形態において、接続構造はダブテール接続構造を包含するとよい。ダブテール接続構造は、第１ハウジング部分および第２ハウジング部分の一方に支持されるダブテールと、ダブテールを支持する第１ハウジング部分および第２ハウジング部分の一方に対する第１ハウジング部分および第２ハウジング部分の他方の溝部とを含むとよい。ダブテールは、第１ハウジング部分が第２ハウジング部分に対して第２位置まで摺動する際に溝部の少なくとも一部分に沿って移動して溝部を画定する表面と嵌合するためのものであるとよい。
【００１７】
別の実施形態において、接続構造は、第１ハウジング部分および第２ハウジング部分の一方に支持される突起部と、突起部を支持する第１ハウジング部分および第２ハウジング部分の一方に対する第１ハウジング部分および第２ハウジング部分の他方の溝部とを含むとよい。突起部は、第１ハウジング部分が第２ハウジング部分に対して第２位置まで摺動する際に溝部の少なくとも一部分に沿って移動して溝部を画定する表面と嵌合するためのものであるとよい。
【００１８】
また別の実施形態において、溝部を画定する表面は、第１ハウジング部分が第２ハウジング部分に対して第２位置まで摺動する際に突起部を溝部の表面と摩擦嵌め式に嵌合させるようにテーパ状であるとよい。また別の実施形態では、第１ハウジング部分が第２ハウジング部分に対して第２位置まで摺動する際に突起部をこの表面と摩擦嵌め式に嵌合させるように突起部がテーパ状であるとよい。
【００１９】
また別の実施形態において、接続構造は、突起部を支持する第１ハウジング部分および第２ハウジング部分の一方に対する第１ハウジング部分および第２ハウジング部分の他方に空洞を画定する当接部を含むとよい。当接部は、第１ハウジング部分が第２ハウジング部分に対して第２位置にある時に突起部を空洞にロックするためのものであるとよい。
【００２０】
別の実施形態において、接続構造は凸状部と当接部とを含むとよい。凸状部は、第１ハウジング部分および第２ハウジング部分の一方と、凸状部を支持する第１ハウジング部分および第２ハウジング部分の一方に対する第１ハウジング部分および第２ハウジング部分の他方の凹状部とにより支持されるとよい。凸状部は、第１ハウジング部分が第２ハウジング部分に対して第２位置まで摺動する際に凹状部の少なくとも一部分に沿って移動するためのものであるとよい。
【００２１】
当接部は、凸状部を支持する第１ハウジング部分および第２ハウジング部分の一方に対する第１ハウジング部分および第２ハウジング部分の他方に空洞を画定するとよい。当接部は、第１ハウジング部分が第２ハウジング部分に対して第２位置にある時に凸状部を空洞にロックするためのものであるとよい。
【００２２】
いくつかの実施形態では、第１ハウジング部分および第２ハウジング部分の一方が第１嵌合部材を有するとよい。第1嵌合部材を有する第１ハウジング部分および第２ハウジング部分の一方に対しての第１ハウジング部分および第２ハウジング部分の他方は、第２嵌合部材を有するとよい。第1嵌合部材および第２嵌合部材は、第１ハウジング部分が第２ハウジング部分に対して第２位置まで摺動して第１ハウジング部分を第２ハウジング部分にロックする際に、相互に嵌合するように構成されるとよい。
【００２３】
別の実施形態において、第１嵌合部材は複数の凸状部を包含するとよい。第１ハウジング部分が第２ハウジング部分に対して第２位置まで摺動して第１ハウジング部分を第２ハウジング部分にロックする際に複数の凸状部の少なくとも一つと嵌合するための複数の小孔および凸状部のうち少なくとも一方を、第２嵌合部材が包含するとよい。別の実施形態では、第１嵌合部材と第２嵌合部材とが相互に嵌合する場合に、第１方向と交差する軸方向における第２ハウジング部分からの第１ハウジング部分の離脱を第１嵌合部材および第２嵌合部材が阻止するとよい。
【００２４】
いくつかの実施形態では、第１ハウジング部分および第２ハウジング部分の一方の一部分に沿って第１方向に延在する一対の隆起部を、第１ハウジング部分および第２ハウジング部分の一方が包含するとよい。一対の隆起部は、第１ハウジング部分が第２ハウジング部分に対して第２位置まで摺動する際に第1ハウジング部分および第２ハウジング部分の他方を案内するためのものであるとよい。
【００２５】
別の実施形態では、第１ハウジング部分および第２ハウジング部分の一方の周縁部に沿って、隆起部の各々が延在するとよい。別の実施形態では、一対の隆起部のうちの隆起部が相互に平行であるとよい。また別の実施形態では、隆起部の各々が内面を有するとよい。隆起部の各々の内面は、相互に非平行であるとよい。別の実施形態では、一対の隆起部の隆起部が相互に非平行であるとよい。
【００２６】
別の実施形態では、第１ハウジング部分が第２ハウジング部分に対して第２位置まで摺動する際に第１ハウジング部分と第２ハウジング部分とを接続するための接続構造を、送達システムがさらに含むとよい。一対の隆起部は、第１ハウジング部分が第２ハウジング部分に対して第２位置まで摺動する際に第１ハウジング部分および第２ハウジング部分の他方を案内して接続構造が第１ハウジング部分と第２ハウジング部分とを接続できるようにするためのものであるとよい。
【００２７】
いくつかの実施形態において、第１ハウジング部分および第２ハウジング部分の一方は、第１ハウジング部分および第２ハウジング部分の一方に支持されるタンクが、タンクを支持する第１ハウジング部分および第２ハウジング部分の一方に対しての第１ハウジング部分および第２ハウジング部分の他方と接触するのを実質的に防止するために、停止面を有する第１ハウジング部分および第２ハウジング部分の一方に対しての第１ハウジング部分および第２ハウジング部分の他方の一部分と接触する、停止面を有するとよい。
【００２８】
別の実施形態において、停止面は、流体導管とタンクとが嵌合した後で、停止面を有する第１ハウジング部分および第２ハウジング部分の一方に対しての第１ハウジング部分および第２ハウジング部分の他方の一部分と接触して、第１ハウジング部分および第２ハウジング部分の一方に対しての第１ハウジング部分および第２ハウジング部分の他方とタンクが接触するのを実質的に防止するためのものであるとよい。
【００２９】
いくつかの実施形態において、送達システムはさらに一対の磁石を含むとよい。一対の磁石は、第１ハウジング部分および第２ハウジング部分の一方に支持される第１磁石と、第１磁石を支持する第１ハウジング部分および第２ハウジング部分の一方に対しての第１ハウジング部分および第２ハウジング部分の他方に支持される第２磁石とを含むとよい。第１磁石および第２磁石は、第１ハウジング部分が第２ハウジング部分に対して第２位置まで摺動して第２ハウジング部分と不整合になった場合に第１ハウジング部分と第２ハウジング部分とを整合させるように構成されるとよい。
【００３０】
別の実施形態では、第１ハウジング部分が第２ハウジング部分に対して第２位置まで摺動して第２ハウジング部分と不整合になった場合に相互に反発するように、磁石の各々が配設されるとよい。また別の実施形態では、磁石の各々が共通極を有するとよい。
【００３１】
いくつかの実施形態では、第１ハウジング部分が第２ハウジング部分に対して第２位置にある時に、ラッチを有する第１ハウジング部分および第２ハウジング部分の一方に対しての第１ハウジング部分および第２ハウジング部分の他方を嵌合させるためのラッチを、第１ハウジング部分および第２ハウジング部分の一方が有するとよい。別の実施形態では、ラッチを有する第１ハウジング部分および第２ハウジング部分の一方に対しての第１ハウジング部分および第２ハウジング部分の他方について嵌合と解離の少なくとも一方を行うように押入可能である構成を、ラッチが持つとよい。別の実施形態では、ラッチを有する第１ハウジング部分および第２ハウジング部分の一方に対しての第１ハウジング部分および第２ハウジング部分の他方が、ラッチを検知するためのセンサを有するとよい。
【００３２】
別の実施形態では、第１ハウジング部分が第１方向に摺動するが第２位置までは摺動しない場合に、第１ハウジング部分および第２ハウジング部分を相互離間方向へ付勢するための付勢部材を、第１ハウジング部分および第２ハウジング部分の一方が有するとよい。ラッチは、第１ハウジング部分が第２位置まで第１方向に摺動する場合に、ラッチを有する第１ハウジング部分および第２ハウジング部分の一方に対しての第１ハウジング部分および第２ハウジング部分の他方と嵌合するためのものであるとよい。
【００３３】
いくつかの実施形態では、第１ハウジング部分が第１方向に摺動するが第２位置までは摺動していない場合に第１ハウジング部分および第２ハウジング部分を相互離間方向へ付勢するための付勢部材を、第１ハウジング部分および第２ハウジング部分の一方が有するとよい。
【００３４】
いくつかの実施形態において、流体コネクタは、第１ハウジング部分および第２ハウジング部分の一方にタンクが支持されて第１ハウジング部分が第２ハウジング部分に対して第２位置まで摺動する場合にタンクの隔壁を穿刺するための針を包含するとよい。いくつかの実施形態では、第１ハウジング部分および第２ハウジング部分の一方にタンクが支持されて第１ハウジング部分と第２ハウジング部分とが動作嵌合する場合にタンクの内部空間との流体連通状態にある第１開口部を、流体コネクタが有するとよい。流体コネクタは、利用者の皮膚に延出する注入経路との流体連通状態にある第２開口部を有するとよい。
【００３５】
いくつかの実施形態において、流体コネクタは利用者の皮下経路との流体連通状態にあるとよい。流体コネクタは、流体コネクタがタンクと嵌合していてタンクの内部空間から流体媒体が排出される場合にタンクの内部空間から利用者へ流体媒体を送達するためのものであるとよい。別の実施形態では、利用者に挿入されて皮下経路を設けるためのカニューレと第１ハウジング部分が嵌合可能であるとよい。
【００３６】
医療機器の製造方法は、（ｉ）利用者による携行に第１ハウジング部分を適応させること、（ｉｉ）第１ハウジング部分に対して選択的に動作嵌合および解離されるように第２ハウジング部分を構成することであって、第１ハウジング部分および第２ハウジング部分の一方が、流体媒体を格納するための内部空間を有するタンクを支持するためのものであり、第１ハウジング部分および第２ハウジング部分が相互に動作嵌合するように相対的に摺動可能である構成を持つこと、（ｉｉｉ）第１ハウジング部分および第２ハウジング部分の一方によりタンクが支持されて第１ハウジング部分と第２ハウジング部分とが相対的に摺動して相互に動作嵌合する場合にタンクと嵌合する位置で、第１ハウジング部分および第２ハウジング部分の他方により流体コネクタを支持することのいずれか一つまたはその組合せを、限定的ではないが含むとよい。
【００３７】
利用者を治療するための医療機器は、第１ハウジング部分と第２ハウジング部分と複数の電気接点と短絡機構と回路網とを限定的ではないが含むとよい。第１ハウジング部分は、利用者により携行に適したものであるとよい。第２ハウジング部分は、第１ハウジング部分に対して選択的に動作嵌合および解離されるように構成されるとよい。複数の電気接点は、第１ハウジング部分および第２ハウジング部分の少なくとも一方に設けられるとよい。複数の電気接点は、一組の主電気接点と少なくとも一つの副電気接点とを含むとよい。
【００３８】
第１ハウジング部分および第２ハウジング部分の他方には、短絡機構が設けられるとよい。短絡機構は、一組の主電気接点と相互作用を行うためのものであるとよい。回路網は、第１ハウジング部分と第２ハウジング部分とが接合されて短絡機構が複数の電気接点の一組の主電気接点と相互作用を行う場合に第１信号を提供するように構成されるとよい。回路網はさらに、第１ハウジング部分と第２ハウジング部分とが接合されて短絡機構が複数の電気接点の少なくとも一つの副電気接点と相互作用を行う場合に第２信号を提供するように構成されるとよい。
【００３９】
いくつかの実施形態では、第１ハウジング部分と第２ハウジング部分とが接続されていることを第１信号が示すとよい。別の実施形態では、第１ハウジング部分と第２ハウジング部分とが接続されていないことを第２信号が示すとよい。
【００４０】
いくつかの実施形態において、短絡機構が一組の主電気接点と接触する場合に一組の主電気接点が短絡機構と相互作用を行うとよい。回路網は、第１ハウジング部分と第２ハウジング部分とが接合されて短絡機構が複数の電気接点の一組の主電気接点と接触する場合に第１信号を提供するように構成されるとよい。回路網はさらに、第１ハウジング部分と第２ハウジング部分とが接合されて短絡機構が複数の電気接点の少なくとも一つの副電気接点と接触する場合に第２信号を提供するように構成されるとよい。
【００４１】
いくつかの実施形態において、短絡機構は複数の端部を有するとよい。端部の各々は、一組の主電気接点の該当主電気接点と相互作用を行うためのものである。回路網は、第１ハウジング部分と第２ハウジング部分とが接合されて短絡機構の端部の各々が一組の主電気接点の該当主電気接点と相互作用を行う場合に第１信号を提供するように構成されるとよい。回路網はさらに、第１ハウジング部分と第２ハウジング部分とが接合されて短絡機構の端部の少なくとも一つが複数の電気接点の少なくとも一つの副電気接点と相互作用を行う場合に第２信号を提供するように構成されるとよい。
【００４２】
別の実施形態において、一組の主電気接点は、第１主電気接点と第２主電気接点とを含むとよい。短絡機構の複数の端部は、第１主電気接点および第２主電気接点と相互作用を行うための第１端部および第２端部を含むとよい。
【００４３】
回路網は、第１ハウジング部分と第２ハウジング部分とが接合されて短絡機構の第１端部および第２端部が複数の電気接点の第１主電気接点および第２主電気接点と相互作用を行う場合に第１信号を提供するように構成されるとよい。回路網はさらに、第１ハウジング部分と第２ハウジング部分とが接合されて短絡機構の第１端部および第２端部の少なくとも一方が複数の電気接点の少なくとも一つの副電気接点と相互作用を行う場合に第２信号を提供するように構成されるとよい。また別の実施形態では、該当の第１主電気接点および第２主電気接点のみと相互作用を行うための第１端部および第２端部を短絡機構が有するとよい。
【００４４】
いくつかの実施形態では、少なくとも一つの副電気接点のうち少なくとも一つが一組の主電気接点の間に配設されるとよい。いくつかの実施形態において、回路網はさらに、第１ハウジング部分と第２ハウジング部分とが接合されて複数の電気接点の一組の主電気接点と短絡機構とが相互作用を行わない場合に第３信号を提供するように構成されるとよい。別の実施形態において、第３信号は、第１ハウジング部分と第２ハウジング部分とが接続されていないことを示すとよい。別の実施形態において、第２信号と第３信号とは同じタイプの信号であるとよい。
【００４５】
いくつかの実施形態において、一組の主電気接点のうち少なくともいくつかは、複数の電気接点のうち最も外側の電気接点となるように配設されるとよい。いくつかの実施形態において、少なくとも一つの副電気接点のすべてが一組の主電気接点の間に配設されるとよい。
【００４６】
いくつかの実施形態において、短絡機構が一組の主電気接点と相互作用を行う場合に一組の主電気接点の間に電気接続を確立するように短絡機構が構成されるとよい。別の実施形態において、短絡機構は電気伝導体を包含するとよい。いくつかの実施形態では、第１位置へ付勢されて第１位置から第２位置へ押圧可能であるように一組の主電気接点が構成されるとよい。一組の主電気接点は、第１ハウジング部分が第２ハウジング部分と嵌合した時に第２位置へ移動するように構成されるとよい。
【００４７】
別の実施形態において、機器は、一組の主電気接点を第１位置へ付勢するための付勢部材を含むとよい。また別の実施形態では、付勢部材がばねを包含するとよい。また別の実施形態では、付勢部材が個別付勢部材を包含するとよい。個別付勢部材の各々は、一組の主電気接点の一つを第１位置へ付勢するためのものであるとよい。
【００４８】
いくつかの実施形態では、複数の電気接点が、第１位置へ付勢されて第１位置から第２位置へ押圧可能であるように構成されるとよい。第１ハウジング部分が第２ハウジング部分と嵌合した時に複数の電気接点が第２位置へ移動するとよい。
【００４９】
いくつかの実施形態では、第１位置へ付勢されて第１位置から第２位置へ押圧可能であるように短絡機構が構成されるとよい。短絡機構は、第１ハウジング部分が第２ハウジング部分と嵌合した時に第２位置へ移動するように構成されるとよい。いくつかの実施形態では、第１ハウジング部分および第２ハウジング部分の一方が、流体媒体を格納するための内部空間を有するタンクを支持するためのものであるとよい。いくつかの実施形態では、一組の主電気接点の主電気接点の各々が導電性パッドを包含するとよい。
【００５０】
いくつかの実施形態では、複数の電気接点が第２ハウジング部分に設けられるとよい。第２ハウジング部分の電子機器に電力を提供するための電源を第２ハウジング部分が有するとよい。複数の電気接点の少なくともいくつかは、第２ハウジング部分の電源を充電するための電気供給源と嵌合可能であるように構成されるとよい。
【００５１】
いくつかの実施形態では、複数の電気接点が第２ハウジング部分に設けられるとよい。第２ハウジング部分は、プログラマブル回路網を有するとよい。複数の電気接点の少なくともいくつかは、第２ハウジング部分のプログラマブル回路網をプログラムするための入力装置と嵌合可能であるように構成されるとよい。いくつかの実施形態では、複数の電気接点が第２ハウジング部分に設けられるとよい。複数の電気接点の一つと第１ハウジング部分の短絡機構とに基づいて第２ハウジング部分のタイプを判断するように回路網が構成されるとよい。様々な実施形態では、短絡機構は既知抵抗を包含するとよい。
【００５２】
医療機器の製造方法は、（ｉ）利用者による携行に第１ハウジング部分を適応させること、（ｉｉ）第１ハウジング部分に対して選択的に動作嵌合および解離されるように第２ハウジング部分を構成すること、（ｉｉｉ）第１ハウジング部分および第２ハウジング部分の少なくとも一方に複数の電気接点を設けることであって、複数の電気接点が一組の主電気接点と少なくとも一つの副電気接点とを含むこと、（ｉｖ）第１ハウジング部分および第２ハウジング部分の他方に短絡機構を設けることであって、短絡機構が一組の主電気接点と相互作用を行うためのものであること、（ｖ）第１ハウジング部分および第２ハウジング部分が接合されて複数の電気接点の一組の主電気接点と短絡が相互作用を行う場合に第１信号を提供するように、回路網を構成すること、および（ｖｉ）第１ハウジング部分と第２ハウジング部分とが接合されて複数の電気接点の少なくとも一つの副電気接点と短絡機構が相互作用を行う場合に第２信号を提供するように、回路網を構成すること、のうちいずれか一つまたはその組合せを含むとよいが、これらに限定されるわけではない。
【００５３】
利用者を治療するための医療機器は、第１ハウジング部分と第２ハウジング部分と磁気源とセンサと回路網とを含むとよいが、これらに限定されるわけではない。第１ハウジング部分は、利用者による携行に適しているとよい。第２ハウジング部分は、第１ハウジング部分に対して選択的に動作嵌合および解離されるように構成されるとよい。磁気源は、第１ハウジング部分および第２ハウジング部分の少なくとも一方に設けられる所定磁場および所定磁気強度のうち少なくとも一方を有するとよい。
【００５４】
センサは、第１ハウジング部分および第２ハウジング部分の他方に設けられる所定磁場および所定磁気強度のうち少なくとも一方を検出するためのものであるとよい。回路網は、第１ハウジング部分と第２ハウジング部分とが接合されて磁気源の所定磁場および所定磁気強度のうち少なくとも一方をセンサが検出する場合に第１信号を提供するように構成されるとよい。回路網はさらに、第１ハウジング部分と第２ハウジング部分とが接合されて磁気源の所定磁場と異なる磁場と所定磁気強度と異なる磁気強度とのうち少なくとも一方をセンサが検出する場合に第２信号を提供するように構成されるとよい。
【００５５】
いくつかの実施形態では、第１既定閾値を超えるガウスレベルをセンサが検出する場合に制御回路網を起動するための信号を提供するように、センサが構成されるとよい。別の実施形態では、磁気閾値スイッチをセンサが包含するとよい。別の実施形態では、第２既定閾値を超えるガウスレベルをセンサが検出する場合に制御回路網とセンサのうち少なくとも一方を停止させるための信号を提供するように構成された第２磁気閾値スイッチを、機器がさらに含むとよい。第２既定閾値は、第１既定閾値よりも高いとよい。
【００５６】
いくつかの実施形態では、磁気源が所定磁場方向を有するとよい。センサは、所定磁場方向を検出するためのものであるとよい。回路網は、第１ハウジング部分および第２ハウジング部分が接合されてセンサが所定磁場方向を検出する場合に第１信号を提供するように構成されるとよい。別の実施形態において、回路網はさらに、第１ハウジング部分と第２ハウジング部分とが接合されて所定磁場方向と異なる磁場方向をセンサが検出する場合に第２信号を提供するように構成されるとよい。様々な実施形態では、所定磁場が方向を含むとよい。センサは、この方向を検出するように構成されるとよい。
【００５７】
医療機器の製造方法は、（ｉ）利用者による携行に第１ハウジング部分を適応させること、（ｉｉ）第１ハウジング部分に対して選択的に動作嵌合および解離されるように第２ハウジング部分を構成すること、（ｉｉｉ）所定磁場および所定磁気強度のうち少なくとも一方を有する磁気源を第１ハウジング部分および第２ハウジング部分の少なくとも一方に設けること、（ｉｖ）所定磁場および所定磁気強度のうち少なくとも一方を検出するためのセンサを第１ハウジング部分および第２ハウジング部分の他方に設けること、（ｖ）第１ハウジング部分と第２ハウジング部分とが接合されて磁気源の所定磁場および所定磁気強度のうち少なくとも一方をセンサが検出する場合に第１信号を提供するように回路網を構成すること、および（ｖｉ）第１ハウジング部分および第２ハウジング部分が接合されて磁気源の所定磁場と異なる磁場と所定磁気強度と異なる磁気強度とのうち少なくとも一方をセンサが検出する場合に第２信号を提供するように回路網を構成することのうちいずれか一つまたはその組合せを含むとよいが、これらに限定されるわけではない。
【図面の簡単な説明】
【００５８】
【図１】本発明の実施形態によるシステムの全体的描写を図示している。
【図２】本発明の実施形態によるシステムの例を図示している。
【図３】本発明の実施形態による送達装置の例を図示している。
【図４】本発明の実施形態による送達装置を図示している。
【図５Ａ】本発明の実施形態による送達装置の耐久性部分を図示している。
【図５Ｂ】本発明の実施形態による送達装置の耐久性部分の断面図を図示している。
【図５Ｃ】本発明の実施形態による送達装置の耐久性部分の断面図を図示している。
【図６Ａ】本発明の実施形態による送達装置の廃棄用部分を図示している。
【図６Ｂ】本発明の実施形態による送達装置の廃棄用部分の断面図を図示している。
【図６Ｃ】本発明の実施形態による送達装置の廃棄用部分の断面図を図示している。
【図７】本発明の実施形態による送達システムの耐久性ハウジング部分および廃棄用ハウジング部分の構成の概略的側面図を示す。
【図８】本発明の実施形態による送達システムの耐久性ハウジング部分および廃棄用ハウジング部分の構成の概略的側面図を示す。
【図９】本発明の実施形態による送達システムの部分的分解図を示す。
【図１０】本発明の実施形態による送達システムの耐久性ハウジング部分および廃棄用ハウジング部分の構成の概略的上面図を示す。
【図１１】本発明の実施形態による送達システムの耐久性ハウジング部分および廃棄用ハウジング部分の構成の概略的上面図を示す。
【図１２】本発明の実施形態による廃棄用ハウジング部分および注射部位モジュールの接続構成の斜視図を示す。
【図１３】本発明の実施形態による廃棄用ハウジング部分および注射部位モジュールの接続構成の斜視図を示す。
【図１４】本発明の実施形態による廃棄用ハウジング部分および注射部位モジュールの接続構成の斜視図を示す。
【図１５】本発明の実施形態による廃棄用ハウジング部分および注射部位モジュールの接続構成の斜視図を示す。
【図１６】本発明の実施形態による廃棄用ハウジング部分および注射部位モジュールの接続構成の斜視図を示す。
【図１７】本発明の実施形態による廃棄用ハウジング部分および注射部位モジュールの接続構成の斜視図を示す。
【図１８】本発明の実施形態による廃棄用ハウジング部分および注射部位モジュールの接続構成の斜視図を示す。
【図１９】本発明の実施形態による廃棄用ハウジング部分および注射部位モジュールの接続構成の斜視図を示す。
【図２０Ａ】本発明の実施形態による医療機器システムの一部分の破断図を図示している。
【図２０Ｂ】本発明の実施形態による医療機器システムの一部分の破断図を図示している。
【図２０Ｃ】本発明の実施形態による医療機器システムの一部分の破断図を図示している。
【図２１Ａ】本発明の実施形態による医療機器システムの一部分の底面図を図示している。
【図２１Ｂ】本発明の実施形態による医療機器システムの一部分の底面図を図示している。
【図２１Ｃ】本発明の実施形態による医療機器システムの一部分の底面図を図示している。
【図２２Ａ】本発明の実施形態による医療機器システムの一部分を図示している。
【図２２Ｂ】本発明の実施形態による医療機器システムの一部分を図示している。
【図２２Ｃ】本発明の実施形態による医療機器システムの一部分を図示している。
【図２３】本発明の実施形態による医療機器システムの一部分を図示している。
【図２４】本発明の実施形態による医療機器システムの一部分を図示している。
【図２５Ａ】本発明の実施形態による医療機器システムの一部分を図示している。
【図２５Ｂ】本発明の実施形態による医療機器システムの一部分を図示している。
【図２６Ａ】本発明の実施形態による医療機器システムの一部分を図示している。
【図２６Ｂ】本発明の実施形態による医療機器システムの一部分を図示している。
【図２７Ａ】本発明の実施形態による医療機器システムを図示している。
【図２７Ｂ】本発明の実施形態による医療機器システムを図示している。
【図２７Ｃ】本発明の実施形態による医療機器システムを図示している。
【図２８Ａ】本発明の実施形態による医療機器システムを図示している。
【図２８Ｂ】本発明の実施形態による医療機器システムを図示している。
【図２８Ｃ】本発明の実施形態による医療機器システムを図示している。
【図２９Ａ】本発明の実施形態による医療機器システムの一部分を図示している。
【図２９Ｂ】本発明の実施形態による医療機器システムの一部分を図示している。
【図３０Ａ】本発明の実施形態による医療機器システムの一部分を図示している。
【図３０Ｂ】本発明の実施形態による医療機器システムの一部分を図示している。
【図３１Ａ】本発明の実施形態による医療機器システムの一般的描写を図示している。
【図３１Ｂ】本発明の実施形態による医療機器システムの一般的描写を図示している。
【図３１Ｃ】本発明の実施形態による医療機器システムの一般的描写を図示している。
【図３２】本発明の実施形態による医療機器システムの一般的描写を図示している。
【図３３Ａ】本発明の実施形態による医療機器システムの一般的描写を図示している。
【図３３Ｂ】本発明の実施形態による医療機器システムの一般的描写を図示している。
【図３４Ａ】本発明の実施形態による医療機器システムの一般的描写を図示している。
【図３４Ｂ】本発明の実施形態による医療機器システムの一般的描写を図示している。
【図３５Ａ】本発明の実施形態による医療機器システムの一般的描写を図示している。
【図３５Ｂ】本発明の実施形態による医療機器システムの一般的描写を図示している。
【図３６】本発明の実施形態による医療機器システムの電気構成のブロック図を図示している。
【発明を実施するための形態】
【００５９】
図１は、本発明の実施形態によるシステム１０の全体的描写を図示している。システム１０は、送達装置１２を含むとよい。システム１０はさらに、検知装置１４とコマンド制御装置（ＣＣＤ）１６とコンピュータ１８とを含むとよい。様々な実施形態において、送達装置１２と検知装置１４とは、患者または利用患者７の身体５の所望の箇所に固定されるとよい。図１において送達装置１２と検知装置１４とが利用患者７の身体５に固定される箇所は、代表的かつ非限定的な例として挙げられているに過ぎない。本開示を通して使用される「利用患者」とは、利用患者、患者、または利用者（例えば患者、医療の専門家、または他に患者を治療する者）を含み得る。
【００６０】
システム１０、送達装置１２、検知装置１４、ＣＣＤ１６、およびコンピュータ１８は、本発明の譲受人に譲渡された以下の米国特許出願に記載されたものに類似しており、以下の特許出願の各々は、その内容全体が参照により本願に援用される。（ｉ）２００５年８月２３日出願の特許文献１、（ｉｉ）２００６年９月１日出願の特許文献１２、「タンク内でプランジャを駆動するための駆動装置を備える注入媒体送達装置および方法、（ｉｉｉ）２００６年１０月２７日出願の特許文献１３、「タンクの充填および注入媒体の送達を可能にするシステムおよび方法」、（ｉｖ）２００６年１０月２７日出願の特許文献１４、「タンク内でプランジャを駆動するための駆動装置を備える注入媒体送達装置および方法」、（ｖ）２００６年１０月２７日出願の特許文献１５、「圧縮性またはカーブ状のタンクまたは導管を備える注入媒体送達装置および方法」、（ｖｉ）２００６年１０月２７日出願の特許文献１６、「注入ポンプおよび方法とこれを備える送達装置および方法」、（ｖｉｉ）２００６年１１月２０日出願の特許文献１７、「タンクの充填および注入媒体の送達を可能にするシステムおよび方法」、（ｖｉｉｉ）２００６年１１月２０日出願の特許文献１８、「タンクの充填および注入媒体の送達を可能にするシステムおよび方法」、（ｉｘ）２００６年１１月２０日出願の特許文献１９、「タンクの充填および注入媒体の送達を可能にするシステムおよび方法」、（ｘ）２００６年１１月２０日出願の特許文献２０、「タンクの充填および注入媒体の送達を可能にするシステムおよび方法」、（ｘｉ）２００６年１１月２２日出願の特許文献２１、「タンク内でプランジャを駆動するための駆動装置を備える注入媒体送達装置および方法」、（ｘｉｉ）２００６年１１月２２日出願の特許文献２２、「タンク内でプランジャを駆動するための駆動装置を備える注入媒体送達装置および方法」、（ｘｉｉｉ）２００６年１１月３０日出願の特許文献２３、「注入ポンプおよび方法とこれを備える送達装置および方法」、（ｘｉｖ）２００６年１１月３０日出願の特許文献２４、「注入ポンプおよび方法とこれを備える送達装置および方法」、２００６年１２月８日出願の特許文献２５、「圧縮性またはカーブ状のタンクまたは導管を備える注入媒体送達装置および方法」、（ｘｖ）２００６年１２月２６日出願の特許文献２６、「圧縮性またはカーブ状のタンクまたは導管を備える注入媒体送達装置および方法」、２００６年１２月２６日出願の特許文献２７、「注入媒体送達システム、針挿入器を備える装置および方法、針挿入装置および方法」、（ｘｖｉ）２００６年１２月２６日出願の特許文献２８、「注入媒体送達システム、針挿入器を備える装置および方法、針挿入装置および方法」、（ｘｖｉｉ）２００６年１２月２６日出願の特許文献７、「注入媒体送達システム、針挿入器を備える装置および方法、針挿入装置および方法」、（ｘｖｉｉｉ）２００６年１２月２６日出願の特許文献２９、「注入媒体送達システム、針挿入器を備える装置および方法、針挿入装置および方法」、（ｘｉｘ）２００７年６月７日出願の特許文献３０、「タンク内でプランジャを駆動するための駆動装置を備える注入媒体送達装置および方法」、（ｘｘ）２００６年１１月３０日出願の特許文献３１、「埋込みセンサ装置の完全性を高めるための方法および装置」、（ｘｘｉ）２００７年２月５日出願の特許文献３２、「制御破壊のための選択的ポッティングおよびこれを採用する電子機器」、(ｘｘｉｉ)２００７年８月２２日出願の特許文献３３、「センサ再校正のためのシステムおよび方法」、（ｘｘｉｉｉ）２００７年１０月８日出願の特許文献３４、「多層基板」、（ｘｘｉｖ）２００７年１２月２６日出願の特許文献３５、「タンク気泡管理を可能にするシステムおよび方法」、（ｘｘｖ）２００８年４月２９日出願の特許文献３６、「タンク充填のためのシステムおよび方法」、（ｘｘｖｉ）２００８年４月２９日出願の特許文献３７、「タンク気泡管理のためのシステムおよび方法」、（ｘｘｖｉｉ）２００７年１０月２５日出願の特許文献３８、「センサ基板およびその製造方法」、（ｘｘｖｉｉｉ）２００７年１０月３０日出願の特許文献３９、「可変パラメータを含む遠隔測定システムおよび方法」、（ｘｘｉｘ）２００７年１２月２７日出願の特許文献４０、「タンク圧均等化システムおよび方法」、（ｘｘｘ）２００８年４月２２日出願の特許文献４１、「自動充填システムおよび方法」、（ｘｘｘｉ）２００７年１２月２６日出願の特許文献４２、「フルオプションを備える医療機器と選択的な作動／停止」、（ｘｘｘｉｉ）２００２年６月２６日出願の特許文献４３、「注入ポンプ、分析物モニタ、分析物メータ、および／またはその他とのインタフェース接続のための通信ステーションおよびソフトウェア」、（ｘｘｘｉｉｉ）２００８年４月８日出願の特許文献４４、タンク気泡管理を可能にするシステムおよび方法」、（ｘｘｘｉｖ）２００８年２月７日出願の特許文献４５、「接着パッチシステムおよび方法」、（ｘｘｘｖ）２００８年５月１５日出願の特許文献４６、「多腔型カテーテル」、（ｘｘｘｖｉ）２００８年４月１１日出願の特許文献４７、「タンクプランジャヘッドシステムおよび方法」、（ｘｘｘｖｉｉ）２００８年４月１１日出願の特許文献４８、「タンクバリヤ層システムおよび方法」、（ｘｘｘｖｉｉｉ）２００８年４月１１日出願の特許文献４９、「タンクシールリテーナシステムおよび方法」、（ｘｘｘｉｘ）２００８年７月２４日出願の特許文献５０、「マトリクスタンパク質の生成・固定化方法とセンサに使用するためのマトリクスタンパク質」、（ｘｌ）２００８年１２月１６日出願の特許文献５１、「針挿入システムおよび方法」、（ｘｌｉ）２００８年７月１日出願の特許文献５２、「制御破壊のための電子機器」、（ｘｌｉｉ）２００８年１１月１４日出願の特許文献５３、「多層回路素子および電気めっき犠牲構造を用いる製造方法」、（ｘｌｉｉｉ）２００８年７月１１日出願の特許文献５４、「針挿入器を備える注入媒体送達システム、装置、方法と、針挿入装置および方法」、（ｘｌｉｖ）２００８年８月８日出願の特許文献５５、「パッケージングシステム」、（ｘｌｖ）２００８年７月２４日出願の特許文献５６、「実時間自動調節式校正アルゴリズム」、（ｘｌｖｉｉ）２００８年１１月２４日出願の特許文献５７、「針挿入器を備える注入媒体送達システム���装置、および方法と、針挿入装置および方法」、（ｘｌｖｉｉｉ）２００８年９月１６日出願の特許文献５８、「埋込みセンサ方法およびシステム」、（ｘｌｉｘ）２００８年１０月８日出願の特許文献５９、「タンク内でプランジャを駆動するための駆動装置を備える注入媒体送達装置および方法」、（ｌ）２００９年１月２６日出願の特許文献６０、「タンクバリヤ層システムおよび方法」、（ｌｉ）２００８年１２月２９日出願の特許文献６１、「タンクシールリテーナシステムおよび方法」、（ｌｉｉ）２００９年１月１３日出願の特許文献６２、「タンクの充填および注入媒体の送達を可能にするシステムおよび方法」、（ｌｉｉｉ）２００９年１月２７日出願の特許文献６３、「多位置注入セット装置およびプロセス」。他の実施形態では、システム１０、送達装置１２、検知装置１４、ＣＣＤ１６、およびコンピュータ１８が、他の適当な構成を有していてもよい。
【００６１】
送達装置１２は、利用患者７の身体５に流体媒体を送達するように構成されるとよい。様々な実施形態において、流体媒体は液体、流体、ゲル、またはその他を含むとよい。いくつかの実施形態において、流体媒体は、病気または健康状態を治療するための薬剤または薬品を含むとよい。例えば、流体媒体は糖尿病を治療するためのインシュリンを含むか、痛み、ガン、肺疾患、ＨＩＶ、またはその他を治療するための薬品を含むとよい。いくつかの実施形態では、栄養補給剤、色素、追跡媒体、含塩媒体、水和媒体、またはその他を流体媒体が含むとよい。
【００６２】
検知装置１４は、センサデータまたはモニタデータを提供するためのセンサ、モニタ、またはその他を含むとよい。様々な実施形態では、利用患者７の状態を検知するように検知装置１４が構成されるとよい。例えば、検知装置１４は、電子機器と、利用患者７の血中グルコースレベル、その他などの生体状態に反応する酵素とを含むとよい。
【００６３】
様々な実施形態では、利用患者７の身体５に送達装置１２が固定された箇所から離れた箇所で、検知装置１４が利用患者７の身体５に固定されるか利用患者７の身体５に埋め込まれるとよい。他の様々な実施形態では、検知装置１４が送達装置１２に組み込まれてもよい。他の実施形態では、検知装置１４は送達装置から独立および離間しており、例えばＣＣＤ１６の一部であるとよい。このような実施形態では、生体試料、分析物、またはその他を受け取って利用患者７の状態を測定するように検知装置１４が構成されるとよい。
【００６４】
別の実施形態において、検知装置１４および／または送達装置１２は閉ループシステムを利用するとよい。閉ループシステムを利用する検知装置および／または送達装置の例は、以下の引例に見られるが、これらに限定されるわけではない。（ｉ）「電気化学センサおよびその完全性試験」の名称を持つ特許文献６４、（ｉｉ）「外側表面の改良により寿命が延長された埋込み式酵素ベース監視システム」の名称を持つ特許文献６５、（ｉｉｉ）「長期使用に適した埋込み式酵素ベース監視システム」の名称を持つ特許文献６６、（ｉｖ）閉ループでの注入組成物送達のためのシステムおよび方法」の名称を持つ特許文献６７、（ｖ）「閉ループ注入ポンプ制御のための安全限度」の名称を持つ特許文献６８、（ｖｉ）「センサ基板およびその製造方法」の名称を持つ特許文献６９、（ｖｉｉ）「基板センサ」の名称で１９９９年７月２２日に出願された特許文献７０、（ｖｉｉｉ）「検知器具およびプロセス」の名称で２００１年９月７日に出願された特許文献７１。これらすべての内容全体が、参照により本願に援用される。
【００６５】
このような実施形態では、限定的ではないが血中グルコースレベルまたはその他などの利用患者７の状態を検知するように、検知装置１４が構成されるとよい。送達装置１２は、検知装置１４により検知された状態に応じて流体媒体を送達するように構成されるとよい。一方、検知装置１４は利用患者の最新状態の検知を続けて、検知装置１４により検知された最新状態に応じて送達装置１２により流体媒体を期限なしで連続的に送達させるとよい。いくつかの実施形態では、一日の一部分のみ、例えば利用患者が睡眠中であるか覚醒中である時のみ閉ループシステムを利用するように、検知装置１４および／または送達装置１２が構成されてもよい。
【００６６】
送達装置１２、検知装置１４、ＣＣＤ１６、およびコンピュータ１８の各々は、システム１０の他の構成要素との通信を可能にする送信用、受信用、または送受信用の電子機器を含むとよい。検知装置１４は、センサデータまたはモニタデータを送達装置１２に送信するように構成されるとよい。検知装置１４はまた、ＣＣＤ１６と通信するように構成されるとよい。送達装置１２は、センサデータを解析して、センサデータおよび／または予めプログラムされた送達ルーチンに基づいて利用患者７の身体５へ流体媒体を送達するように構成された電子機器およびソフトウェアを含むとよい。
【００６７】
ＣＣＤ１６およびコンピュータ１８は、処理、送達ルーチンの記憶を実施するとともに送達装置１２を制御するように構成された電子機器および他の構成要素を含むとよい。ＣＣＤ１６および／またはコンピュータ１８に制御機能を含めることにより、送達装置１２がより単純な電子機器で構築されてもよい。しかし、いくつかの実施形態では、送達装置１２がすべての制御機能を含んでもよく、ＣＣＤ１６およびコンピュータ１８なしで作動してもよい。様々な実施形態では、ＣＣＤ１６は可搬電子機器でよい。様々な実施形態では、送達装置１２および／または検知装置１４は、ＣＣＤ１６および／またはコンピュータ１８によるデータの表示または処理のためＣＣＤ１６および／またはコンピュータ１８へデータを送信するように構成されるとよい。
【００６８】
いくつかの実施形態では、検知装置１４がＣＣＤ１６に一体化されるとよい。このような実施形態では、例えば利用患者が自身の血液サンプルを検知装置１４へ提供して自分の状態を評価することにより、利用患者が自分の状態を監視できるとよい。いくつかの実施形態において、検知装置１４およびＣＣＤ１６は、送達装置１２と検知装置１４および／またはＣＣＤ１６との間の電線またはケーブル接続の使用または必要性を伴わずに利用患者の血中グルコースレベルおよび／または体液を判断するためのものであるとよい。
【００６９】
いくつかの実施形態において、ＣＣＤ１６は、利用患者による薬品送達システムの次回使用を簡易化する情報を、利用患者に提供するためのものであるとよい。例えば、利用患者の身体へ投与される薬剤の速度または投与量を利用患者が判断できるようにする情報を、利用患者に提供するとよい。他の実施形態では、利用患者の身体に投与される薬剤の速度または投与量を制御する情報を、ＣＣＤ１６が送達装置１２に提供するとよい。
【００７０】
通信および／または制御能力のタイプ、さらに装置特徴集合および／またはプログラムオプションの例は、以下の引例に見られる。（ｉ）「遠隔プログラミング、ボーラス推定量、および／または振動アラーム能力を備える外部注入装置」の名称で２００３年５月２７日に出願された特許文献７２、（ｉｉ）「医療機器を備えるハンドヘルド携行情報端末（ＰＤＡ）およびその使用方法」の名称で２００３年５月５日に出願された特許文献７３、（ｉｉｉ）「注入装置のための制御タブおよびその使用方法」の名称で２００１年３月２１日に出願された特許文献７４。そのすべての内容全体が、参照により本願に援用される。
【００７１】
図２は、本発明の実施形態によるシステム１０の例を図示している。図２に図示された実施形態によるシステム１０は、送達装置１２と検知装置１４とを含む。本発明の実施形態による送達装置１２は、廃棄用ハウジング部分２０と耐久性ハウジング部分３０とタンクシステム４０とを含むとよい。送達装置１２はさらに、注入経路５０を含むとよい。
【００７２】
利用患者の身体と通常は接触しているか、送達装置１２の動作中に流体媒体と通常は接触している送達装置１２の要素は、送達装置１２の廃棄用部分であると考えられるとよい。例えば、送達装置１２の廃棄用部分は、廃棄用ハウジング部分２０とタンクシステム４０とを含むとよい。送達装置１２の廃棄用部分は、指定の使用回数の後で処分されることが推奨される。
【００７３】
他方、送達装置１２の動作中に利用患者の身体または流体媒体と通常は接触していない送達装置１２の要素は、送達装置１２の耐久性部分であると考えられるとよい。例えば、送達装置１２の耐久性部分は、耐久性ハウジング部分３０、電子機器（図２では不図示）、モータおよび駆動リンク機構を有する駆動装置（図２では不図示）、およびその他を含むとよい。送達装置１２の耐久性ハウジング部分の要素は一般的に、送達装置１２の通常動作中に利用患者または流体媒体との接触により汚染されず、ゆえに交換された送達装置１２の廃棄用部分との再利用のため保管されるとよい。
【００７４】
様々な実施形態において、廃棄用ハウジング部分２０はタンクシステム４０を支持するとよく、利用患者の身体に固定されるような構成の底面（図２では紙面側の下向き）を有する。接着剤が廃棄用ハウジング部分２０の底面と利用患者の皮膚との間の境界面に採用されて、廃棄用ハウジング部分２０を利用患者の皮膚に接着するとよい。様々な実施形態では、廃棄用ハウジング部分２０の底面に接着剤が設けられて、剥離カバー層が接着材料を被覆するとよい。このようにして、接着材料を露出させるためにカバー層が剥離され、廃棄用ハウジング部分２０の接着剤側が利用患者、例えば利用患者の皮膚に載置されるとよい。ゆえに、いくつかの実施形態では、送達装置１２が利用患者の皮膚に装着されるとよい。
【００７５】
他の実施形態では、送達装置１２の廃棄用ハウジング部分２０および／または残り部分が着用されるか、利用患者の衣類またはその下に装着されるとよい。同様に、ベルト、ポケット、およびその他などの適当な方法によって送達装置１２が支持されてもよいが、これらに限定されるわけではない。このような送達装置１２の代表的な例および一般的な送達装置は、ＭｉｎｉMｅｄ  Ｐａｒａｄｉｇｍ  ５２２インシュリンポンプ、ＭｉｎｉＭｅｄ  Ｐａｒａｄｉｇｍ  ７２２インシュリンポンプ、ＭｉｎｉＭｅｄ  Ｐａｒａｄｉｇｍ５１５インシュリンポンプ、ＭｉｎｉMｅｄ  Ｐａｒａｄｉｇｍ７１５  インシュリンポンプ、ＭｉｎｉＭｅｄ  Ｐａｒａｄｉｇｍ  ５１２Ｒインシュリンポンプ、ＭｉｎｉＭｅｄ  Ｐａｒａｄｉｇｍ  ７１２Ｒインシュリンポンプ、ＭｉｎｉＭｅｄ  ５０８インシュリンポンプ、ＭｉｎｉＭｅｄ  ５０８Ｒインシュリンポンプ、および他にもこれらの派生物を含むとよいが、これらに限定されるわけではない。
【００７６】
タンクシステム４０は、限定的ではないがインシュリンなどの流体媒体を格納または保管するための構成を持つとよい。様々な実施形態において、円筒形空間、筒形空間、またはその他など、流体媒体を収容するための中空内部空間をタンクシステム４０が含むとよいが、これらに限定されるわけではない。いくつかの実施形態では、流体媒体を格納するためのカートリッジまたはキャニスタとして、タンクシステム４０が設けられてもよい。様々な実施形態では、流体媒体がタンクシステム４０に再充填されるとよい。別の実施形態では、タンクシステム４０に流体媒体が予め充填されている。
【００７７】
タンクシステム４０は、何らかの適当な方法で廃棄用ハウジング部分２０に支持されるとよい。例えば、廃棄用ハウジング部分２０は、タンクシステム４０を保持するための突起部および支柱（不図示）または樋状の特徴（不図示）を備えるとよい。いくつかの実施形態では、タンクシステム４０が廃棄用ハウジング部分２０から取り外されて別のタンクと交換されるように、タンクシステム４０が廃棄用ハウジング部分２０によって支持されるとよい。代替的または付加的に、適当な接着剤、ストラップ、または他の結合構造により、タンクシステム４０が廃棄用ハウジング部分２０に固定されてもよい。
【００７８】
様々な実施形態では、タンクシステム４０の内部空間について流体媒体を流入および／または流出させるための少なくとも一つのポート４１をタンクシステム４０が含むとよい。いくつかの実施形態において、注入経路５０は、コネクタ５６とチューブ５４と針器具５２とを含むとよい。注入経路５０のコネクタ５６は、タンクシステム４０のポート４１へ接続可能であるとよい。様々な実施形態では、タンクシステム４０のポート４１について注入経路５０のコネクタ５６を選択的に接続および分断させるため、タンクシステム４０のポート４１の付近に開口部を備えるように廃棄用ハウジング部分２０が構成されるとよい。
【００７９】
様々な実施形態において、タンクシステム４０のポート４１は、自動密封隔壁またはその他などの隔壁（図２では不図示）で被覆されるか、これを支持するとよい。隔壁は、隔壁が穿刺されていない時には流体媒体がポート４１を通ってタンクシステム４０から流出するのを防止するように構成されるとよい。加えて、様々な実施形態では、タンクシステム４０のポート４１を被覆している隔壁を穿刺してタンクシステム４０の内部空間から流体媒体を流出させるための針を、注入経路５０のコネクタ５６が含むとよい。
【００８０】
針・隔壁コネクタの例は、特許文献８１に見られ、その内容全体が参照により本願に援用される。他の代替例では、Ｌｕｅｒ  Ｌｏｃｋまたはその他などの非隔壁コネクタが使用されてもよい。様々な実施形態において、注入経路５０の針器具５２は、利用患者の皮膚を穿孔することのできる針を含むとよい。加えて、様々な実施形態においてチューブ５４は、コネクタ５６を針器具５２と接続し、注入経路５０がタンクシステム４０から利用患者の身体への流体媒体の送達を可能にする経路となるように中空であるとよい。
【００８１】
本発明の様々な実施形態による送達装置１２の耐久性ハウジング部分３０は、廃棄用ハウジング部分２０と係合してこれに固定されるハウジングシェルを含む。耐久性ハウジング部分３０および廃棄用ハウジング部分２０は、二つのハウジングを一緒に手で押圧することにより、ねじりまたはねじ接続により、摩擦嵌め接続で、摺動接続で、および／または機械技術ではよく知られている他の適当な部品接続方法により二つの部品が容易に接続されるようにする対応形状の溝部、切欠き、凸状部、または他の適当な特徴を備えるとよい。
【００８２】
様々な実施形態では、耐久性ハウジング部分３０および廃棄用ハウジング部分２０がねじり動作を用いて相互に接続されるとよい。耐久性ハウジング部分３０および廃棄用ハウジング部分２０は、二つのハウジングを相互に分断するのに十分な力が印加された時に相互に分離可能であるように構成されるとよい。例えば、いくつかの実施形態では、廃棄用ハウジング部分２０および耐久性ハウジング部分３０が摩擦嵌めにより一緒にスナップ結合されるとよい。様々な実施形態では、Ｏリングシールなど適当なシールが耐久性ハウジング部分３０および／または廃棄用ハウジング部分２０の周縁エッジに沿って載置されて、耐久性ハウジング部分３０と廃棄用ハウジング部分２０との間への水の浸入に対するシールとなるとよい。
【００８３】
送達装置１２の耐久性ハウジング部分３０は、モータと駆動装置リンク機構部分とを含むとよい駆動装置（図２では不図示）を支持するとよい。駆動装置は、タンクシステム４０内の流体媒体に力を印加して、利用患者への送達のため流体媒体を注入経路５０などの注入経路へタンクシステム４０から押入するように構成されるとよい。例えば、いくつかの実施形態では、タンクシステム４０に配設されたプランジャヘッド（図６Ａ〜６Ｃ参照）に接続されたプランジャアーム（図６Ａ〜６Ｃ参照）にモータ８４を動作結合するための適切なリンク機構を備える電動モータ８４（図５Ｂおよび５Ｃ参照）が、耐久性ハウジング部分３０に取り付けられるとよい。電動モータは、タンクシステム４０のポート４１から利用患者へ流体媒体を押入する方向にプランジャヘッドを駆動するように構成されるとよい。
【００８４】
また、いくつかの実施形態では、プランジャアーム６０およびプランジャヘッドを移動させる方向を逆転させて患者からタンクシステム４０へ流体が吸引されるようにモータ８４が制御可能であってもよい。モータ８４は耐久性ハウジング部分３０に配設されるとよく、これに対応して廃棄用ハウジング部分２０にタンクシステム４０が配設されるとよいため、利用患者が送達装置１２の耐久性ハウジング部分３０を廃棄用ハウジング部分２０と接続すると、適切なリンク機構を通したモータ８４とプランジャヘッドとの動作嵌合が自動的に行われる。リンク機構および制御構造の別の例は、限定的ではないが、特許文献７４、特許文献１、「分離可能な耐久性ハウジング部分に駆動装置を備える注入装置および方法」の名称で２００５年８月２３日に出願された特許文献７５、「注入装置のためのポンプアセンブリおよび方法」の名称で２００５年８月２３日に出願された特許文献７６、「注入装置のためのタンク支持体および方法」の名称で２００５年８月２３日に出願された特許文献７７、「注入ポンプの流体圧力および力の検出のための方法、器具、および使用」の名称で２００１年３月２７日に出願された特許文献７８に見られ、これらすべての内容全体が参照により本願に援用される。
【００８５】
様々な実施形態において、耐久性ハウジング部分３０と廃棄用ハウジング部分２０とは、形状は保つが上述のように効果的な相互接続および分断に充分な可撓性および弾性を提供する適当な剛性材料で製作されるとよい。廃棄用ハウジング部分２０の材料は、皮膚との適当な適合性について選択されるとよい。例えば、送達装置１２の廃棄用ハウジング部分２０および耐久性ハウジング部分３０は、適当なプラスチック、金属、複合材料、またはその他で製作されるとよい。廃棄用ハウジング部分２０は、耐久性ハウジング部分３０と同じタイプの材料または異なる材料で製作されるとよい。いくつかの実施形態では、廃棄用ハウジング部分２０および耐久性ハウジング部分３０は射出成型または他の成型プロセス、機械加工プロセス、またはその組合せにより製造されるとよい。
【００８６】
例えば、廃棄用ハウジング部分２０は、可撓性のシリコン、プラスチック、ゴム、合成ゴム、またはその他など、比較的可撓性を持つ材料で製作されるとよい。利用患者の皮膚とともに撓曲することが可能な材料で廃棄用ハウジング部分２０を形成することにより、利用患者の皮膚に廃棄用ハウジング部分２０が固定された時に、より高いレベルの利用患者快適性が達成されるとよい。加えて、可撓性の廃棄用ハウジング部分２０は、廃棄用ハウジング部分２０が固定される利用患者の身体上の部位の選択肢を広げる結果を招くとよい。
【００８７】
図２に図示された実施形態では、送達装置１２は検知装置１４の接続要素１７を通して検知装置１４に接続される。検知装置１４は、送達装置１２により行われる治療の性質に応じて、適当な生体または環境検知装置を含むセンサ１５を含むとよい。例えば、糖尿病患者へインシュリンを送達するという状況では、センサ１５は血中グルコースセンサまたはその他を含むとよい。
【００８８】
いくつかの実施形態において、センサ１５は連続的グルコースセンサを含むとよい。連続的グルコースセンサは、利用患者の身体に埋込み可能であるとよい。他の実施形態では、連続的グルコースセンサは外部に、例えば利用患者の皮膚に配置されるか、利用患者の衣類に装着されるとよい。このような実施形態では、流体が利用患者から連続的に吸引されて連続的グルコースセンサにより検知されるとよい。様々な実施形態において、連続的グルコースセンサは、ＣＣＤ１６を連続的に検知する、および／またはこれと通信するように構成されるとよい。他の実施形態では、ＣＣＤ１６を断続的に検知する、および／またはこれと通信する、例えばグルコースレベルを検知して数分ごとに情報を送信するように連続的グルコースセンサが構成されるとよい。様々な実施形態において、連続的グルコースセンサはグルコースオキシダーゼを利用するとよい。
【００８９】
センサ１５は、利用患者の皮膚に固定される外部センサであるか、他の実施形態では利用患者の身体の埋込み部位に配置される埋込みセンサでもよい。別の代替例では、例えば、内容全体が参照により本願に援用される２００５年６月８日出願で「二重挿入セット」という名称の特許文献８５に示されているものなど、注入カニューレおよび／または針の一部として、またはこれらとともに、センサが含まれるとよい。図２に図示された例において、センサ１５は、利用患者の皮膚を穿刺するための針を含む廃棄用針パッドと、利用患者の血中グルコースレベルまたはその他などの生体状態に反応する酵素および／または電子機器とを有する外部センサである。このようにして、送達装置１２が利用患者に固定される箇所から離れた部位で利用患者に固定されるセンサ１５からのセンサデータが、送達装置１２に提供されるとよい。
【００９０】
図２に示された実施形態は、送達装置１２の耐久性ハウジング部分３０に配置されたセンサ電子機器（図２では不図示）にセンサデータを提供するため接続要素１７により接続されるセンサ１５を含むが、他の実施形態では送達装置１２内に配置されるセンサ１５を採用してもよい。その他の実施形態では、送達装置１２の耐久性ハウジング部分３０に配置される受信用電子機器（図２では不図示）と無線通信リンクによりセンサデータを通信するための送信器を有するセンサ１５を採用してもよい。様々な実施形態では、センサ１５と送達装置１２の耐久性ハウジング部分３０内の受信用電子機器との間の無線接続は、高周波（ＲＦ）接続、光学接続、または他の適当な無線通信リンクを含むとよい。別の実施形態では検知装置１４を採用する必要がなく、代わりにセンサデータを使用しない流体媒体送達機能を提供するとよい。
【００９１】
上述したように、送達装置１２の廃棄用要素を耐久性要素から分離することにより、廃棄用要素は廃棄用ハウジング部分２０に配設されるのに対して、耐久性要素は分離可能な耐久性ハウジング部分３０に配設されるとよい。これに関して、規定回数の送達装置１２の使用後に、廃棄用ハウジング部分２０が妥当な方法で処分されるように、廃棄用ハウジング部分２０が耐久性ハウジング部分３０から分離されるとよい。次に、利用患者による別の送達操作のため、耐久性ハウジング部分３０が新品（未使用）の廃棄用ハウジング部分２０と係合されるとよい。
【００９２】
図３は、本発明の別の実施形態による送達装置１２の例を図示している。図３の実施形態の送達装置１２は、図２の実施形態の送達装置１２に類似している。図２に図示された実施形態の送達装置１２では、耐久性ハウジング部分３０がタンクシステム４０を被覆するようになっているが、図３の実施形態の送達装置１２では、耐久性ハウジング部分３０がタンクシステム４０を被覆せずに廃棄用ハウジング部分２０に固定されるようになっている。図３に図示された実施形態の送達装置１２は廃棄用ハウジング部分２０を含み、図３に図示された実施形態による廃棄用ハウジング部分２０は、ベース部分２１とタンク保持部分２４とを含む。一実施形態では、ベース部分２１およびタンク保持部分２４は単一の一体的構造として形成されるとよい。
【００９３】
廃棄用ハウジング部分２０のベース部分２１は、利用患者の身体に固定可能であるように構成されるとよい。廃棄用ハウジング部分２０のタンク保持部分２４は、タンクシステム４０を収納するように構成されている。廃棄用ハウジング部分２０のタンク保持部分２４は、タンクシステム４０がタンク保持部分２４に収納された状態でタンク保持部分２４の外側からタンクシステム４０のポート４１にアクセスできるようにする開口部を有する構成を持つとよい。耐久性ハウジング部分３０は、廃棄用ハウジング部分２０のベース部分２１について装着可能であるとともに取外し可能であるように構成されるとよい。図３に図示された実施形態の送達装置１２は、タンクシステム４０内のプランジャヘッド（図３では不図示）に接続されるか接続可能であるプランジャアーム６０を含む。
【００９４】
図４は、図３の実施形態の送達装置１２の別の図を図示している。図４に図示された実施形態の送達装置１２は、廃棄用ハウジング部分２０と耐久性ハウジング部分３０と注入経路５０とを含む。図４の実施形態の廃棄用ハウジング部分２０は、ベース部分２１とタンク保持部分２４と剥離カバー層２５とを含む。剥離カバー層２５は、ベース部分２１の底面２２にある接着材料を被覆するとよい。ベース部分２１の底面２２の接着材料を露出させるように利用患者によって剥離可能な構成を剥離カバー層２５が持つとよい。いくつかの実施形態では、剥離層により分離されるベース部分２１の底面２２に、多数の接着層が設けられてもよい。
【００９５】
図４に図示された本発明の実施形態による注入経路５０は、図２の実施形態に示されたコネクタ５６とチューブ５４と針器具５２ではなく、針５８を含む。廃棄用ハウジング部分２０のベース部分２１は、延出時に針５８がベース部分２１を通ってベース部分２１の下にある利用患者の皮膚に達するように針５８の先端との整合状態にある開口部または穿刺可能な壁を備えるとよい。このようにして、利用患者の皮膚を穿刺して利用患者に流体媒体を送達するのに針５８が使用されるとよい。
【００９６】
代替的に、利用患者の皮膚を針５８で穿刺する際に中空カニューレの端部が針５８により利用患者の皮膚内を案内されるように、中空カニューレ（図４では不図示）内に針５８が延出してもよい。その後、針５８が取り外され、カニューレの一端部が利用患者の身体内に配置されてカニューレの他端部がタンクシステム４０内の流体媒体と流体流通している状態で、中空カニューレが定位置に残されるとよい。こうして、タンクシステム４０から利用患者の身体へ流体媒体が搬送されるとよい。
【００９７】
図５Ａは、本発明の実施形態による送達装置１２（例えば図３）の耐久性部分８を図示している。図５Ｂは、本発明の実施形態による耐久性部分８の断面図を図示している。図５Ｃは、本発明の実施形態による耐久性部分８の別の断面図を図示している。図５Ａ，５Ｂ，５Ｃを参照すると、様々な実施形態において耐久性部分８は、耐久性ハウジング部分３０と駆動装置８０とを含むとよい。駆動装置８０は、モータ８４と駆動装置リンク機構部分８２とを含むとよい。
【００９８】
様々な実施形態では、モータ８４、駆動装置リンク機構部分８２、他の電子回路網、および電源（図５Ａ，５Ｂ，５Ｃでは不図示）を収納するための内部空間を耐久性ハウジング部分３０が含むとよい。加えて、様々な実施形態において耐久性ハウジング部分３０は、プランジャアーム６０（図３を参照）を収容するための開口部３２を備えるように構成されるとよい。加えて、様々な実施形態では、廃棄用ハウジング部分２０（例えば図３）のベース部分２１との接続のための凸状部、挿入孔、またはその他など、一つ以上の接続部材３４を耐久性ハウジング部分３０が含むとよい。
【００９９】
図６Ａは、本発明の実施形態による送達装置１２（例えば図３）の廃棄用部分９を図示している。図６Ｂは、本発明の実施形態による廃棄用部分９の断面図を図示している。図６Ｃは、本発明の実施形態による廃棄用部分９の別の断面図を図示している。図６Ａ，６Ｂ，６Ｃを参照すると、様々な実施形態において、廃棄用部分９は廃棄用ハウジング部分２０とタンクシステム４０とプランジャアーム６０とプランジャヘッド７０とを含む。プランジャヘッド７０は、ブロモブチルゴム、シリコンゴム、または他の適当な材料および／またはその誘導体で製作されるとよい。いくつかの実施形態では、ベース部分２１とタンク保持部分２４とを廃棄用ハウジング部分２０が含むとよい。様々な実施形態では、耐久性ハウジング部分３０の実施形態の一つ以上の接続部材３４（例えば図５Ｂ）との接続を可能にするための凸状部、溝部、またはその他などの一つ以上の接続部材２６を有する上面２３を、ベース部分２１が含むとよい。
【０１００】
様々な実施形態では、廃棄用ハウジング部分２０のタンク保持部分２４にタンクシステム４０が収納されるとよく、タンクシステム４０は流体媒体を保持するように構成されるとよい。加えて、様々な実施形態では、プランジャヘッド７０の少なくとも一部分がタンクシステム４０の中に配置されて、流体媒体をタンクシステム４０に充填するとともに流体媒体をタンクシステム４０から流出させるようにタンクシステム４０内で移動可能であるとよい。いくつかの実施形態では、プランジャアーム６０がプランジャヘッド７０に接続されるとよいか、接続可能である。
【０１０１】
また、いくつかの実施形態では、プランジャアーム６０の一部分が廃棄用ハウジング部分２０のタンク保持部分２４の外側まで延出しているとよい。様々な実施形態では、駆動装置８０の駆動装置リンク機構部分８２（例えば図５Ｃ）と係合するための係合部分をプランジャアーム６０が有するとよい。図５Cおよび６Ｃを参照すると、いくつかの実施形態では、耐久性ハウジング部分３０が廃棄用ハウジング部分２０にスナップ嵌めされると、駆動装置リンク機構部分８２がプランジャアーム６０の係合部分と自動的に嵌合する。
【０１０２】
駆動装置リンク機構部分８２がプランジャアーム６０と嵌合または係合した状態で耐久性ハウジング部分３０と廃棄用ハウジング部分２０とが一緒に嵌着すると、駆動装置リンク機構部分８２を駆動するようにモータ８４が制御されるとよい。こうして、プランジャアーム６０が移動してプランジャヘッド７０をタンクシステム４０内で移動させるとよい。タンクシステム４０の内部空間に流体媒体が充分に充填されてタンクシステム４０から利用患者の身体への注入経路が設けられると、プランジャヘッド７０がタンクシステム４０内で移動し、注入経路を介してタンクシステム４０から利用患者へ流体媒体を流入させる。
【０１０３】
様々な実施形態では、タンクシステム４０が充分に空になってしまうかあるいは交換を必要とする際に、利用患者は、耐久性ハウジング部分３０を廃棄用ハウジング部分２０から取り外して、タンクシステム４０を含む廃棄用部分９を、新品タンクを有する新品の廃棄用部分と交換するだけでよい。耐久性ハウジング部分３０は新品廃棄用部分の新品廃棄用ハウジングに接続されるとよく、新品廃棄用部分を含む送達装置が利用患者の皮膚に固定されるか、他の形で利用患者に装着されるとよい。
【０１０４】
他の様々な実施形態では、タンクシステム４０が空になるたびに廃棄用部分９全体を交換するのでなく、タンクシステム４０に流体媒体が再充填されてもよい。いくつかの実施形態では、廃棄用ハウジング部分２０のタンク保持部分２４（例えば図６Ｂ）に残されたままでタンクシステム４０が再充填されるとよい。加えて様々な実施形態では、タンクシステム４０が新品タンク（不図示）と交換されるのに対して、廃棄用ハウジング部分２０は新品タンクとともに再利用されるとよい。このような実施形態では、廃棄用部分９に新品タンクが挿入されるとよい。
【０１０５】
図３，５Ａ，６Ｂ，６Ｃを参照すると、様々な実施形態において、送達システム１２はタンクステータス回路網（不図示）を含むとよく、タンクシステム４０はタンク回路網（不図示）を含むとよい。様々な実施形態では、（ｉ）タンクシステム４０を特定する識別ストリング、（ｉｉ）タンクシステム４０の製造者、（ｉｉｉ）タンクシステム４０の内容物、（ｉｖ）タンクシステム４０の内容量、またはその他のうち少なくとも一つなどの情報をタンク回路網が格納するが、これらに限定されるわけではない。いくつかの実施形態では、送達装置１２がタンクステータス回路網を含むとよく、タンクステータス回路網は、タンクシステム４０が廃棄用部分９に挿入された時にタンク回路網からのデータを読み取るように構成されるとよい。
【０１０６】
様々な実施形態において、タンクステータス回路網はさらに、タンクシステム４０の内容物の少なくとも一部がタンクシステム４０から移送された後でタンク回路網にデータを格納して、タンク回路網の情報を更新するように構成されるとよい。このような情報は、タンクシステム４０に残っている流体媒体の量、すでに送達された流体媒体の量、プランジャヘッド６０の位置、タンクシステム内の圧力、またはその他に関連しているとよいが、これらに限定されるわけではない。
【０１０７】
いくつかの実施形態において、廃棄用部分９にタンクシステム４０が挿入された時にタンク回路網にデータを格納してタンクシステム４０に残っている内容量に関するタンク回路網の情報を更新するように、タンクステータス回路網が構成されるとよい。いくつかの実施形態において、送達装置１２はタンクステータス回路網を含むとよく、タンクシステム４０はタンク回路網を含むとよく、タンクステータス回路網は、タンク回路網からタンクステータス回路網により読み取られた情報に基づいて、送達装置１２の使用を選択的に阻止するか、警告信号を選択的に提供するとよい。
【０１０８】
図７〜１９は、本発明の様々な実施形態による医療機器システムの第１ハウジング部分と第２ハウジング部分とを接続するための接続構造の様々な例を図示している。図７〜１９の医療機器システムは、開示全体にわたって記載される医療機器システムに類似した特徴を含むか、開示全体にわたって記載される医療機器（例えば図１〜６Ｃの送達装置１２）の実施形態として採用されるとよい。医療機器システムは、図１〜６Ｃの実施形態に類似するかこれに使用される特徴を含むとよいが、医療機器システムは、図２０〜３６の実施形態で図示および説明されるものと同じ特徴のいくつかまたはすべても含み、これと類似した方法で作動することが理解されるべきである。加えて、図１〜６Ｃおよび２０〜３６に示された特徴のいくつかまたはすべてが様々な手法で組み合わされ、図７〜１９に示された実施形態に含まれてもよい。同様に、図７〜１９の実施形態の特徴のいずれかが図７〜１９の他の実施形態のいずれか、そして上記の他の実施形態のいずれかと組み合わされるか、さもなければこれに取り入れられてもよいことが理解されるべきである。
【０１０９】
様々な実施形態において、廃棄用ハウジング部分（例えば図３の２０）を有する医療機器システム１００は、例えば、ベース部分２１の底面に設けられる上述のものなどの接着材料により利用患者の皮膚に固定され得るベース部分２１を備えるとよいが、これらに限定されるわけではない。この構成は、図７に側面図で概略表示されている。このような構成では、廃棄用ハウジング部分２０のベース部分２１の底面（つまり皮膚側の表面）に接着材料１０１が設けられるとよい。図２，３，７を参照すると、ベース部分２１および廃棄用ハウジング部分２０と嵌合してこれに接続されるように廃棄用ハウジング部分２０のベース部分２１に配設される構成を耐久性ハウジング部分３０が持つとよい。このような構成では、廃棄用ハウジング部分２０のベース部分２１のみが利用患者の皮膚と接触したままとなるように、耐久性ハウジング部分３０と利用患者の皮膚との間にベース部分２１が配置されるとよい。
【０１１０】
しかし、他の実施形態では、医療機器システム１１０の耐久性ハウジング部分３０および廃棄用ハウジング部分２０が、例えば図８に表示されているような並置構成で相互に嵌合するように構成されるとよい。図８の並置構成では、耐久性ハウジング部分３０および廃棄用ハウジング部分２０の一方または両方が、（図３に示されたような剥離カバー層２５を含むか含まない）接着材料１０１を有するベースを備えるとよい。
【０１１１】
例えば図９に表示されているまた別の実施形態では、医療機器システム１２０の耐久性ハウジング部分３０および廃棄用ハウジング部分２０の一方または両方が、別のベース部材２１'について装着可能かつ取外し可能であるとよい。耐久性ハウジング部分３０、廃棄用ハウジング部分２０、およびベース部材２１'の何らかの組合せ、またはこれらすべてを接続するために、上述したような適当な接続構造が採用されるとよい。別のベース部材２１'は、プラスチック、金属、セラミック、複合材料、またはその他を限定的でなく含む適当な剛性材料で製作されたほぼ平坦なプレート状構造を含むとよい。ベース部材２１'は、廃棄用ハウジング部分２０および耐久性ハウジング部分３０が装着されるかさもなければ動作嵌合される表面（つまり図９の上向き表面）を有するとよい。ベース部材２１'は、ベース部材２１'が利用患者の皮膚に固定されるようにここで説明する接着材料および剥離カバーフィルムが塗着される第２表面（つまり図９の下向き表面）を有するとよい。
【０１１２】
いくつかの実施形態において、ベース部材２１'は、ここで説明される針挿入装置２５を含むとよい。このような実施形態では、利用患者の皮膚にベース部材２１'が固定されるとよい。次に針挿入装置２５が起動されて中空針またはカニューレを利用患者の皮膚へ挿入する。それから中空針またはカニューレが挿入された後、耐久性ハウジング部分３０および廃棄用ハウジング部分２０がベース部材２１'に装着されて、中空針またはカニューレとの流体連通状態でタンクシステム４０（例えば図１〜６Ｃ）に接続される。
【０１１３】
いくつかの実施形態において、耐久性ハウジング部分３０および廃棄用ハウジング部分２０は、これらハウジング部分がベース部材２１'に装着される前に、例えば上述の方法で一緒に接続されるとよい。別の実施形態では、耐久性ハウジング部分３０と廃棄用ハウジング部分２０とが一緒に接続される前に、耐久性ハウジング部分３０と廃棄用ハウジング部分２０の一方がベース部材２１'に装着されてもよい。このような別の実施形態では、耐久性ハウジング部分３０と廃棄用ハウジング部分２０とが一緒に接続される前か後に、廃棄用ハウジング部分２０がベース部材２１'に装着された後で、針挿入装置が起動されて中空針またはカニューレを利用患者の皮膚に挿入するとよい。
【０１１４】
いくつかの実施形態では、針挿入装置と整合する（または別の開口部と整合する）開口部３２をベース部材２１'が有するとよい。このような実施形態では、利用患者の皮膚にベース部材２１'が固定されるとよい。それから、耐久性ハウジング部分３０と廃棄用ハウジング部分２０とが一緒に接続される前または後に、廃棄用ハウジング部分２０がベース部材２１'に装着されるとよい。廃棄用ハウジング部分２０がベース部材２１'に装着されると、耐久性および廃棄用ハウジング部分が一緒に接続される前と後のいずれかに、針挿入装置が起動されて中空の針またはカニューレを利用患者の皮膚へ挿入する。開示全体にわたって説明される他の針／カニューレ挿入具が、限定ではないが前述のような針および／またはカニューレを挿入するのに使用される（または使用のため変形される）とよい。
【０１１５】
いくつかの実施形態では、図１０に示されているように、注射部位モジュール１０３が医療機器システム１３０の廃棄用ハウジング部分２０の外部に設けられるが、導管１０２を通して廃棄用ハウジング部分２０に接続されるとよい。外部の注射部位モジュール１０３は、針またはカニューレ注入装置構造と、このような注入装置またはその他が起動されるようにするオペレータまたは開口部（例えば図９の開口部３２）とを含むとよい。代替的または付加的に、各々が本発明の譲受人に譲渡されてその内容全体が参照により本願に援用される、「皮下注入セット」の名称で２００３年１１月１０日に出願された特許文献７９および／または「多位置注入セット装置およびプロセス」の名称で２００４年１２月３日に出願された特許文献８０に説明または言及されているような注入セットなどの注入セットを、注射部位モジュール１０３が限定的でなく含むとよい。
【０１１６】
注射部位モジュール１０３を廃棄用ハウジング部分２０と接続する導管１０２は、限定的ではないがプラスチック、シリコン、ポリマー、またはその他で製作された可撓性チューブなどの流体流路を有する適当なチューブ類構造であればよい。チューブ類を利用患者の皮膚に固定するため、前述のような接着材料などの接着材料が、チューブ類構造（またはチューブ類構造と利用患者の皮膚との間）に設けられるとよい。注射部位モジュール１０３を利用患者の皮膚に固定するため、前述したような接着材料などの接着材料が注射部位モジュール１０３（または注射部位モジュール１０３と利用患者の皮膚との間）に設けられてもよい。注射部位モジュール１０３を廃棄用ハウジング部分２０の外部に配置することにより、廃棄用ハウジング部分２０および耐久性ハウジング部分３０が衣類、ベルト、サスペンダー、または他の服飾品にクリップ留めされるか、服飾品のポケットに保管されるか利用患者の財布またはその他に入れられて携行されるとよい。
【０１１７】
いくつかの実施形態では、廃棄用ハウジング部分２０の中のタンクシステム４０（例えば図１〜６Ｃ）との流体連通状態で、導管１０２が廃棄用ハウジング部分２０に一端部で固着されるとよい。上述したような中空の針またはカニューレとの流体連通状態での接続のため、導管１０２は第２端部において注射部位モジュール１０３に固着されるとよい。
【０１１８】
別の実施形態において、導管１０２の両端部の一方または両方は、廃棄用ハウジング部分２０および／または注射部位モジュール１０３に対して導管１０２の両端部が流体連通状態で選択的に接続されるか選択的に分断されるようにする適当な接続構造を含むとよい。このようなコネクタは、中空針および隔壁、ルアコネクタ、または他の適当な流体連通接続を包含するとよい。このような実施形態では、例えば、注射部位モジュール１０３を定位置に残したままで注射部位モジュール１０３または廃棄用ハウジング部分２０から導管１０２の両端部の一方を分断することにより、廃棄用ハウジング部分２０および耐久性ハウジング部分３０が注射部位モジュール１０３から分断されるとよい。こうして、利用患者は、針またはカニューレを引き抜き、その後で操作を再開するため針またはカニューレを挿入する必要がない。このようにして、シャワー、入浴、水泳、または他の活動を利用患者が行うことが可能でありながら、例えばこのような活動の終了後に廃棄用ハウジング部分２０を注射部位モジュール１０３に容易に再接続することが可能となるように、利用患者は廃棄用ハウジング部分２０と耐久性ハウジング部分３０とを容易に分断して取り外すことができる。コネクタの例は、２００３年１２月２２日に「タンクコネクタ」の名称で出願された特許文献８１と、１９９６年８月１３日に「薬剤注入システムのための簡易接続継手」の名称で出願された特許文献８２に見られ、その両方の内容全体が参照により本願に援用される。他の代替例では、ルアロック、または他の適当な流体連通コネクタなど、異なるコネクタが使用されてもよい。
【０１１９】
いくつかの実施形態では、図１１に示されているように、注射部位モジュール１０３が医療機器システム１４０の廃棄用ハウジング部分２０と直接に接続されるとよい。このような実施形態では、前述のように廃棄用ハウジング部分２０のタンクシステム４０（例えば図１〜６Ｃ）と中空針またはカニューレとの間の流体連通のため、廃棄用ハウジング部分２０を通って注射部位モジュール１０３へ一つ以上の適当な流体流路が設けられる。加えて、このような実施形態では、注射部位モジュール１０３および廃棄用ハウジング部分２０が相互に選択的に接続および分断されるようにする係合接続構造を、注射部位モジュール１０３と廃棄用ハウジング部分２０とが含むとよい。
【０１２０】
注射部位モジュール１０３を廃棄用ハウジング部分２０と直接に接続するための係合構成の様々な例が、図１２〜１９を参照して説明される。図１２〜１４は、廃棄用ハウジング部分２０の対応数の収容部に収容される構成を持つ少なくとも一つ（例えば図１２では二つ）の突出嵌合つめ１７４を注射部位モジュール１０３が含むとよい医療機器システム１５０の構成例を示している。つめ１７４および収容部は例えば、内容全体が参照により本願に援用される２００６年８月２３日出願で「注入ポンプおよび方法とこれを備える送達装置および方法」という名称の特許文献８３に記載のつめ７４および収容部７６に類似しているとよい。他の実施形態では、廃棄用ハウジング部分２０につめ１７４が配置されているのに対して、注射部位モジュール１０３には対応の収容部が配置されるとよい。また別の実施形態では、廃棄用ハウジング部分２０および注射部位モジュール１０３の各々が、一つ以上のつめ１７４および一つ以上の収容部を含むとよい。
【０１２１】
つめ１７４および収容部は、廃棄用ハウジング部分２０と注射部位モジュール１０３とが接合される際に利用患者がつめ１７４を収容部へ手で摺動させるような構成を持つとよい。つめ１７４を対応の収容部に摺動挿入することにより、注射部位モジュール１０３が廃棄用ハウジング部分２０に固定されるとよい。つめ１７４が収容部に完全に収容された時に収容部とともにスナップ嵌めを成す成形部分またはヘッドを、つめ１７４が含むとよい。廃棄用ハウジング部分２０および注射部位モジュール１０３を相互に離間させてつめ１７４を収容部から外すのに充分な力を印加することによって利用患者が廃棄用ハウジング部分２０を注射部位モジュール１０３から分離するのに充分な可撓性を持つ構成を、つめ１７４が持つとよい。図１２〜１４の実施形態では、上述したように廃棄用ハウジング部分２０の延出ベース部分２１に代わる、操作中に利用患者の皮膚に固定されるベース４５０に、注射部位モジュール１０３が装着されるかこれを含むとよい。ベース４５０は、廃棄用ハウジング部分２０のベース部分２１（またはここで説明する他のベース）に関して説明されたような接着材料を含むとよい。
【０１２２】
図１４に示されているように図１２〜１４の実施形態は、廃棄用ハウジング部分２０と耐久性ハウジング部分３０とベース４５０上の注射部位モジュール１０３とを含む、大まかに三つの部品で形成されるとよい。耐久性ハウジング部分３０および廃棄用ハウジング部分２０は一緒に固定され（例えば図１２）、合体接続された廃棄用および耐久性ハウジング部分は、注射部位モジュール１０３およびベース４５０に固定されるとよい。いくつかの実施形態では、合体接続された廃棄用および耐久性ハウジング部分が注射部位モジュール１０３およびベース４５０に固定される前に、ベース４５０が利用患者の皮膚に固定されるとよい。別の実施形態では、ベース４５０が利用患者の皮膚に固定される前に、合体接続された廃棄用および耐久性ハウジング部分が注射部位モジュール１０３およびベース４５０に固定されるとよい。
【０１２３】
医療機器システム１６０の接続構造の例が図１５および１６を参照して説明されるが、注射部位モジュール１０３は、廃棄用ハウジング部分２０の対応の成形開口部または収容部に収容される構成を持つ成形ヘッド４５２を含むとよい。成形ヘッド４５２は、図１５に示されているように廃棄用ハウジング部分２０が第１整合位置で注射部位モジュール１０３に対して整合された場合にヘッド４５２が収容部に収容されるようにする形状を持つ構成であるとよい。
【０１２４】
図１６に示されているように、成形ヘッド４５２はさらに、ヘッド４５２が収容部に収容された状態で廃棄用ハウジング部分２０が注射部位モジュール１０３に対して第２整合位置まで回転可能であるような構成を持つとよい。廃棄用ハウジング部分２０が第１整合位置（例えば図１５）にある時にヘッド４５２が収容部に自由に収容され、またここから取り外されるが、廃棄用ハウジング部分２０が第２整合位置（例えば図１６）にある場合にはヘッド４５２と当接して収容部からのヘッド４５２の分離を阻止するように、廃棄用ハウジング部分２０の収容部が形成されるとよい。こうして、廃棄用ハウジング部分２０が第２整合位置にある場合には、注射部位モジュール１０３からの廃棄用ハウジング部分２０の分離が阻止されるとよい。
【０１２５】
医療機器システム１７０の接続構造の例が図１７〜１９を参照して説明されるが、医療機器システム１７０は、三つの部品、つまり耐久性ハウジング部分３０と廃棄用ハウジング部分２０とベース４５６とを包含するとよい。ベース４５６の成形収容部４５４は、廃棄用ハウジング部分２０の対応形状コネクタ部材を収容するように構成されるとよい。注射部位モジュール１０３は、廃棄用ハウジング部分２０と一体的に形成されるとよい。図１７に示されているように廃棄用ハウジング部分２０がベース４５６および収容部４５４に対して第１整合位置で整合された場合に注射部位モジュール１０３のコネクタ部材が収容部４５４と嵌合するような形状で、成形収容部４５４が構成されるとよい。
【０１２６】
図７〜１９に戻ると、成形収容部４５４はさらに、図１８に示されているように収容部４５４が第２整合位置までコネクタ部に嵌合した場合に廃棄用ハウジング部分２０がベース４５６および収容部４５４に対して回転するような構成を持つとよい。図７〜１９を参照すると、廃棄用ハウジング部分２０が第１整合位置（例えば図１７）にある場合にはコネクタ部材を収容部４５４と自由嵌合させるが、廃棄用ハウジング部分２０が第２整合位置（例えば図１８）にある場合には収容部４５４にロックされるが収容部からのコネクタ部材の分離を阻止するような形状を、廃棄用ハウジング部分２０の収容部４５４およびコネクタ部材が持つとよい。こうして、廃棄用ハウジング部分２０が第２整合位置にある場合に、注射部位モジュール１０３からの廃棄用ハウジング部分２０の分離が阻止されるとよい。
【０１２７】
収容部４５４および接続部材は、二つの構造の嵌合および一方向の相対回転時に二つの構造を一緒に接続するが、第１方向と反対の第２方向における二つの構造の相対回転により二つの構造が解離されて嵌合構成から分離されるようにするための、周知の適当な回転接続構造を含むとよい。前述のように廃棄用ハウジング部分２０とベース４５６とが接続されるとこれらの部品の間の相対移動を阻止するため、ロック凸状部、つめ、またはその他などの動作阻止構造が設けられるとよい。
【０１２８】
図１９に示されているように、図１７〜１９の実施形態は、廃棄用ハウジング部分２０と耐久性ハウジング部分３０とベース４５６上の注射部位モジュール１０３とを含む、大まかに三つの部分で形成されるとよい。耐久性ハウジング部分３０と廃棄用ハウジング部分２０とは一緒に固定されて（例えば図１７）、合体接続後の廃棄用および耐久性ハウジング部分がベース４５６に固定されるとよい。一実施形態では、合体接続後の廃棄用および耐久性ハウジング部分がベース４５６に固定される前にベース４５６が利用患者の皮膚に固定されてもよい。別の実施形態では、ベース４５６が利用患者の皮膚に固定される前に合体接続後の廃棄用および耐久性ハウジング部分がベース４５６に固定されてもよい。
【０１２９】
図７〜１９を参照すると、上述した多数の実施形態の様々な態様が単独または組合せで採用されるとよい。部位別送達システムが廃棄用部分と非廃棄用部分とを含む二つの部品で製作される記載の様々な実施形態およびその組合せから、大きな長所が得られる。廃棄用部分は、タンク本体、タンクピストン、隔壁システム、および／または注射針など注入媒体と直接に接触しているすべての材料を格納するとよい。非廃棄用部分は、駆動システム、圧力・力検出システム（および／または他の検知システム）、バッテリ、電子機器、ディスプレイ、および／または非廃棄用ハウジングを含めて、薬剤と接触しない材料を実質的に格納する。
【０１３０】
（未使用の新品であるか、利用者充填、事前充填、再手入れ、再製造、または再充填されたタンクシステム４０（例えば図１〜６Ｃ）を備える）廃棄用部分が非廃棄用部分へ挿入されるように、ポンプが設計されるとよい。送達装置の廃棄用部分が交換される方法を単純化することによって、また廃棄用部分の交換後に送達装置が再起動される方法を単純化することによって、より多くの利用患者がこのような送達装置を使用してこれから恩恵を受けることが可能であろう。
【０１３１】
加えて、上述した実施形態は、廃棄用ハウジング部分２０または注射部位モジュール１０３に配置された注射部位を含むが、他の実施形態では耐久性ハウジング部分３０に配置された注射部位を採用してもよい。注射部位は、耐久性ハウジング部分３０と廃棄用ハウジング部分２０とが嵌合した時に、適当な流体流路を通して廃棄用ハウジング部分２０のタンクシステム４０に接続されるとよい。
【０１３２】
加えて、タンクから利用患者へ注入媒体を送達するための送達装置に関する実施形態を上で説明したが、利用患者（または他の流体源）から流体媒体を吸引してこの流体媒体をタンクへ移送するように他の実施形態が機能してもよい。このような他の実施形態は、（タンクの流体保持空間を増大させるため）タンクの隔壁端部からピストンプランジャを選択的に離間させて中空針またはカニューレが固定された利用患者（または他の流体源）から流体を吸引するのに十分な負圧を発生させるように駆動装置を作動させることにより機能してもよい。
【０１３３】
加えて、上述した実施形態のいずれかにおいて、廃棄用ハウジング部分２０および耐久性ハウジング部分３０の一方または両方（および／または別のベース部分２１'，４５０，４５６または別の注射部位モジュール１０３）は、力センサまたはその他などのセンサ（不図示）、あるいは一つ以上の構成要素の正しい配置または嵌合を検知するための他の適当な検知装置を含むとよい。このような実施形態において、別の電子機器が駆動装置の動作を制御して、構成要素のうち一つ以上および／または利用患者の皮膚（または他の適当な箇所）の正しい動作嵌合をセンサが検知しなければ駆動装置および／または針注射器の動作を阻止してもよい。
【０１３４】
代替的または付加的に、廃棄用ハウジング部分２０および耐久性ハウジング部分３０の一方または両方は、廃棄用ハウジング部分２０および耐久性ハウジング部分３０の相互（および／または独立したベース部分または独立した注射部位モジュールと）の正しい動作嵌合を検知するための検知装置（不図示）を含むとよい。このような実施形態では、別の電子機器が駆動装置の動作を制御して、廃棄用ハウジング部分２０および耐久性ハウジング部分３０の相互（および／または独立したベース部分または独立した注射部位モジュールと）の正しい動作嵌合を検知装置が検知しなければ駆動装置および／または針注射器の動作を阻止するとよい。
【０１３５】
本発明の特定の実施形態が図示および説明されたが、図示および説明された特定の実施形態に発明が限定されないことと、請求項に記載の発明の趣旨および範囲から逸脱することなく変更および変形が可能であることは当業者には自明であろう。例えば、上述した実施形態は接着材料およびカバーフィルム２３（図２および３）を含むとよいが、別の実施形態は、対応する複数のカバーフィルム層２３と交互配置されて送達装置が利用患者の皮膚に一回以上、固定、取り外し、再固定されるようにする複数の接着材料層を含んでもよい。
【０１３６】
このような実施形態では、接着材料およびカバーフィルムの交互配置層による積層体の端部に配置される第１カバーフィルム層が、第１接着材料層を露出させるように取り外されるとよい。第１接着材料層が露出された状態で、医療機器システム（例えば１００，１１０，１２０，１３０，１４０，１５０，１６０，１７０）（またはその構成要素）が上述のように利用患者の皮膚に接着されるとよい。適当な使用期間の後、例えば一つ以上の構成要素またはその他の保守、再充填、交換のために医療機器システム（または接着剤が付いた構成要素）が利用患者の皮膚から取り外されるとよい。医療機器システム（または構成要素）を利用患者の皮膚から取り外した後、第２接着材料層を露出させるように医療機器システム（または構成要素）の第２カバーフィルム層が取り外される。第２接着材料層が露出された状態で、医療機器システム（または構成要素）が同じ利用患者に、またはある状況では別の操作のため異なる利用患者に固定されるとよい。接着材料の数に達するまで数回にわたってこのプロセスが反復され、接着材料およびカバーフィルムによる複数の交互配置層には、対になったカバーフィルム層が含まれる。
【０１３７】
加えて、上述した様々な実施形態は、剥離カバー層を各々が含む一つ以上の接着層を含むとよいが、他の実施形態は、複数の剥離カバー層部分のパターンを有する単一の接着層（またはこのパターンを各々が有する複数の接着層）を採用してもよい。こうして、利用患者は上述のように医療機器システム（例えば１００，１１０，１２０，１３０，１４０，１５０，１６０，１７０）を利用患者に接着するためのカバー層の一部分を剥離して、剥離カバー層部分のパターンの残りは接着剤に残したままにする。このような実施形態では、医療機器システムの第１動作期間が終了して医療機器システムを利用患者から取り外した後に、剥離カバー層の第２部分が接着層から取り外されて、医療機器システムが第２動作期間のため、同じ利用患者、またある状況では異なる利用患者に接着されるとよい。
【０１３８】
様々な実施形態では、上述した様々な医療機器システム（例えば１００，１１０，１２０，１３０，１４０，１５０，１６０，１７０）の実施形態は、利用患者の皮膚（または他の適当な動作表面）に固定されるように構成されるとともに医療機器システム構造の長さおよび／または幅に沿って延在するベース部分（例えば２１，２１'，４５０，４５６）を含むとよいが、他の実施形態は、利用患者の皮膚（または他の表面）に固定されて、利用患者（または他の表面）と接触している表面積を最小にするため医療機器システム構造の全長または全幅寸法よりも狭い範囲に延在するように構成されたベース部分を採用するとよい。このような実施形態は、医療機器システムの動作中に利用患者の快適性を高める。利用患者の快適性に関するさらなる改良と、利用患者と接触している表面積の最小化のため、添付図面に示されたものと異なる形状およびサイズを有するベース部分が採用されてもよい。さらに、上記のように、利用患者の身体の湾曲および動きに少なくとも部分的に適合する可撓性材料でベース部分が構成されるとよい。
【０１３９】
一つ以上の医療機器システム（例えば１００，１１０，１２０，１３０，１４０，１５０，１６０，１７０）の構成要素を利用患者の皮膚（または他の適当な表面）に固定するのに接着材料が使用される上述の実施形態のいずれかでは、あるエリア（例えば針注射部位の周囲）に強力な接着剤が設けられるのに対して他のエリアには弱い接着剤が設けられるように、多くのタイプの接着材料（または多くの強度の接着剤）が採用されてもよい。様々な接着剤システムの例は、限定的ではないが、特許文献４５に見られ、その内容全体が参照により本願に援用される。
【０１４０】
医療機器システム５００が二つの部品つまり第１ハウジング部分５３０と第２ハウジング部分５５０とを包含する、接続および／または整合構造の別の例が、図２０Ａ〜３０Ｂを参照して説明される。他の実施形態は、三つ以上の部品を備える医療機器システムを含んでもよい。
【０１４１】
医療機器システム５００は、開示全体にわたって記載される医療機器システムの実施形態（例えば図１〜６Ｃ）として採用されていてよく、類似していてもよい。医療機器システム５００は、図１〜６Ｃの実施形態と類似しているかこれとともに使用される特徴を含むとよいが、医療機器システム５００が同じ特徴のいくつかまたはすべても含み、図７〜１９および図３１Ａ〜３６の実施形態で図示および説明されたものと類似の方法で機能してもよいことが理解されるべきである。加えて、図１〜１９および図３１Ａ〜３６に示された特徴のいくつかまたはすべてが様々な方法で組み合わされて、図２０Ａ〜３０Ｂに示された実施形態に含まれてもよい。同様に、図２０Ａ〜３０Ｂの実施形態の特徴のいずれかが、図２０Ａ〜３０Ｂの他の実施形態のいずれか、またここに記載される他の実施形態に組み込まれるか他の形で包含されてもよいことが理解されるべきである。
【０１４２】
様々な実施形態において、第１ハウジング部分５３０は耐久性ハウジング部分３０（例えば図１〜１９）に類似しているとよく、廃棄用部分２０（例えば図１〜１９）を含む（つまりこれと一体的である）か、これに接続されるとよい。図１〜６Ｃに関して上述したように、耐久性ハウジング部分５３０は、駆動装置８０、駆動モータ８４、駆動装置リンク機構部分８２、および／またはその他などの様々な構成要素を含むとよいが、これらに限定されるわけではない。第１ハウジング部分５３０と一体的であるかこれと接続される廃棄用ハウジング部分２０は、タンクシステム４０などの様々な構成要素を含むとよいが、これらに限定されるわけではない。
【０１４３】
図２０Ａ〜３０Ｂに戻ると、様々な実施形態において、第２ハウジング部分５３０は、医療機器システム５００の動作中に利用患者の皮膚に固定可能であるとよいベース（例えば図１〜１９の２１，２１'，４５０，４５６）のいずれかに類似しているとよい。第２ハウジング部分５５０は、上述した注射部位モジュール１０３（例えば図７〜１９）に類似しているとよい注射部位区分５０３を含む（つまりこれと一体的である）か、これに接続されるとよい。注射部位区分の他の例は、限定的ではないが、２００９年９月２日に「挿入装置システムおよび方法」の名称で出願された特許文献８４に記載されており、その内容全体が参照により本願に援用される。
【０１４４】
第１ハウジング部分５３０は、第２ハウジング部分５５０および／または第２ハウジング部分５５０の注射部位区分５０３に固定するためのものであるとよい。いくつかの実施形態では、第１ハウジング部分５３０が注射部位区分５０３および第２ハウジング部分５５０に固定される前に、第２ハウジング部分５５０が利用患者の皮膚に固定されるとよい。別の実施形態では、第２ハウジング部分５５０が利用患者の皮膚に固定される前に、第１ハウジング部分５３０が第２ハウジング部分５５０および／または第２ハウジング部分５５０の注射部位区分５０３に固定されるとよい。
【０１４５】
第２ハウジング部分５５０は、タンク（例えば図１〜６Ｃのタンクシステム４０）からの流体媒体を収容するための収容部構造５１０を含むか、これに接続されるとよい。収容部構造と、さらに二つ以上のハウジング部分を接続するための接続構造の様々な例は、限定的ではないが、特許文献８４に記載されており、その内容全体が参照により本願に援用される。いくつかの実施形態において、収容部構造５１０は、注射部位区分５０３を格納する第２ハウジング部分５５０の区分に隣接する第２ハウジング部分５５０の一部であるとよい。他の実施形態では、第２ハウジング部分５５０に接続されるかこれと一体的であるハウジングを収容部構造５１０が含むとよい。このような実施形態において、収容部構造５１０は、注射部位区分５０３から独立および離間しているか、注射部位区分５０３に隣接しているとよい。いくつかの実施形態において、注射部位区分５０３が異なるハウジングに配置され、チューブ類または他の流体導管を介して例えば収容部構造に接続されるとよい。
【０１４６】
第２ハウジング部分５５０は流体導管５２４を含むとよい。流体導管５２４は、限定的ではないが、針、カニューレ、穿刺部材、および／またはその他である（またはこれと流体連通状態にある）とよい。流体導管５２４は収容部構造５１０から注射部位区分５０３までの流路となるとよい。流体導管５２４は、収容部構造５１０の中に配置された支持構造により支持されるとよい。いくつかの実施形態において、支持構造は収容部構造５１０と一体的な壁でよい。他の実施形態において、支持構造は、収容部構造５１０に対して概ね固定されて収容部構造５１０との略固着関係で流体導管５２４を支持することのできる何らかの適当な構造であればよい。
【０１４７】
流体導管５２４は、例えばタンクから利用患者へ／利用患者からタンクへ流体を搬送するため適当な方法で配設されるとよい。図２３および２４において、流体導管５２４は、注射部位区分５０３の一部分の周囲で曲がるように配設されている。こうして様々な実施形態では、直線状流体導管、カーブ状流体導管、またはその他などを含む適当な方法で、流体導管５２４が第２ハウジング部分５５０に設けられるとよい。
【０１４８】
図２０Ａ〜２４を参照すると、流体導管５２４は、金属、プラスチック、セラミック、複合材料、ガラス、またはその他を限定的でなく含む適当な剛性材料で製作されるとよく、流体導管５２４の長さ方向寸法に延在する中空流路を有するとよい。流体導管５２４の中空流路は、限定的ではないが流体導管５２４の第１端部など、流体導管５２４の長さ方向寸法に沿った箇所５２４ａで開口しているとよい。流体導管５２４の中空流路は、限定的ではないが流体導管５２４の第１端部と反対にある流体導管５２４の第２端部など、流体導管５２４の長さ方向寸法に沿った別の箇所５２４ｂで開口しているとよい。いくつかの実施形態では、流体導管５２４の開口部５２４ｂは注射部位区分５０３との流体連通状態で接続されるとよい。
【０１４９】
いくつかの実施形態では、例えば流体導管５２４の先鋭端部（例えば５２４ｂ）により穿刺可能である隔壁５２６を、流体導管５２４の一つ以上の開口部が備えるとよい。このような実施形態では、第１ハウジング部分５３０が第２ハウジング部分５５０に接続される際に、タンクを有する第１ハウジング部分５３０により隔壁５２６が先鋭端部に押圧されるように、先鋭端部は隔壁５２６の表面を向いているとよい。隔壁５２６は、限定的ではないが天然または合成ゴム材料、シリコン、またはその他などの針（またはその他）により穿刺可能である適当な材料で製作されるとよい。いくつかの実施形態では、流体導管（および／またはその他）が隔壁５２６を穿刺し続いて隔壁５２６から引き抜かれた後に自己密封が可能である自己密封材料で、隔壁５２６が製作されるとよい。
【０１５０】
いくつかの実施形態では、容器に隔壁が設けられるとよい。隔壁は、隔壁５２６に類似したものでよい。隔壁は、流体導管５２４の先鋭端部（例えば５２４ｂ）により穿刺可能であるとよい。このような実施形態では、第１ハウジング部分５３０が第２ハウジング部分５５０に接続される際に先鋭端部が隔壁を穿刺するように、先鋭端部が表面を向いているとよい。
【０１５１】
注射部位区分５０３は、第２ハウジング部分５５０に延在する流路５４０を含むとよい。流路５４０は、第２ハウジング部分５５０の底面（つまり利用患者の皮膚と接触するための表面）に開口端部５４０ａを有するとよい。流路５４０は、注射部位区分５０３の上面（つまり利用患者の皮膚と接触する表面と反対の表面）に別の開口端部５４０ｂを有するとよい。流路５４０は、例えば開口部５２４ｂを介して流体導管５２４が流路５４０との流体連通状態になるようにするための開口部５４０ｃを有するとよい。
【０１５２】
各々の内容全体が参照により本願に援用される、特許文献８４、特許文献７、および特許文献１に記載されているものなど、挿入構造、針、および／またはカニューレを収容するのに適当な形状およびサイズを有する流路区分５４２を流路５４０が含むとよい。
【０１５３】
様々な挿入具の他の例は、特許文献９に記載されており、その内容全体が参照により本願に援用される。針および／またはカニューレを挿入するのに使用される（または使用のため変形される）針／カニューレ挿入具の他の例は、例えば、特許文献１０、および／または特許文献１１に記載されており、その両方の内容全体が参照により本願に援用される。
【０１５４】
様々な挿入具の別の例は、限定的ではないが、特許文献１、特許文献２８、特許文献２９、「挿入セットのための挿入装置およびその使用方法」という名称の特許文献８６に記載されており、これらすべての内容全体が参照により本願に援用される。
【０１５５】
第１ハウジング部分５３０は、上述したタンクシステム４０（例えば図１〜６Ｃ）またはその他と類似しているかこれを含むタンクハウジング５０８を支持するとよい。第１ハウジング部分５３０のタンクハウジング５０８は、いくつかの実施形態において、タンクハウジング５０８のポート部分であるとよい接続部分５３１を含むとよい。タンクハウジング５０８の接続部分５３１は、第２ハウジング部分５５０と第１ハウジング部分５３０とが一緒に接続された時に第２ハウジング部分５５０の収容部構造５１０の開口部５１２に少なくとも部分的に嵌着するのに適当な形状およびサイズを有するとよい。
【０１５６】
図２０Ａ，２１Ａ，２２Ａの図面では、第２ハウジング部分５５０および第１ハウジング部分５３０が部分的に分離した分断関係で示されており、タンクハウジング５０８の接続部分５３１は収容部構造５１０の開口部５１２の外側にある。第１ハウジング部分５３０を第２ハウジング部分５５０に対して第１方向Ａに移動または摺動させて第１ハウジング部分５３０と第２ハウジング部分５５０とを接合することにより、図２１Ｂに示されているように、タンクハウジング５０８の接続部分５３１が第２ハウジング部分の収容部構造５１０の開口部５１２へ挿入可能である。第２ハウジング部分５５０および第１ハウジング部分５３０の連続的な相対移動は、図２１Ｃに示されているように流体導管５２４をタンクハウジング５０８へ延出させる。いくつかの実施形態では、第２ハウジング部分５５０および第１ハウジング部分５３０の連続的な相対移動は、流体導管５２４の先鋭端部（例えば５２４ｂ）に収容部構造５１０および／またはタンクハウジング５０８の一つ以上の隔壁を通過させる。
【０１５７】
図２０〜２４に戻ると、こうして、第１ハウジング部分５３０が位置Ｐまで移動するように第２ハウジング部分５５０と第１ハウジング部分５３０とが接合される（例えば図２０Ｃ，２１Ｃ，２２Ｃ）と、流体導管５２４がタンクハウジング５０８の内部空間に延出した状態で接続部分５３１の少なくとも一部分が収容部構造５１０の内側に延出するとよい。こうして流体導管５２４は、タンクハウジング５０８の内部空間と注射部位区分５０３または流体導管５２４の開口部５２４ｂにある他の構造との間に流体流路を形成するとよい。付加的または代替的に、二つの構成要素を接合するように、第２ハウジング部分５５０が第１ハウジング部分５３０に対して第１方向Ａに摺動可能であるとよい。
【０１５８】
収容部構造５１０および接続部分５３１は、第２ハウジング部分５５０および第１ハウジング部分５３０が接続される際に例えばスナップまたは摩擦接続を行う係合コネクタを備えるとよい。いくつかの実施形態では、収容部構造５１０および接続部分５３１の一方または他方の突起部（不図示）を係合コネクタが含むとよい。接続部分５３１が収容部構造５１０へ適当な距離だけ延出する際にスナップ嵌め式に相互嵌合するように配設された溝部またはくぼみ（不図示）を、収容部構造５１０および接続部分５３１の他方が含むとよい。
【０１５９】
様々な実施形態において、第２ハウジング部分５５０および第１ハウジング部分５３０は相互に装着可能かつ取外し可能であって、特定の実施形態では相互に動作嵌合および解離するように相対的に摺動可能である構成を持つとよい。すなわち、二つの構成要素を接続する（例えば第１ハウジング部分５３０が位置Ｐにある）ように、第１ハウジング部分５３０は第２ハウジング部分５５０に対して第１方向Ａに摺動可能であるとよい。同様に、二つの構成要素を分断するように、第１ハウジング部分５３０が第２ハウジング部分５５０に対して第１方向Ａと反対の第２方向に摺動可能であってもよい。
【０１６０】
別の実施形態では、第１方向Ａにおける第１ハウジング部分５３０の摺動により、第１ハウジング部分５３０のタンクハウジング５０８を第２ハウジング部分５５０の流体導管５２４と動作嵌合させるとよい。ゆえにいくつかの実施形態では、第１ハウジング部分５３０を第２ハウジング部分５５０に接続するための例えば第１方向Ａの摺動動作は、第１ハウジング部分５３０のタンクハウジング５０８を第２ハウジング部分５５０の流体導管５２４に接続するための摺動動作と同じでよい。こうしていくつかの実施形態では、単一の動作で、第１ハウジング部分５３０および第２ハウジング部分５５０が接続されるとともに、流体導管５２４およびタンクハウジング５０８が接続されるとよい。このような実施形態は、流体導管５２４によるタンクハウジング５０８の嵌合を簡易化する。
【０１６１】
図２０Ａ〜２４を参照すると、いくつかの実施形態において第２ハウジング部分５５０は、摺動動作での第１ハウジング部分５３０と第２ハウジング部分５５０との接続（または取外し）を簡易化するために使用されるとよい少なくとも一つのアーム５５４、レール、または他の隆起表面を含むとよい。別の実施形態では、アーム５５４に固着されるか、さもなければアーム５５４から片持ち梁式に延出する凸状部５５５をアーム５５４が含むとよい。さらに説明するように、第２ハウジング部分５５０と第１ハウジング部分５３０とを接続する際にこれら二つの構成要素を整合させるのに、アーム５５４および凸状部５５５が使用されるとよい。さらに、第１ハウジング部分５３０を第２ハウジング部分５５０にロックして、例えば第１方向Ａと交差する軸方向における第２ハウジング部分５５０からの第１ハウジング部分５３０の分離を阻止するのに、アーム５５４および凸状部５５５が使用されてもよい。ゆえに、アーム５５４および凸状部５５５は、第１ハウジング部分５３０が第２ハウジング部分５５０から落下するか引き抜かれることを防止するとよい。
【０１６２】
第１ハウジング部分５３０と第２ハウジング部分５５０との間の接続を簡易化する少なくとも一つの溝部、切欠き、凹所、間隔、小孔、および／またはその他を第１ハウジング部分５３０が含むとよい。例えば、第２ハウジング部分５５０に配置された凸状部（例えば凸状部５５５）または他の延出部材を収容するための内側凹所５３４を、第１ハウジング部分５３０が含むとよい。
【０１６３】
いくつかの実施形態では、第２ハウジング部分５５０と第１ハウジング部分５３０とを一緒に接続するため、図２０Ａ，２１Ａ，２２Ａに示されているように第１ハウジング部分５３０の凸状部５３４が第２ハウジング部分５５０の凹所５５８に載置されるとよい。凸状部５３４が凹所５５８に位置決めされ易くなるように、凹所５５８は例えば凸状部５３４のサイズを越える大きめサイズであるとよい。凸状部５３４は、第１ハウジング部分５３０のアーム５３２に固着されるか、あるいはこれから延出するとよい。
【０１６４】
凸状部５３４およびアーム５３４が凹所５３８にある状態で、第１ハウジング部分５３０が第２ハウジング部分５５０に対して第１方向Ａに摺動されるとよい。こうすることにより、第２ハウジング部分５５０のアーム５５４にある凸状部５５５が、第１ハウジング部分５３０の内側凹所５３４へ摺入されるとよい。第２ハウジング部分５５０と第１ハウジング部分５３０との連続的な相対移動は、図２０Ｂ，２１Ｂ，２２Ｂに示されているように、第１ハウジング部分５３０の内側凹所５３４および隣接の凸状部５３４に沿って凸状部５５５を摺動させるとよい。こうして、第１ハウジング部分５３０に支持されているタンクが第２ハウジング部分５５０の流体導管５２４へ摺動するか他の形で移動して、図２０Ｃ、２１Ｃ，２２Ｃに示されているように流体導管５２４をタンクハウジング５０８の内部空間と嵌合させるとよい。
【０１６５】
ゆえに、いくつかの実施形態では、一回の動作で、第２ハウジング部分５５０と第１ハウジング部分５３０とが動作嵌合するとともにタンクハウジング５０８と流体導管５２４とが動作嵌合するとよい。言い換えると、第１ハウジング部分５３０を第２ハウジング部分５５０に嵌合させる動作（例えば第１方向Ａでの摺動）が、流体導管５２４をタンクに嵌合させるための動作と同じ動作であるとよい。別の実施形態では、第２ハウジング部分５５０の凸状部５５５と第１ハウジング部分５３０の凸状部５３３との嵌合が、第１方向Ａと交差する軸方向における第２ハウジング部分５５０と第１ハウジング部分５３０との分離を阻止するとよい。
【０１６６】
付加的または代替的に、前述のように第１ハウジング部分５３０のアームおよび／または凸状部を収容するための凸状部および／または凹所を有するアームが、第２ハウジング部分５５０に設けられるとよい。こうして、第１ハウジング部分５３０と第２ハウジング部分５５０とが例えば第１方向Ａにおいて相対的に摺動する時に、第１ハウジング部分５３０と第２ハウジング部分５５０とが上述した方法で動作嵌合するとよい。
【０１６７】
別の実施形態では、例えば流体導管５２４がタンクハウジング５０８の内部空間と充分に嵌合した（例えば第１ハウジング部分が位置Ｐまで移動した）後で第２ハウジング部分５５０に対する第１ハウジング部分５３０のさらなる移動を防止する停止面５５６を、第２ハウジング部分５５０が備えるとよい。例を挙げると、第１ハウジング部分５３０が充分に前進した後で第１ハウジング部分５３０の一部分が停止面５５６と接触して、第１ハウジング部分５３０のさらなる前進を実質的に防止するとよい。このような実施形態では、第２ハウジング部分５５０と第１ハウジング部分５３０との接続の際の過剰な力、速度、および／またはその他によるダメージから、タンクハウジング５０８および／または流体導管５２４を付加的に保護することが可能である。他の実施形態では、第２ハウジング部分５５０の停止面５５６に加えて、またはこれに代わって、第１ハウジング部分５３０に停止面が設けられるとよい。
【０１６８】
いくつかの実施形態では、第１ハウジング部分５３０のアーム５３２および／または他の部分が、接続プロセス中に第１ハウジング部分５３０を把持する際に利用患者を助ける切欠き、凹所、または表面（不図示）を含むとよい。いくつかの実施形態では、第２ハウジング部分５５０の一部分が、接続プロセス中に第２ハウジング部分５５０を把持する際に利用患者を助ける切欠き、凹所、または表面（不図示）を含むとよい。
【０１６９】
図２５Ａ〜２６Ｂを参照すると、いくつかの実施形態では、第１ハウジング部分５３０と第２ハウジング部分５５０とを接続するためにダブテール接続構造（不図示）が設けられるとよい。例えば、第１ハウジング部分５３０および第２ハウジング部分５５０の一方が、第１ハウジング部分５３０および第２ハウジング部分５５０の他方の突出面またはダブテール５４２を収容するための溝部５６２を有するとよい。ダブテール５４２の一部分が溝部５６２に載置されるか、溝部５６２へ摺動される。溝部５６２に沿ってダブテール５４２を第１方向に（例えば摺動で）さらに移動させて、第１ハウジング部分５３０と第２ハウジング部分５５０とを上述の方法で接続するとよい。いくつかの実施形態では、溝部５６２へのダブテール５４２の載置を容易にするため、溝部５６２および／またはダブテール５４２がテーパ状であるとよい。
【０１７０】
いくつかの実施形態では、ダブテール５４２が溝部５６２に沿って第１方向Ａに前進する際に例えば摩擦嵌めでダブテール５４２を溝部５６２に固定するように、溝部５６２またはダブテール５４２がテーパ状であるとよい。例えば、図２５Ａおよび２５Ｂに示されているように、溝部５６４の幅寸法は、第２ハウジング部分５５０の前端部５５２の反対側で最も大きく第１方向Ａの方向に幅寸法が狭くなるように、テーパ状であるとよい。したがって、このような実施形態では、溝部５６４へのダブテール５４２の載置を簡易化して、溝部５６４を画定する表面によりダブテール５４２が案内される際に第１ハウジング部分５３０を整合させる、および／または溝部５６４を画定する表面にダブテール５４２を摩擦嵌め式に固定することができる。付加的または代替的に、上述のように第１ハウジング部分５３０に溝部５６４が設けられるとよく、第２ハウジング部分５５０にはダブテール５４２が設けられるとよい。
【０１７１】
図２６Ａおよび２６Ｂに示された別の例では、ダブテール５４４の前端部がダブテール５４４の後方部分よりも狭くなるように、ダブテール５４４がテーパ状であるとよい。したがってこのような実施形態は、溝部５６２へのダブテールの５４４の載置を簡易化して、溝部５６２を画定する表面によりダブテール５４４が案内される際に第１ハウジング部分５３０を整合するおよび／または溝部５６２を画定する表面にダブテール５４４を摩擦嵌め式に固定することを可能にする。付加的または代替的に、上述した方法で、第１ハウジング部分５３０に溝部５６２が設けられるとよく、第２ハウジング部分５５０にはダブテール５４４が設けられるとよい。
【０１７２】
図２０Ａ〜２４に戻ると、いくつかの実施形態において、アーム５５４および／または凸状部５５５が第２ハウジング部分５５０に対して傾斜していて、第１ハウジング部分５３０を第２ハウジング部分５５０に接続する際にさらなる整合を行うとよい。例えば、アーム５５４および／または凸状部５５５が（第２ハウジング部分５５０の前端部５５２に対して）外向きに傾斜していて、第１ハウジング部分５３０のアーム５３２、凸状部５３４、および／または内側凹所５３３との嵌合を簡易化するとよい。こうして、第１ハウジング部分５３０のアーム５３２は凹所５５８に載置されて第１方向Ａに前進され、凸状部５３４および／または内側凹所５３３を傾斜アーム５５４および／または凸状部５５５と当接させるだけでよく、ここで第１ハウジング部分５３０を移動させ続けると、傾斜アーム５５４および／または凸状部５５５が第１ハウジング部分５３０のアーム５３２を案内する。このような実施形態では、アーム５３２、凸状部５３４、および／または第１ハウジング部分５３０全体は、第１ハウジング部分５３０の一部分が傾斜アーム５５４および／または凸状部５５５に沿って移動する際にいくらか撓曲するように、プラスチック、複合材料、および／またはその他など、充分な可撓性を持つ材料で製作されるとよい。
【０１７３】
図２３および２４に示された実施形態など、いくつかの実施形態では、第２ハウジング部分５５０に沿って第１ハウジング部分５３０を案内するように、一つ以上のレール５５９、隆起部、または他の隆起表面が第２ハウジング部分５５０に設けられるとよい。レール５５９は、相互に平行であっても非平行であってもよい。レール５５９は、第１ハウジング部分５３０が摺動する開口部５５７を画定するとよい。いくつかの実施形態では、第２ハウジング部分５５０の（一部分または全体の）周縁部にレール５５９があるとよく、いくつかの実施形態では、例えば図２７Ａ〜２７Ｃで説明されているもののように、第２ハウジング部分５５０（および／または第１ハウジング部分５３０）の上の（例えば周縁部の内側または周縁部から離間した）適当な箇所に、レール５５９が配設されるとよい。
【０１７４】
別の実施形態では、第２ハウジング部分５５０と第１ハウジング部分５３０との整合および／または接続を簡易化するように、レール５５９が配設されるとよい。例えば、図２７Ａ〜２７Ｃなどに示されているように、対向レール５５９は、相互に非平行となるように第２ハウジング部分５５０に配設されるとよい。第１ハウジング部分５３０が開口部５５７に位置決めされ易くなるように第１ハウジング部分５３０の幅寸法よりも大きい（または少なくとも第１ハウジング部分５３０の前方部分の幅寸法よりも大きい）幅寸法を有する大きめサイズの開口部５５７を設けるように、レール５５９が（第２ハウジング部分５５０の前端部５５２に向かって）内側に傾斜しているとよい。こうして、第２ハウジング部分５５０の前端部５５２に向かって第１方向Ａに、第１ハウジング部分５３０が前進されるとよい。第１ハウジング部分５３０が前端部５５２に向かって前進されるが若干の不整合が見られる場合には、第１ハウジング部分５３０の一部分がレール５５９の少なくとも一つと接触（例えば図２７Ｂ）し、この時、第１ハウジング部分５３０を第１方向Ａに連続的に移動させると、接触したレール５５９が第１ハウジング部分５３０を整合位置へ案内するとよい。
【０１７５】
他の実施形態において、レール５５９は相互に平行であって、他のレール５５９の表面５５９ａに対して非平行である表面５５９ａを、レール５５９の各々が有するとよい。図２８Ａ〜２８Ｃに示されているように、レール５５９の各々の表面５５９ａは相互に対向しているとよい。こうして、第１ハウジング部分５３０は、第２ハウジング部分５５０の前端部５５２に向かって第１方向Ａに前進されるとよい。第１ハウジング５３０が前端部５５２に向かって前進されるが若干不整合である場合には、第１ハウジング部分５３０の一部分がレール５５９の表面５５９ａの少なくとも一方と接触して（例えば図２８Ｂ）、この時、第１ハウジング部分５３０を第１方向Ａに継続的に移動させると、接触した表面５５９ａが第１ハウジング部分５３０を整合位置へ案内するとよい。
【０１７６】
ゆえに、一つ以上のレール５５９を含む様々な実施形態では、（例えば、第１ハウジング部分５３０が第１方向Ａに移動する際など）摺動動作の開始時に若干の横方向不整合が見られる。このような実施形態ではさらに、第１方向Ａに摺動動作が続く際に第１ハウジング部分５３０を第２ハウジング部分５５０との正しい整合状態へ押入または案内することができる。
【０１７７】
図２７Ａ〜２７Ｃおよび２８Ａ〜２８Ｃを参照すると、別の実施形態において、第１ハウジング部分５３０がレール５５９により整合位置に載置されると、図２０Ａ〜２６Ｂに関して前述したように、第１ハウジング部分５３０と第２ハウジング部分５５０とが相互に嵌合するとよい。例えば、第１ハウジング部分５３０が第１方向Ａに摺動する際に、第２ハウジング部分５５０のアーム５５４および凸状部５５５が第１ハウジング部分５３０のアーム５３２と嵌合するとよい。別の例を挙げると、第１ハウジング部分５３０のダブテール（例えば５４２）は、第２ハウジング部分５５０の溝部（例えば５６２）を画定する表面と嵌合するとよい。
【０１７８】
図２３を参照すると、いくつかの実施形態では、第１ハウジング部分５３０の凸状部または突起部（不図示）を収容するための凹状部５６６を、第２ハウジング部分５５０が有するとよい。凸状部は、可撓性であるか、第１ハウジング部分５３０の可撓性部分に支持されるとよい。図２３では、第２ハウジング部分５５０の後方部分に凹状部５６６が設けられているが、他の実施形態では、適当ないずれかの箇所に凹状部５６６が設けられればよい。上述したような第１ハウジング部分５３０と第２ハウジング部分５５０との摺動接続の間、凸状部は凹状部５６６によって収容されて、凹状部５６６を画定する表面により案内されるとよい。
【０１７９】
突起部５６７は、第１ハウジング部分５３０が第１方向Ａに移動（例えば摺動）する際に凸状部を内向き（または外向き）に案内するか撓曲させるように、第２ハウジング部分５５０に配設されるとよい。すなわち、第１方向Ａと交差する方向に凸状部を案内するか撓曲させるように突起部５６７が配設されるとよいのである。第１ハウジング５３０が突起部５６７を越えて第１方向Ａに移動を続けると、第２ハウジング部分５５０の空洞５６８または空洞５６８を画定する当接部へ、凸状部を外向き（または内向き）に撓曲させる。
【０１８０】
第１ハウジング部分および第２ハウジング部分５５０の寸法と、凹状部５６６、空洞５６８および凸状部の構成とは、第１ハウジング部分５３０が位置Ｐまで移動すると凸状部が空洞５６８へ入るように選択されるとよい。上記のように、第１ハウジング部分５３０を位置Ｐまで移動させると、例えば、流体導管５２４をタンクハウジング５０８の内部空間と嵌合させる（つまりこれとの流体連通状態に置く）。
【０１８１】
利用患者が凸状部を内向き（または外向き）に押して凸状部を動かし凸状部に突起部５６７を越えさせるまで、凸状部は空洞５６８に残るとよい。こうして、第１ハウジング部分５３０が第１方向Ａと反対の第２方向に移動して、例えば第１ハウジング部分５３０および第２ハウジング部分５５０を解離させるとよい。付加的または代替的に、上述したように凸状部を保持するための突起部および空洞とともに、第２ハウジング部分５５０の凸状部を摺動式に収容するための凹状部を第１ハウジング部分５３０が有するとよい。いくつかの実施形態において、凸状部および凹状部５６６は、例えば図２５Ａ〜２６Ｂに関して説明されるようなダブテール（例えば５４２）および溝部（たとえば５６２）であるとよい。
【０１８２】
図２０Ａ〜２８Ｃを参照すると、別の実施形態において、第２ハウジング部分５５０および第１ハウジング部分５３０の一方または両方に少なくとも一つの磁石（不図示）が設けられるとともに、第２ハウジング部分５５０および第１ハウジング部分５３０の他方には、限定的ではないが金属、反対極の磁石、またはその他などの磁気吸引材料（不図示）が設けられるとよい。磁石および磁気吸引材料の各々は、第２ハウジング部分５５０および第１ハウジング部分５３０が正しく接続されるか、あるいは規定の充分な整合位置および／または規定の充分な近接状態に置かれる際に相互作用を行う箇所に配設されるとよい。規定の整合位置および／または近接状態は、例えば、動作のため第１ハウジング部分５３０および第２ハウジング部分５５０を接続するための適切な整合・相互近接位置に相当するとよい。
【０１８３】
第１ハウジング部分５３０が第２ハウジング部分５５０に対して位置Ｐまで移動する際に相互作用を行うため、磁石および磁気吸引材料が一つ以上の箇所に設けられるとよい。例を挙げると、第１ハウジング部分５３０が位置Ｐまで移動する場合には、ハウジング部分の一方の磁石がハウジング部分の他方の磁石（または吸引材料）と相互作用を行って、例えばハウジング部分を接続するおよび／または整合させるとよい。磁気接続・整合構造および他の整合・接続構造の例は後で説明され、また、限定的ではないが、「特許文献３０にも記載されており、その内容全体が参照により本願に援用される。
【０１８４】
図２９Ａおよび２９Ｂに示された実施形態など、いくつかの実施形態では、第１ハウジング部分５３０と第２ハウジング部分５５０とが接続されるが不整合状態である場合に第１ハウジング部分５３０および第２ハウジング部分５５０を例えば横方向に整合させるように構成された磁石を、第１ハウジング部分５３０および第２ハウジング部分５５０が含むとよい。例を挙げると、第１ハウジング部分５３０と第２ハウジング部分５５０とが不整合状態である場合に相互に対向するように磁石が構成されるとよい。例えば、同じような極方向を持つ表面を磁石の各々が有するとよい。例を挙げると、第１ハウジング部分に支持されている磁石５８２（図２９Ａおよび２９Ｂでは不図示）は、第２ハウジング部分５５０に支持されている一つ以上の磁石５７２と対向しているとよい。例えば、磁石５８２は第１極性（例えばＮ極）の表面を有して、一つ以上の磁石５７２の各々は磁石５８２の第１極性と似た極性（例えばＮ極）の表面を有するとよい。
【０１８５】
いくつかの実施形態において、一つ以上の磁石５７２は第１磁石５７４ａと第２磁石５７４ｂとを包含するとよい。第１磁石５７４ａと第２磁石５７４ｂとの間には、間隙５７３が設けられるとよい。このような実施形態では、第１ハウジング部分および第２ハウジング部分５５０は、例えば前述したように摺動式に接続されるとよい。第１ハウジング部分５８２が第１方向Ａに移動する際に、磁石５８２が一つ以上の磁石５７２に沿って案内されるとよい。例えば、間隙５７３において第１磁石５７４ａと第２磁石５７４ｂとの間で磁石５８２が移動するとよい。このような実施形態では、第１ハウジング部分と磁石５８２との横方向不整合が、対向する一つ以上の磁石５７２によって阻止されるとよい。
【０１８６】
図３０Ａおよび３０Ｂに示されているような別の実施形態では、第２ハウジング部分５５０に支持されている一つ以上の磁石５７２は、第１ハウジング部分に支持されている磁石５８２（図３０Ａおよび３０Ｂでは不図示）に吸引される第３磁石５７６を含むとよい。例えば、第３磁石は、磁石５８３の第１極性と反対の第２極性（例えばＳ極）を有するとよい。いくつかの実施形態では、金属、鉄導管、またはその他などの磁気吸引材料（磁石ではなく）を一つ以上の磁石５７２が含むとよい。
【０１８７】
様々な実施形態では、前述したように摺動式に第１ハウジング部分５３０および第２ハウジング部分５５０が接続されるとよい。第１ハウジング部分が第１方向Ａに移動する際に、磁石５８２（および／または磁気吸引材料）が一つ以上の磁石５７２に沿って案内されるとよい。例えば、第３磁石５７６の上において第１磁石５７４ａと第２磁石５７４ｂとの間で磁石５８２が移動するとよい。このような実施形態では、対向する一つ以上の磁石５７２により、および／または磁石５８２と第３磁石５７６（および／または磁気吸引材料）との間の吸引により、第１ハウジング部分と磁石５８２との横方向不整合が阻止されるとよい。
【０１８８】
図２９Ａ〜３０Ｂを参照すると、いくつかの実施形態において、例えば図２５Ａ〜２８ｃに記載されたレール５５９およびダブテール構造に関して説明された方法で、磁石（例えば５８２，５７２）が配設されるとよい。例を挙げると、図２９Ａ〜３０Ｂに戻って、第１磁石５７４ａおよび第２磁石５７４ｂは、２７Ａ〜２８Ｃで説明されているように相互に非平行に配設されるとよい。別の例であるが、例えば図２５Ａ〜２６Ｂに説明されているように間隙５７３が第１方向Ａに狭くなるように、第１磁石５７４ａおよび第２磁石５７４ｂが配設されるとよい。
【０１８９】
図２０Ａ〜３０Ｂを参照すると、いくつかの実施形態では、第２ハウジング部分５５０および第１ハウジング部分５３０の一方に少なくとも一つのラッチ（不図示）またはその他が設けられるとよい。第２ハウジング部分５５０と第１ハウジング部分５３０とが動作嵌合する（例えば第１ハウジング部分５３０が位置Ｐまで移動する）時に、第２ハウジング部分５５０および第１ハウジング部分５３０の他方にある小孔（不図示）、嵌合部材、および／またはその他と嵌合するように、ラッチが構成されるとよい。
【０１９０】
別の実施形態では、小孔（またはその他）と手で嵌合および／または解離させるようにラッチが構成されるとよい。例を挙げると、第１ハウジング部分５３０を第２ハウジング部分５５０に対して嵌合および／または解離させるように押入可能な（例えばハウジング部分に対して内向きに押圧される）構成をラッチが持つとよい。例を挙げると、（例えば内側への）ラッチの押入動作がラッチの各々を対応の小孔（またはその他）から解除して第１ハウジング部分５３０が第２ハウジング部分５５０から取り外されるように、第１ハウジング部分５３０の各側にラッチが設けられるとよい。
【０１９１】
また別の実施形態では、第１ハウジング部分５３０と第２ハウジング部分５５０とが正しく接続されていない場合に第１ハウジング部分５３０と第２ハウジング部分５５０とを離間させるようにラッチが構成されるとよい。例えば、位置Ｐに達するのに充分なほど第１ハウジング部分５３０が第２ハウジング部分５５０に対して摺動していない場合には、ラッチが第１ハウジング部分５３０を反対方向に押圧して利用患者が接続プロセスを繰り返すことができるとよい。このような実施形態では、ばね、弾性材料、および／またはその他などの付勢部材（不図示）が、ラッチに設けられるとよい。付勢部材は、第１ハウジング部分５３０を第１方向Ａと反対の方向に付勢するとよい。こうして、第１ハウジング部分５３０が第２ハウジング部分５５０に対して第１方向Ａに充分に移動する（例えば位置Ｐ）場合には、ラッチが小孔（またはその他）と嵌合するとよい。第１ハウジング部分５３０が第２ハウジング部分５５０に対して第１方向Ａに充分に移動していない場合には、付勢部材が第１ハウジング部分５３０を第１方向Ａと反対の方向に付勢して、利用患者が接続プロセスを反復できるようにするとよい。
【０１９２】
いくつかの実施形態では、ラッチおよび／またはラッチの相対位置、例えばラッチまたはラッチに設けられたものの検出可能な特徴を検知するために、センサ（不図示）が設けられるとよい。こうして、センサはラッチが小孔（またはその他）と正しく嵌合したかどうかを判断して、第２ハウジング部分５５０と第１ハウジング部分５３０とが正しく接続された（例えば第１ハウジング部分５３０が位置Ｐにある）と判断することができる。センサ、検出可能特徴、およびその他の例は、限定的ではないが、「整合システムおよび方法」の名称で２００９年１２月３０日に出願された特許文献８７に記載されており、その内容全体が参照により本願に援用される。
【０１９３】
開示全体にわたって説明されるように一つ以上のセンサおよび／または他の構成要素を選択的に起動させるか他の方法で制御するため被制御電力信号を提供するように、適当な電子機器がセンサに接続されるとよい。例えば、接続可能な構成要素の一つまたは適当な制御電子機器を通してセンサと無線通信接続された遠隔制御装置（不図示）にある制御ボタン、スイッチ、または他の手動操作部の一つを手で起動させた際に起動するように、センサが制御されるとよい。別の例としては、ボタンの起動および／またはその他などの所定の動作の後で、または一定時間量の後で自動的に起動するようにセンサが制御されてもよい。いくつかの実施形態では、限定的ではないが、針またはカニューレを挿入する針挿入器など特定の構成要素または装置の起動または挿入の際に起動するように、センサが制御されてもよい。
【０１９４】
様々な針挿入具の例は、限定的ではないが、特許文献２８、特許文献７１、特許文献２９に記載されており、これらすべての内容全体が参照により本願に援用される。ゆえにこのような例では、例えば第１ハウジング部分５３０と第２ハウジング部分５５０とが動作嵌合状態となる前または後に、センサが起動されるとよい。
【０１９５】
医療機器システム９００が二つの部品つまり第１ハウジング部分９０１および第２ハウジング部分９０２を包含する図３１Ａ〜３３Ｂを参照して、接続および／または整合構造の別の例が説明される。他の実施形態は、三つ以上の部品を備える医療機器システムを含んでもよい。
【０１９６】
医療機器システム９００は、医療機器システム５００（例えば図２０Ａ〜３０Ｂ）および／または開示全体にわたって記載される他の医療機器システム（例えば図１〜１９）の実施形態と類似しているか、このような実施形態として採用されるとよい。医療機器システム９００は図２０Ａ〜３０Ｂの実施形態に類似しているか、これらの実施形態とともに使用される特徴を含むとよいが、医療機器システム９００が、図１〜１９および３４Ａ〜３６の実施形態に図示および説明されたものと同じ特徴のいくつかまたはすべてを含み、これと同じように機能してもよいことが理解されるべきである。加えて、図１〜３０Ｂおよび３４Ａ〜３６に示された特徴のいくつかまたはすべてが様々な方法で組み合わされて図３１Ａ〜３３Ｂに示された実施形態に含まれてもよい。同様に、図３１Ａ〜３３Ｂの実施形態の特徴のいずれかが図３１Ａ〜３３Ｂの他の実施形態のいずれか、さらにここに記載される他の実施形態と組み合わされるか他の形でこれに包含されてもよいことが理解されるべきである。
【０１９７】
様々な実施形態において、第１ハウジング部分９０１は、限定的ではないが、耐久性ハウジング部分３０（例えば図１〜１９）および廃棄用部分２０（例えば図１〜１９）など、説明したハウジング部分のいずれかであるとよい。特定の実施形態では、第１ハウジング部分９０１が第１ハウジング部分５３０（図２０Ａ〜３０Ｂ）に類似しているとよい。
【０１９８】
他にも様々な実施形態において、第２ハウジング部分９０２は、限定的ではないが、ベース部分２１（または図１〜１９の２１'，４５０，４５６など）、耐久性ハウジング部分３０、および廃棄用ハウジング部分など、上述したハウジング部分のいずれかであるとよい。特定の実施形態において、第２ハウジング部分９０２は第２ハウジング部分５５０（例えば図２０Ａ〜３０Ｂ）と類似しているとよい。このような実施形態では、例えば、医療機器システム９００の動作中に、第２ハウジング部分９０２が利用患者の皮膚に固定されるか、あるいは利用患者に携行される（例えばベルト、衣類、またはその他に固定される）とよい。
【０１９９】
第１ハウジング部分９０１は、第１主電気接点９１２と第２主電気接点９１６とを含む複数の電気接点９１０を含むとよい。複数の電気接点９１０は、一つ以上の副電気接点９１４も含むとよい。電気接点９１０は、金属、ゴム導電性パッド、さらに他の電気伝導体など、適当な材料で製作されるとよい。
【０２００】
いくつかの実施形態において、副電気接点９１４は第１主電気接点９１２と第２主電気接点９１６との間に配設されるとよい。しかし、副電気接点９１４が適当ないかなる箇所に配設されてもよい。副電気接点９１４は、第１主電気接点９１２および／または第２主電気接点９１４と同じ材料で製作されるとよい。他の実施形態では、第１主電気接点９１２および／または第２主電気接点９１４と異なる材料（例えば、異なる導電性材料または非導電性材料）で副電気接点９１４が製作されるとよい。
【０２０１】
第２ハウジング部分９０２は、第１ハウジング部分９０１と第２ハウジング部分９０２とを接続する際に電気接点９１０の少なくともいくつかとの短絡または電気接続を確立するように構成された短絡機構９２０またはその他を含むとよい。いくつかの実施形態では、第１ハウジング部分９０１と第２ハウジング部分９０２とが正しく接続されるか、あるいは規定の充分な整合位置および／または規定の充分な近接状態に置かれた場合に、電気接点９１０の少なくともいくつかとの電気接続を短絡機構９２０が確立するとよい。規定の整合位置および／または近接状態は、例えば、動作のための第１ハウジング部分９０１と第２ハウジング部分９０２との接続のために正しく接合された相互近接位置に相当するとよい。他の実施形態では、短絡機構９２０は既知抵抗またはその他でよい。
【０２０２】
短絡機構９２０は、第１ハウジング部分９０１にある該当の電気接点９１０と接触するための第１端部９２２および第２端部９２４を有するとよい。いくつかの実施形態では、第１ハウジング部分９１０と第２ハウジング部分９０２とが例えば図３１Ｂに示されているように正しく接続された時に該当の第１主電気接点９１２および第２主電気接点９１６と接触するように、第１端部９２２と第２端部９２４とが構成されるとよい。こうして、短絡機構９２０は第１主電気接点９１２および第２主電気接点９１６と接触するが副電気接点９１４とは接触しないとよい。電気接点９１０に接続された適当な回路網（不図示）は、第１ハウジング部分９１０と第２ハウジング部９０２との正しい接続を示す第１主電気接点９１２と第２主電気接点９１６との間の（短絡機構９２０を介した）電気接続または短絡を検出するように構成されるとよい。
【０２０３】
さらに、電気接点９１０および／または短絡機構９２０は、第１ハウジング部分９０１と第２ハウジング部分９０２とが図３１Ｃなどのように正しく接続されていない場合には第１主電気接点９１２と第２主電気接点９１６との間の電気接続が確立されないように、該当の部品に配設されるとよい。したがって、第１ハウジング部分９０１と第２ハウジング部分９０２とが正しく接続されていないことを、こうして示すとよい。
【０２０４】
図３１Ａ〜３１Ｃに戻ると、第１主電気接点９１２と第２主電気接点９１６との間に少なくとも一つの副電気接点９１４が配設されるいくつかの実施形態は、第１ハウジング部分９０１と第２ハウジング部分９０２との正しい接続についての誤検出を防止するとよい。例えば、第１主電気接点９１２と第２主電気接点９１６のみが（短絡機構により）接触している正しい接続とは異なる、散在する金属物体（例えば金属性のキー、紙クリップ、硬貨）または他の電気伝導体が第１主電気接点９１２、第２主電気接点９１６、および副接点９１４と接触している場合を、回路網が識別可能であるとよい。
【０２０５】
いくつかの実施形態では、第１端部９２２が第１主電気接点９１２と接触して第２端部９２４が第２主電気接点９１６と接触する時にのみ電気接続が確立されるだろう。他の実施形態では、第１端部９２２および第２端部９２４が該当の第１主電気接点９１２および第２主電気接点９１６と接触している場合、または第１端部９２２および第２端部９２４が該当の第２主電気接点９１６および第１主電気接点９１２と接触している場合に、電気接続が確立されるとよい。このような実施形態は、二つ以上の配向における第１ハウジング部分９０１および第２ハウジング部分９０２の正しい接続の検出を可能にする。
【０２０６】
図３１Ａ〜３１Ｃに示された実施形態では、三つの電気接点、つまり第１主電気接点９１２と、第２主電気接点９１６と、第１主電気接点９１２および第２主電気接点９１６の間に配設された副電気接点９１４とが設けられている。しかし、他の様々な実施形態では、必要に応じて適当な数の電気接点９１０が、第１ハウジング部分９０１に設けられてもよい。いくつかの実施形態では、主電気接点（例えば９１２，９１６）が最も外側の電気接点として配設される。しかし他の実施形態では、主電気接点は副電気接点９１４に対してどこに配設されてもよい。
【０２０７】
同様に、副電気接点は主電気接点の間での配設に限定される必要はなく、いくつかの実施形態では最も外側の電気接点となるように配設されてもよい。こうして、電気接点９１０（例えば主電気接点および副電気接点）は、適当な方法、例えば線形／非線形、等間隔／非等間隔、類似／可変の高さで第１ハウジング部分９０１に配設または他の形で設けられ、類似／可変の表面に、同じ／異なる抵抗、同じ／異なる材料で、および／またはその他の形で配設されるとよい。例を挙げると、図３２に示されているように、２個の第１主電気接点９１２、第１副電気接点９１４、第２主電気接点９１６、第２副電気接点９１４、および２個の第３主電気接点９１８を含む７個の電気接点９１０が設けられ得る。
【０２０８】
図３１Ａ〜３１Ｃに示された実施形態では、該当の第１主電気接点９１２および第２主電気接点９１６と接触するための二つの端部９２２，９２４を短絡機構９２０が有する。しかし、他の様々な実施形態では、必要に応じて電気接点９１０と接触するための適当な数の端部または接触面が短絡機構９２０に設けられるとよい。同様に、端部（例えば９２２，９２４）は何らかの適当な方法で短絡機構９２０に配設されるとよい。
【０２０９】
様々な実施形態では、電気接点９１０が第１ハウジング部分９０１に設けられるとよく、短絡機構９２０が第２ハウジング部分９０２に設けられるとよい。他の実施形態では、電気接点９１０が第２ハウジング部分９０２に設けられるとよく、短絡機構９２０が第１ハウジング部分９０１に設けられるとよい。別の実施形態では、第１ハウジング部分９０１および第２ハウジング部分９０２の各々が、短絡機構９２０および相補的な電気接点９１０を備えるとよい。
【０２１０】
図３３Ａおよび３３Ｂに示されている実施形態など、いくつかの実施形態では、電気接点９１０を個別に、部分的に（例えばいくつかであってすべてではない）、またはまとめて第１位置（例えば図３３Ａに示されているような延出位置）へ付勢するために、ばねまたはその他などの付勢部材９１９が設けられるとよい。こうして、例えば第１ハウジング部分９０１と第２ハウジング部分９０２とが接合されると、電気接点９１０が第２位置（例えば図３３Ｂに示されているような後退位置）へ移動可能であるとよい。こうして第２位置では、前述したのと同じようにして短絡機構９２０を介して第１主電気接点９１２と第２主電気接点９１６との間に電気接続が確立されるとよい。付勢部材９１９は、第１ハウジング部分９０１の凹状部に少なくとも部分的に配置されるとよい。いくつかの実施形態では、例えば電気接点９１０と第１ハウジング部分９０１との間で第１ハウジング部分９０１に付勢部材９１９が支持されるとよい。
【０２１１】
上記に加えて、または代わって、いくつかの実施形態では、短絡機構またはその一部分（例えば端部９２２，９２４）を第１位置（例えば延出位置）へ付勢するため、ばねまたはその他などの付勢部材が設けられるとよい。こうして、例えば第１ハウジング部分９０１と第２ハウジング部分９０２とが接合された際には、短絡機構またはその一部分が第２位置（例えば後退位置）へ移動可能であるとよい。ゆえに、第２位置にある間には、前述したのと同じようにして、短絡機構９２０を介して第１主電気接点９１２と第２主電気接点９１６との間に電気接続が確立されるとよい。
【０２１２】
様々な実施形態では、電気接点９１０および／または短絡機構９２０は、前述したもののような付勢部材であるか、あるいはこれを包含するとよい。例えば、電気接点９２０は、第１ハウジング部分９０１と第２ハウジング部分９０２とが接合される際に第１位置から第２位置へ移動可能であるとよい金属ばねまたはその他であるとよい。
【０２１３】
医療機器システム１１００が二つの部品つまり第１ハウジング部分１１０１と第２ハウジング部分１１０２とを包含するとよい図３４Ａ〜３６を参照して、接続および／または整合構造の別の例が説明される。他の実施形態は、三つ以上の部品を備える医療機器システムを含んでもよい。
【０２１４】
医療機器システム１１００は、医療機器システム５００（例えば図２０Ａ〜３０Ｂ）および／または開示に記載される他の医療機器システム（例えば図１〜１９）の実施形態に類似しているか、このような実施形態として採用されるとよい。医療機器システム１１００は図２０Ａ〜３０Ｂの実施形態に類似しているかこれとともに使用される特徴を含むとよいが、医療機器システム１１００が、図１〜１９および３１Ａ〜３３Ｂの実施形態に図示および説明されたのと同じ特徴のいくつかまたはすべても含んでこれらと同じように機能するとよいことが理解されるべきである。加えて、図１〜３３Ｂに示された特徴のいくつかまたはすべてが様々な形で組み合わされて、図３４Ａ〜３６に示された実施形態に含まれてもよい。同様に、図３４Ａ〜３６の実施形態の特徴のいずれかが、図３４Ａ〜３６の他の実施形態のいずれか並びに本願に記載の実施形態のいずれかと組み合わされるか、あるいはこれに包含されてもよいことが理解されるべきである。
【０２１５】
様々な実施形態において、第１ハウジング部分１１０１は、耐久性ハウジング部分３０（例えば図１〜１９）および廃棄用部分２０（例えば図１〜１９）など、記載のハウジング部分のいずれかであるが、これらに限定されるわけではない。特定の実施形態において、第１ハウジング部部分１１０１は、第１ハウジング部分５３０（例えば図２０Ａ〜３０Ｂ）に類似しているとよい。
【０２１６】
さらに様々な実施形態において、第２ハウジング部分１１０２は、ベース部分２１（または図１〜１９の２１'，４５０，４５６）、耐久性ハウジング部分３０、および廃棄用ハウジング部分など、説明されたハウジング部分のいずれかでよいが、これらに限定されるわけではない。特定の実施形態では、第２ハウジング部分１１０２が第２ハウジング部分５５０（例えば図２０Ａ〜３０Ｂ）に類似しているとよい。このような実施形態では、医療機器システム１１００の動作中に、第２ハウジング部分１１０２が利用患者の皮膚に固定されるとよい。
【０２１７】
第１ハウジング部分１１０１は、磁場を検知するため、また特定の実施形態では少なくとも磁場の方向（つまりベクトル）を検知するためのセンサ１１１０を含むとよい。このようなセンサ１１１０は、磁気強度と無関係に磁場または磁気源の存在を検出することが可能である。さらに、磁界の方向を検知すると、センサ１１１０が適切な磁気源を検知する可能性を高めることができる。センサ１１１０は、内容全体が参照により本願に援用される、特許文献８７に記載されたものに類似しているが、これに限定されるわけではない。センサ１１１０は、第１ハウジング部分１１０１の上に配置されるか、第１ハウジング部分１１０１の中に設けられてもよい。
【０２１８】
一つ以上のセンサ１１１０および／または開示全体にわたって説明される他の構成要素を選択的に起動させるかあるいは制御する被制御電力信号を提供するように、適当な電子機器がセンサ１１１０に接続されるとよい。例えば、接続可能な構成要素の一つ、または適当な制御電子機器を通してセンサ１１１０との無線通信状態で接続された遠隔制御装置（不図示）にある制御ボタン、スイッチ、または他の手動操作部を手で操作する際に起動するように、センサ１１１０が制御されるとよい。別の例を挙げると、ボタンおよび／またはその他の起動などの所定の動作の後、または所定時間量の後に自動的に起動するように、センサ１１１０が制御されてもよい。いくつかの実施形態では、限定的ではないが針またはカニューレを挿入する針挿入器など、特定の構成要素または装置の操作または挿入の際に起動するように、センサ１１１０が制御されるとよい。
【０２１９】
様々な針挿入具の例は、限定的ではないが、特許文献２７、特許文献２８、特許文献７、特許文献２９に記載されており、これらすべての内容全体が参照により本願に援用される。ゆえに、このような例では、例えば第１ハウジング部分１１０１および第２ハウジング部分１１０２が動作嵌合する前または後に、センサ１１１０が起動されるとよい。
【０２２０】
第２ハウジング部分１１０２は、方向を有する磁場を提供するための磁気源１１２０またはその他を含むとよい。第１ハウジング部分および第２ハウジング部分１１０２が正しく接続されるか規定の充分な整合位置および／または規定の充分な近接状態に置かれた場合に磁気源１１２０の磁場および／または磁場方向がセンサ１１１０により検出可能となるような箇所で、磁気源１１２０が第２ハウジング部分１１０２の上または中に配設されるとよい。規定の整合位置および／または近接状態は、例えば、動作目的の第１ハウジング部分１１０１と第２ハウジング部分１１０２との接続のため適切に整合された相互近接位置に相当するとよい。磁気源１１２０の磁場および／または磁場方向の検出は、第１ハウジング部分１１０１と第２ハウジング部分１１０２とが正しく接続されたことを示すとよい。
【０２２１】
いくつかの実施形態において、磁気源１１２０の磁場および／または磁場方向をセンサ１１２０が検出できるように、磁気源１１２０はセンサ１１１０との接触状態にあるとよい。他の実施形態において、磁気源１１２０の磁場および／または磁場方向をセンサ１１１０が検出できるようにするのに、磁気源１１２０がセンサ１１１０との接触状態にある必要はない。例えば、第１ハウジング部分１１０１および第２ハウジング部分１１０２の一方または両方の一部分が、センサ１１１０と磁気源１１２０との間に配設されるとよい。
【０２２２】
さらに、第１ハウジング部分１１０１と第２ハウジング部分１１０２とが正しく接続されていない場合には、例えばセンサ１１１０と磁気源１１２０とが離間し過ぎているためにセンサ１１１０が磁場および／または磁場方向を検出できないように、センサ１１１０と磁気源１１２０とが配設されるとよい。したがって、第１ハウジング１１０１と第２ハウジング部分１１０２とが正しく接続されていないことをこうして示すとよい。
【０２２３】
いくつかの実施形態では、磁気源１１２０が二つ以上の磁場および／または磁場方向を備えるとよい。例えば図３４Ａおよび３４Ｂに示されているように、第１磁場１１２２と第２磁場１１２４と第３磁場１１２６とが設けられて、第１磁場１１２２と第３磁場１１２６とが第２磁場１１２４の方向と異なる方向を有する。このような例では、上述した方法で第２磁場１１２４および／または第２磁場１１２４の方向（例えばＮ極）のみを検出するようにセンサ１１１０が構成されるとよい。こうして、第２磁場１１２４および／または第２磁場１１２４の方向の検出が、第１ハウジング部分１１０１と第２ハウジング部分１１０２とが正しく接続されていることを示すとよい。
【０２２４】
別の実施形態では、第１ハウジング部分１１０１と第２ハウジング部分１１０２との誤った接続を他の磁場（例えば第１磁場１１２２と第２磁場１１２６）および／または他の磁場方向の検出が示すように、他の磁場および／または他の磁場方向を検出する構成をセンサ１１１０が持つとよい。様々な磁場に関する情報および／または他の関連情報（例えば磁場強度、ガウスレベル、および／またはその他）を処理するためのアルゴリズムを、電子機器が採用するとよい。
【０２２５】
図３５Ａ〜３６に示された実施形態など、いくつかの実施形態では、磁場源のガウスレベルまたはその他を検知するためのセンサ１１１１を第１ハウジング部分１１０１が有するとよい。センサ１１１１は、すでに説明されているセンサ１１１０、または、限定的ではないが、特許文献８７に記載されたセンサのいずれかに類似しているとよく、その内容全体が参照により本願に援用される。センサ１１１１は、第１ハウジング部分１１０１の中に配置されても、第１ハウジング部分１１０１の上に設けられてもよい。
【０２２６】
一つ以上のセンサ１１１１および／または開示全体にわたって説明される他の構成要素を選択的に起動させるか他の方法で制御する被制御電力信号を提供するように、適当な電子機器がセンサ１１１１に接続されるとよい。例えば、接続可能な構成要素の一つ、または適当な制御電子機器を通してセンサ１１１１と無線通信状態で接続された遠隔制御装置（不図示）にある制御ボタン、スイッチ、または他の手動操作部を手で操作する際に起動するように、センサ１１１１が制御されるとよい。別の例では、ボタンおよび／またはその他の起動などの所定の動作の後、または所定時間量の後で自動的に起動するようにセンサ１１１１が制御されるとよい。いくつかの実施形態では、限定的ではないが針またはカニューレを挿入する針挿入器など、特定の構成要素または装置の操作または挿入時に起動するようにセンサ１１１１が制御されるとよい。
【０２２７】
様々な針挿入具の例は、限定的ではないが、特許文献２７、特許文献２８、特許文献７、特許文献２９に記載されており、これらすべての内容全体が参照により本願に援用される。ゆえに、このような例では、例えば第１ハウジング部分１１０１と第２ハウジング部分１１０２とが動作嵌合する前または後にセンサ１１１１が起動されるとよい。
【０２２８】
第２ハウジング部分１１０２は、所定のガウスレベルを提供するための磁気源１１２１またはその他を含むとよい。磁気源１１２１は、前述した磁気源１１２０、または限定的ではないが、特許文献８７に記載された磁気源のいずれかに類似しているとよく、その内容全体が参照により本願に援用される。
【０２２９】
第１ハウジング部分と第２ハウジング部分１１０２とが正しく接続された場合に磁気源１１２１のガウスレベルがセンサ１１１０により検出可能および／または測定可能となるような箇所で、磁気源１１２１が第２ハウジング部分１１０２の上または中に配設されるとよい。磁気源１１２１のガウスレベルの検出は、第１ハウジング部分１１０１と第２ハウジング部分１１０２とが正しく接続されていることを示すとよい。別の実施形態では、指定範囲内にあるガウスレベルを検出するようにセンサ１１１１および／または関連の電子機器が構成されるとよい。このような実施形態では、指定範囲を下回るか超えるガウスレベルが接続不良を示すとよい。
【０２３０】
いくつかの実施形態では、磁気源１１２１がセンサ１１１１との接触状態にあって磁気源１１２１のガウスレベルをセンサ１１１１が検出できるようにするとよい。他の実施形態では、センサ１１１１が磁気源１１２１のガウスレベルを検出するのに、磁気源１１２１がセンサ１１１１と接触状態にある必要はない。例えば、第１ハウジング部分１１０１および第２ハウジング部分１１０２の一方または両方の一部分が、センサ１１１１と磁気源１１２１との間に配設されるとよい。
【０２３１】
さらに、第１ハウジング部分１１０１と第２ハウジング部分１１０２とが正しく接続されていない場合には、例えばセンサ１１１１と磁気源１１２１とが離間し過ぎているために磁気源１１２１のガウスレベルをセンサ１１１１が検出できない（またはガウスレベルが検出可能な範囲にない）ように、センサ１１１１と磁気源１１２１とが配設されるとよい。こうして、第１ハウジング部分１１０１と第２ハウジング部分１１０２とが正しく接続されていないことをこのように示すとよい。
【０２３２】
別の実施形態では、センサ１１１１と関連している磁気閾値スイッチ（例えばホールスイッチ、リードスイッチ、および／またはその他）などの電子機器（不図示）は、いくつかの実施形態では指定範囲と同じである第２範囲の外側の信号をセンサ１１１１（または他のセンサ）が検知した際に、信号またはその他を提供できるように構成されるとよい。他の実施形態では、第２範囲は指定範囲と異なっていてもよい。例えば、第２範囲を上回るガウスレベルが検出された場合に、医療機器システム１１００またはその所定部分を停止させるように、電子機器が医療機器システム１１００の制御電子機器へ信号を提供するとよい。このような実施形態は、医療機器システム１１００が動作中であってＭＲＩ（磁気共鳴画像法）装置またはその他などの強い外部磁気影響に露出された場合に、医療機器システム１１００の様々な電子機器を保護するとよい。
【０２３３】
いくつかの実施形態では、二つ以上のガウスレベルを磁気源１１２１が提供するとよい。このような実施形態では、前述の方法と同じようにして第１ハウジング部分１１０１と第２ハウジング部分１１０２との正しい接続に対応する特定のガウスレベルのみを検出するように、センサ１１１１が構成されるとよい。こうして、特定のガウスレベルの検出が、第１ハウジング部分１１０１と第２ハウジング部分１１０２とが正しく接続されたことを示すとよい。別の実施形態では、第１ハウジング部分１１０１と第２ハウジング部分１１０２との接続不良を他のガウスレベルの検出が示すように他のガウスレベルを検出する構成を、センサ１１１１が持つとよい。様々なガウスレベルに関する情報および／または他の関連情報（磁場強度、磁場の検出、および／またはその他）を処理するためのアルゴリズムを電子機器が採用するとよい。
【０２３４】
図３４Ａ〜３６を参照すると、様々な実施形態において、センサ１１１０とセンサ１１１１とは同じセンサでよく、ゆえに磁場の方向と磁場源からのガウスレベルの両方を検知するように構成されるとよい。いくつかの実施形態では、センサ１１１０とセンサ１１１１の両方が、上述のように磁気源（例えば１１２０，１１２１）を検知するために設けられるとよい。センサ１１１０とセンサ１１１１とが同じ磁気源を検知しても、該当の磁気源を検知してもよい。別の実施形態では、様々なガウスレベルや磁場方向に関する情報、および／または他の関連情報を処理するためのアルゴリズムを電子機器が採用するとよい。
【０２３５】
様々な実施形態では、センサ１１１０，１１１１が第１ハウジング部分１１０１に設けられるとよく、磁気源１１２０，１１２１が第２ハウジング部分１１０２に設けられるとよい。他の実施形態では、センサ１１１０，１１１１が第２ハウジング部分１１０２に設けられるとよく、磁気源１１２０，１１２１が第１ハウジング部分１１０１に設けられるとよい。別の実施形態では、第１ハウジング部分１１０１および第２ハウジング部分１１０２の各々が、センサ（例えば１１１０，１１１１）と相補的な磁気源（例えば１１２０，１１２１）を備えるとよい。
【０２３６】
図３１Ａ〜３６を参照すると、センサおよび／または電気接点は電子機器（不図示）との電気通信状態にあるとよい。限定的ではないが駆動装置４４を制御するための制御電子機器５２（例えば図４）など、駆動装置４４（例えば図４）を制御するための電子機器が制御電子機器に組み込まれるとよい。代替的に、電子機器が制御電子機器５２から独立していてこれに追加されるが、制御電子機器５２および／または駆動装置４４との電気通信状態で接続されて、駆動装置４４に駆動制御信号を提供するとよい。より詳しく述べると、信号または状態変化が制御電子機器５２により受信されない限り駆動装置４４の動作を阻止するように電子機器が構成されるとよいのである。
【０２３７】
例を挙げると、上述したように、例えば第１ハウジング部分９０１と第２ハウジング部分９０２とが正しい整合状態にあって動作目的の接続のため充分な近接状態にある場合に、第１端部９２２および第２端部９２４が第１主接点９１２および第２主接点９１６と相互作用する際に、信号または状態変化が提供されるとよい。言い換えると、第１ハウジング部分９０１と第２ハウジング部分９０２とが正しく動作嵌合している（つまり整合されている、および／または正しく接続されている）のでなければ駆動装置４４が作動不可能であるとよい。
【０２３８】
本発明の様々な実施形態によれば、電子機器および／または制御電子機器５２（図４）は、様々な方法で駆動装置４４（例えば図４）を制御するように構成されるとよい。限定的ではないが、特許文献３０と、特許文献８７に、その例が記載されており、これらの内容全体が参照により本願に援用される。
【０２３９】
例えば、医療機器システム（例えば９００，１１００）の流体流路の遮断または重要構成要素の分断を検出した際にポンプ供給（送達）動作を停止させるように、駆動装置４４が制御されるとよい。これらは、ハウジング部分を別のハウジング部分またはベース部分から分断すること、導管を別の導管またはタンクから分断すること、タンクをハウジング部分またはベースから分断すること、および／またはその他を含むが、これらに限定されるわけではない。
【０２４０】
また別の実施形態では、追加のセンサが医療機器システム内に設けられて、電子機器４１４との電気通信のために接続されるとよい。このような追加センサは、医療機器システムの他の構成要素との正しい接続の際に検出信号または状態変化を提供するための、磁気および／または電子起動スイッチ、磁場および／または電場の大きさ・方向センサ、誘導センサ、他の近接センサ、接触センサ、および／またはその他を包含するとよい。このような他の構成要素の正しい接続は、例えば、ハウジング部分またはベースへのタンクの正しい接続、タンクへの導管の正しい接続、二つの導管どうしの正しい接続、挿入状態での針またはカニューレの正しい設置、カニューレまたは針への導管の正しい接続、医療機器システムの他の構成要素または医療機器への正しい接続を包含するとよい。
【０２４１】
代替的または付加的に、電子機器および／または制御電子機器５２（例えば図４）は、前回または部分的使用の後の再接続と比較して、第１ハウジング部分（例えば９０１）と第２ハウジング部分（例えば９０２）との初回接続または他の構成要素の初回接続を検出するように構成されるとよい。このようにして、第１部品４０１と第２部品４０２との初回接続を検出した際に呼び水動作または他の適当な初回動作を行うように、駆動装置４４が制御されるとよい。
【０２４２】
様々な実施形態では、センサ、電気接点、および／または関連の回路網は、構成要素が他の構成要素に対して接続および／または分断される回数を追跡すること、各送達ステップに先立って薬剤送達システムにおける構成要素の正しい接続および／または整合を確認すること、周囲パラメータ（例えば周囲の磁場）、動作パラメータ、および／またはその他などのパラメータを点検、検知、および／または測定すること、送達システムの動作パラメータから外れた状態などの状態について利用者に警告すること、および／またはその他を可能にするとよいが、これらに限定されるわけではない。
【０２４３】
様々な実施形態は、二つ（以上）の別個の独立構成要素の間の確認、二つ（以上）の別個の独立構成要素の間の正確な位置決めの確認、二つ（以上）の別個の独立構成要素が正しい順序で接続されたかどうかの確認、多数構成要素システムの個々の構成要素の（意図的または偶発的な）分離の通知を行う安全機構、および／またはその他を可能にするとよい。
【０２４４】
代替的または付加的に、電子機器および／または制御電子機器５２（例えば図４）は、第１ハウジング部分および第２ハウジング部分あるいは他の構成要素の正しい整合および／または接続について利用者が認知できる形で指示を行うように構成されるとよい。例えば、第１ハウジング部分と第２ハウジング部分４０２との正しい整合および／または接続を検出した際に、電子機器４１４および／または制御電子機器５２は、図３６に示されたようなインジケータ装置４２０を起動させる適当な制御信号を提供するとよい。
【０２４５】
インジケータ装置４２０は、プロセッサ４２２により作動するとよい。プロセッサ４２２は、様々なプログラムを実行する、および／または一つ以上のセンサ、反応装置、および／または他の相互作用要素から受信したデータなど、様々な情報を処理するように構成されるとよい。プロセッサ４２２は例えば、検出された信号を、閾値および／またはメモリ４２４に予め記憶された値と比較するように構成されるとよい。
【０２４６】
図３１Ａ〜３６を参照すると、インジケータ装置４２０は、限定的ではないが、可聴インジケータ、光学インジケータ、触覚的インジケータ、これらインジケータの一つ以上の組合せ、および／またはその他を含むとよい。例えば、上述した構成要素の正しい整合または接続の際には、第１ハウジング部分および第２ハウジング部分の一方または両方に設けられるかこれと関連する音声発生装置により、ビーッという可聴音または他の適当な音声が発生されるとよい。例えば、上述した構成要素の正しい整合または接続の際には、第１ハウジング部分および第２ハウジング部分の一方または両方に設けられるかこれと関連するＬＥＤや他の光源またはディスプレイ装置により、閃光または他の適当な視覚的インジケータが発生されるとよい。例えば、上述した構成要素の正しい整合または接続の際には、第１ハウジング部分および第２ハウジング部分の一方または両方に設けられるかこれと関連する振動装置および／またはその他により振動および／またはその他が発生されるとよい。インジケータ装置の例は、限定的ではないが、特許文献３０と、特許文献８７に記載されており、これらの内容全体が参照により本願に援用される。
【０２４７】
ここに開示される実施形態は、すべての点で例示的であって発明を限定するものではないと考えられる。本発明は、記載された実施形態にどのような形でも制限されない。発明の趣旨および範囲を逸脱することなく、様々な変形および変更が実施形態に加えられてもよい。発明の範囲は、実施形態ではなく添付の請求項によって示されている。請求項の意味およびその同等物の範囲に含まれる様々な変形および変更は、本発明の範囲に含まれると考えられる。
【図１】
2013516239.tif 000003
【図２】
2013516239.tif 000004
【図３】
2013516239.tif 000005
【図４】
2013516239.tif 000006
【図５Ａ】
2013516239.tif 000007
【図５Ｂ】
2013516239.tif 000008
【図５Ｃ】
2013516239.tif 000009
【図６Ａ】
2013516239.tif 000010
【図６Ｂ】
2013516239.tif 000011
【図６Ｃ】
2013516239.tif 000012
【図７】
2013516239.tif 000013
【図８】
2013516239.tif 000014
【図９】
2013516239.tif 000015
【図１０】
2013516239.tif 000016
【図１１】
2013516239.tif 000017
【図１２】
2013516239.tif 000018
【図１３】
2013516239.tif 000019
【図１４】
2013516239.tif 000020
【図１５】
2013516239.tif 000021
【図１６】
2013516239.tif 000022
【図１７】
2013516239.tif 000023
【図１８】
2013516239.tif 000024
【図１９】
2013516239.tif 000025
【図２０Ａ】
2013516239.tif 000026
【図２０Ｂ】
2013516239.tif 000027
【図２０Ｃ】
2013516239.tif 000028
【図２１Ａ】
2013516239.tif 000029
【図２１Ｂ】
2013516239.tif 000030
【図２１Ｃ】
2013516239.tif 000031
【図２２Ａ】
2013516239.tif 000032
【図２２Ｂ】
2013516239.tif 000033
【図２２Ｃ】
2013516239.tif 000034
【図２３】
2013516239.tif 000035
【図２４】
2013516239.tif 000036
【図２５Ａ】
2013516239.tif 000037
【図２５Ｂ】
2013516239.tif 000038
【図２６Ａ】
2013516239.tif 000039
【図２６Ｂ】
2013516239.tif 000040
【図２７Ａ】
2013516239.tif 000041
【図２７Ｂ】
2013516239.tif 000042
【図２７Ｃ】
2013516239.tif 000043
【図２８Ａ】
2013516239.tif 000044
【図２８Ｂ】
2013516239.tif 000045
【図２８Ｃ】
2013516239.tif 000046
【図２９Ａ】
2013516239.tif 000047
【図２９Ｂ】
2013516239.tif 000048
【図３０Ａ】
2013516239.tif 000049
【図３０Ｂ】
2013516239.tif 000050
【図３１Ａ】
2013516239.tif 000051
【図３１Ｂ】
2013516239.tif 000052
【図３１Ｃ】
2013516239.tif 000053
【図３２】
2013516239.tif 000054
【図３３Ａ】
2013516239.tif 000055
【図３３Ｂ】
2013516239.tif 000056
【図３４Ａ】
2013516239.tif 000057
【図３４Ｂ】
2013516239.tif 000058
【図３５Ａ】
2013516239.tif 000059
【図３５Ｂ】
2013516239.tif 000060
【図３６】
2013516239.tif 000061
【手続補正書】
【提出日】平成24年8月29日(2012.8.29)
【手続補正１】
【補正対象書類名】特許請求の範囲
【補正対象項目名】全文
【補正方法】変更
【補正の内容】
【特許請求の範囲】
【請求項１】
流体媒体を利用者に送達するための送達システムであって、
利用者による携行に適した第１ハウジング部分と、
前記第１ハウジング部分に対して選択的に動作嵌合および解離される構成を持つ第２ハウジング部分であって、前記第１ハウジング部分および前記第２ハウジング部分の一方が、流体媒体を格納するための内部空間を有するタンクを支持するためのものであり、前記第１ハウジング部分および前記第２ハウジング部分が、相互に動作嵌合するように相対的に摺動可能である構成を持つ、第２ハウジング部分と、
前記第１ハウジング部分および前記第２ハウジング部分の一方により前記タンクが支持されて前記第１ハウジング部分および前記第２ハウジング部分が相対的に摺動して相互に動作嵌合する場合に前記タンクと嵌合する位置において、前記第１ハウジング部分および前記第２ハウジング部分の他方により支持される流体コネクタと、
を包含する送達システム。
【請求項２】
前記第１ハウジング部分が、少なくとも第１位置と第２位置との間で前記第２ハウジングに対して第１方向に摺動可能であるように構成され、
前記第１ハウジング部分が前記第２ハウジング部分に対して前記第２位置にある場合に、前記第１ハウジング部分が前記第２部分と動作嵌合する、
請求項１に記載の送達システム。
【請求項３】
前記タンクが前記第１ハウジング部分に支持されるとともに、前記流体コネクタが前記第２ハウジング部分に支持され、
前記第１ハウジング部分が前記第２ハウジング部分に対して前記第２位置にある場合に、前記流体コネクタと前記タンクとの間の流体のため前記流体コネクタが前記タンクと嵌合する、
請求項２に記載の送達システム。
【請求項４】
前記送達システムがさらに、
前記第１ハウジング部分が前記第１位置から前記第２位置へ前記第２ハウジング部分に対して摺動する際に、前記第１ハウジング部分と前記第２ハウジング部分とを接続するための接続構造、
を包含する、請求項２に記載の送達システム。
【請求項５】
前記第１ハウジング部分が、少なくともロック解除位置から少なくともロック位置へ前記第２ハウジング部分に対して前記第１方向に摺動可能である、請求項４に記載の送達システム。
【請求項６】
前記接続構造がダブテール接続構造を包含し、
前記ダブテール接続構造が、前記第１ハウジング部分および前記第２ハウジング部分の一方に支持されるダブテールと、前記ダブテールを支持する前記第１ハウジング部分および前記第２ハウジング部分の一方に対しての前記第１ハウジング部分および前記第２ハウジング部分の他方の溝部とを含み、前記ダブテールが、前記第１ハウジング部分が前記第２ハウジング部分に対して前記第２位置まで摺動する際に前記溝部の少なくとも一部分に沿って移動して前記溝部を画定する表面と嵌合するためのものである、
請求項４に記載の送達システム。
【請求項７】
前記接続構造が、前記第１ハウジング部分および前記第２ハウジング部分の一方に支持される突起部と、前記突起部を支持する前記第１ハウジング部分および前記第２ハウジング部分の一方に対しての前記第１ハウジング部分および前記第２ハウジング部分の他方の溝部とを含み、前記突起部が、前記第１ハウジング部分が前記第２ハウジング部分に対して前記第２位置まで摺動する際に前記溝部の少なくとも一部分に沿って移動して前記溝部を画定する表面と嵌合するためのものである、請求項４に記載の送達システム。
【請求項８】
前記第１ハウジング部分が前記第２ハウジング部分に対して前記第２位置まで摺動する際に前記突起部を摩擦嵌め式に前記溝部の前記表面と嵌合させるように、前記溝部を画定する前記表面がテーパ状である、請求項７に記載の送達システム。
【請求項９】
前記第１ハウジング部分が前記第２ハウジング部分に対して前記第２位置まで摺動する際に前記突起部を摩擦嵌め式に前記表面と嵌合させるように、前記突起部がテーパ状である、請求項７に記載の送達システム。
【請求項１０】
前記突起部を支持する前記第１ハウジング部分および前記第２ハウジング部分の一方に対しての前記第１ハウジング部分および前記第２ハウジング部分の他方に空洞を画定する当接部を前記接続構造が含み、前記当接部が、前記第１ハウジング部分が前記第２ハウジング部分に対して前記第２位置にある時に前記突起部を前記空洞にロックするためのものである、請求項７に記載の送達システム。
【請求項１１】
前記接続構造が、
前記第１ハウジング部分および前記第２ハウジング部分の一方に支持される凸状部、および、前記凸状部を支持する前記第１ハウジング部分および前記第２ハウジング部分の一方に対しての前記第１ハウジング部分および前記第２ハウジング部分の他方の凹状部であって、凸状部が、前記第１ハウジング部分が前記第２ハウジング部分に対して前記第２位置まで摺動する際に前記凹状部の少なくとも一部分に沿って移動するためのものである、凸状部および凹状部と、
前記凸状部を支持する前記第１ハウジング部分および前記第２ハウジング部分の一方に対しての前記第１ハウジング部分および前記第２ハウジング部分の他方に空洞を画定する当接部であって、第１ハウジング部分が前記第２ハウジング部分に対して前記第２位置にある時に前記空洞に前記凸状部をロックするための当接部と、
を含む、請求項４に記載の送達システム。
【請求項１２】
前記第１ハウジング部分および前記第２ハウジング部分の一方が第１嵌合部材を有し、
前記第１嵌合部材を有する前記第１ハウジング部分および前記第２ハウジング部分の一方に対しての前記第１ハウジング部分および前記第２ハウジング部分の他方が、第２嵌合部材を有し、
前記第１嵌合部材および前記第２嵌合部材が、前記第１ハウジング部分が前記第２ハウジング部分に対して前記第２位置まで摺動して前記第１ハウジング部分を前記第２ハウジング部分にロックする際に相互に嵌合するように構成される、
請求項２に記載の送達システム。
【請求項１３】
前記第１嵌合部材が複数の凸状部を包含し、
前記第１ハウジング部分が前記第２ハウジング部分に対して前記第２位置まで摺動して前記第１ハウジング部分を前記第２ハウジング部分にロックする際に前記複数の凸状部の少なくとも一つと嵌合するための複数の小孔および凸状部のうち少なくとも一方を前記第２嵌合部材が包含する、
請求項１２に記載の送達システム。
【請求項１４】
前記第１嵌合部材および前記第２嵌合部材が相互に嵌合する場合に、前記第１方向と交差する軸方向における前記第２ハウジング部分からの前記第１ハウジング部分の離脱を前記第１嵌合部材および前記第２嵌合部材が阻止する、請求項１２に記載の送達システム。
【請求項１５】
前記第１ハウジング部分および前記第２ハウジング部分の一方の一部分に沿って前記第１方向に延在する一対の隆起部を前記第１ハウジング部分および前記第２ハウジング部分の一方が包含し、前記一対の隆起部が、前記第１ハウジング部分が前記第２ハウジング部分に対して前記第２位置まで摺動する際に前記第１ハウジング部分および前記第２ハウジング部分の他方を案内するためのものである、請求項２に記載の送達システム。
【請求項１６】
前記隆起部の各々が前記第１ハウジング部分および第２ハウジング部分の一方の周縁部に沿って延在する、請求項１５に記載の送達システム。
【請求項１７】
前記送達システムがさらに、
前記第１ハウジング部分が前記第２ハウジング部分に対して前記第２位置まで摺動する際に前記第１ハウジング部分と前記第２ハウジング部分とを接続するための接続構造、
を包含し、
前記一対の隆起部が、前記第１ハウジング部分が前記第２ハウジング部分に対して前記第２位置まで摺動する際に前記第１ハウジング部分および前記第２ハウジング部分の他方を案内して前記接続構造に前記第１ハウジング部分と前記第２ハウジング部分とを接続させるためのものである、
請求項１５に記載の送達システム。
【請求項１８】
前記第１ハウジング部分および前記第２ハウジング部分の一方が、前記第１ハウジング部分および前記第２ハウジング部分の前記一方に支持された前記タンクが前記タンクを支持する前記第１ハウジング部分および前記第２ハウジング部分の前記一方に対しての前記第１ハウジング部分および前記第２ハウジング部分の他方と接触することを実質的に防止するために、停止面を有する前記第１ハウジング部分および前記第２ハウジング部分の一方に対しての前記第１ハウジング部分および前記第２ハウジング部分の他方の一部分と接触する停止面を有する、請求項２に記載の送達システム。
【請求項１９】
前記停止面が、前記停止面を有する前記第１ハウジング部分および前記第２ハウジング部分の一方に対しての前記第１ハウジング部分および前記第２ハウジング部分の他方の一部分と接触して、前記流体導管と前記タンクとが嵌合した後に前記第１ハウジング部分および前記第２ハウジング部分の一方に対しての前記第１ハウジング部分および前記第２ハウジング部分の他方と前記タンクが接触することを実質的に防止するためのものである、請求項１８に記載の送達システム。
【請求項２０】
前記送達システムがさらに一対の磁石を包含し、前記一対の磁石が、前記第１ハウジング部分および前記第２ハウジング部分の一方に支持された第１磁石と、前記第１磁石を支持する前記第１ハウジング部分および前記第２ハウジング部分の一方に対しての前記第１ハウジング部分および前記第２ハウジング部分の他方に支持された第２磁石とを含み、前記第１磁石および前記第２磁石が、前記第１ハウジング部分が前記第２ハウジング部分に対して前記第２位置まで摺動して前記第２ハウジング部分と不整合状態になった場合に前記第１ハウジング部分と前記第２ハウジング部分とを整合させるように構成される、請求項２に記載の送達システム。
【請求項２１】
前記第１ハウジング部分が前記第２ハウジング部分に対して前記第２位置まで摺動して前記第２ハウジング部分と不整合状態になった場合に相互に反発するように前記磁石の各々が配設される、請求項２０に記載の送達システム。
【請求項２２】
前記磁石の各々が共通極を有する、請求項２１に記載の送達システム。
【請求項２３】
前記第１ハウジング部分が前記第２ハウジング部分に対して前記第２位置にある時にラッチを有する前記第１ハウジング部分および前記第２部分の一方に対しての前記第１ハウジング部分および前記第２ハウジング部分の他方と嵌合するためのラッチを、前記第１ハウジング部分および前記第２ハウジング部分の一方が有する、請求項２に記載の送達システム。
【請求項２４】
前記ラッチを有する前記第１ハウジング部分および前記第２ハウジング部分の一方に対しての前記第１ハウジング部分および前記第２ハウジング部分の他方と嵌合または解離の少なくとも一方を行うように押入可能な構成を前記ラッチが持つ、請求項２３に記載の送達システム。
【請求項２５】
前記ラッチを有する前記第１ハウジング部分および前記第２ハウジング部分の一方に対する前記第１ハウジング部分および前記第２ハウジング部分の他方が、前記ラッチを検知するためのセンサを有する、請求項２３に記載の送達システム。
【請求項２６】
前記第１ハウジング部分が前記第１方向に摺動するが前記第２位置までは摺動していない場合に前記第１ハウジング部分および前記第２ハウジング部分を付勢して相互に離間させるための付勢部材を、前記第１ハウジング部分および前記第２ハウジング部分の一方が有し、
前記ラッチが、前記第１ハウジング部分が前記第２位置まで前記第１方向に摺動する場合に前記ラッチを有する前記第１ハウジング部分および前記第２ハウジング部分の一方に対しての前記第１ハウジング部分および前記第２ハウジング部分の他方と嵌合するためのものである、
請求項２３に記載の送達システム。
【請求項２７】
前記第１ハウジング部分が前記第１方向に摺動するが前記第２位置までは摺動していない場合に前記第１ハウジング部分および前記第２ハウジング部分を付勢して相互に離間させるための付勢部材を、前記第１ハウジング部分および前記第２ハウジング部分の一方が有する、請求項２に記載の送達システム。
【請求項２８】
医療機器の製造方法であって、
第１ハウジング部分を利用者による携行に適応させることと、
前記第１ハウジング部分に対して選択的に動作嵌合および解離されるように第２ハウジング部分を構成することであって、前記第１ハウジング部分および前記第２ハウジング部分の一方が流体媒体を格納するための内部空間を有するタンクを支持するためのものであり、前記第１ハウジング部分および前記第２ハウジング部分が、相互に動作嵌合するように相対的に摺動可能な構成を持つことと、
前記第１ハウジング部分および前記第２ハウジング部分の一方により前記タンクが支持されて前記第１ハウジング部分および前記第２ハウジング部分が相互に動作嵌合するように相対的に摺動した場合に前記タンクと嵌合する位置に、前記第１ハウジング部分および前記第２ハウジング部分の他方により流体コネクタを支持することと、
を包含する方法。
【請求項２９】
利用者を治療するための医療機器であって、
利用者による携行に適応した第１ハウジング部分と、
前記第１ハウジング部分に対して選択的に動作嵌合および解離される構成を持つ第２ハウジング部分と、
前記第１ハウジング部分および前記第２ハウジング部分の少なくとも一方に設けられる複数の電気接点であって、一組の主電気接点と少なくとも一つの副電気接点とを含む複数の電気接点と、
前記第１ハウジング部分および前記第２ハウジング部分の他方に設けられた短絡機構であって、前記一組の主電気接点と相互作用を行うための短絡機構と、
前記第１ハウジング部分と前記第２ハウジング部分とが接合されて前記短絡機構が前記複数の電気接点の前記一組の主電気接点と相互作用する場合に第１信号を提供するように構成された回路網と、
を包含し、
前記回路網がさらに、前記第１ハウジング部分と前記第２ハウジング部分とが接合されて前記短絡機構が前記複数の電気接点の前記少なくとも一つの副電気接点と相互作用を行う場合に第２信号を提供するように構成される、
医療機器。
【請求項３０】
前記第１ハウジング部分と前記第２ハウジング部分とが接続されていることを前記第１信号が示す、請求項２９に記載の医療機器。
【請求項３１】
前記第１ハウジング部分と前記第２ハウジング部分とが接続されていないことを前記第２信号が示す、請求項３０に記載の医療機器。
【請求項３２】
前記短絡機構が前記一組の主電気接点と接触する場合に前記一組の主電気接点が前記短絡機構と相互作用を行い、
前記第１ハウジング部分と前記第２ハウジング部分とが接合されて前記短絡機構が前記複数の電気接点の前記一組の主電気接点と接触する場合に前記第１信号を提供するように前記回路網が構成され、
前記第１ハウジング部分と前記第２ハウジング部分とが接合されて前記短絡機構が前記複数の電気接点の前記少なくとも一つの副電気接点と接触する場合に前記第２信号を提供するように前記回路網がさらに構成される、
請求項２９に記載の医療機器。
【請求項３３】
前記短絡機構が複数の端部を有して、前記端部の各々が、前記一組の主電気接点の該当主電気接点と相互作用を行うためのものであり、
前記第１ハウジング部分と前記第２ハウジング部分とが接合されて前記短絡機構の前記端部の各々が前記一組の主電気接点の該当主電気接点と相互作用を行う場合に前記第１信号を提供するように前記回路網が構成され、
前記第１ハウジング部分と前記第２ハウジング部分とが接合されて前記短絡機構の前記端部の少なくとも一つが前記複数の電気接点の前記少なくとも一つの副電気接点と相互作用する場合に前記第２信号を提供するように前記回路網がさらに構成される、
請求項２９に記載の医療機器。
【請求項３４】
前記一組の主電気接点が、第１主電気接点と第２主電気接点とを包含し、
前記短絡機構の前記複数の端部が、前記第１主電気接点および前記第２主電気接点と相互作用を行うための第１端部および第２端部を含み、
前記第１ハウジング部分と前記第２ハウジング部分とが接合されて前記短絡機構の前記第１端部および前記第２端部が前記複数の電気接点の前記第１主電気接点および前記第２主電気接点と相互作用する場合に前記第１信号を提供するように前記回路網が構成され、
前記第１ハウジング部分と前記第２ハウジング部分とが接合されて前記短絡機構の前記第１端部および前記第２端部の少なくとも一方が前記複数の電気接点の前記少なくとも一つの副電気接点と相互作用を行う場合に前記第２信号を提供するように前記回路網がさらに構成される、
請求項３３に記載の医療機器。
【請求項３５】
該当の前記第１主電気接点および前記第２主電気接点のみと相互作用を行う第１端部および第２端部を前記短絡機構が有する、請求項３４に記載の医療機器。
【請求項３６】
前記少なくとも一つの副電気接点のうち少なくとも一つが前記一組の主電気接点の間に配設される、請求項２９に記載の医療機器。
【請求項３７】
前記第１ハウジング部分と前記第２ハウジング部分とが接合されて前記短絡機構が前記複数の電気接点の前記一組の主電気接点と相互作用を行わない場合に第３信号を提供するように前記回路網がさらに構成される、請求項２９に記載の医療機器。
【請求項３８】
前記第１ハウジング部分と前記第２ハウジング部分とが接続されていないことを前記第３信号が示す、請求項３７に記載の医療機器。
【請求項３９】
前記第２信号と前記第３信号とが同じタイプの信号である、請求項３７に記載の医療機器。
【請求項４０】
前記一組の主電気接点のうち少なくともいくつかが前記複数の電気接点のうち最も外側の電気接点となるように配設される、請求項２９に記載の医療機器。
【請求項４１】
前記少なくとも一つの副電気接点のすべてが前記一組の主電気接点の間に配設される、請求項２９に記載の医療機器。
【請求項４２】
前記短絡機構が前記一組の主電気接点と相互作用を行う場合に前記一組の主電気接点の間に電気接続を確立するように前記短絡機構が構成される、請求項２９に記載の医療機器。
【請求項４３】
前記短絡機構が電気伝導体を包含する、請求項４２に記載の医療機器。
【請求項４４】
前記一組の主電気接点が、第１位置へ付勢されるとともに前記第１位置から第２位置へ押圧可能であるように構成され、
前記第１ハウジング部分が前記第２ハウジング部分と嵌合する時に前記第２位置へ移動するように前記一組の主電気接点が構成される、
請求項２９に記載の医療機器。
【請求項４５】
前記機器がさらに、
前記一組の主電気接点を前記第１位置へ付勢するための付勢部材、
を包含する、請求項４４に記載の医療機器。
【請求項４６】
前記付勢部材が個別付勢部材を包含し、前記個別付勢部材の各々が前記一組の主電気接点の一つを前記第１位置へ付勢するためのものである、請求項４５に記載の医療機器。
【請求項４７】
前記複数の電気接点が、第１位置へ付勢されるとともに前記第１位置から第２位置へ押圧可能であるように構成され、
前記第１ハウジング部分が前記第２ハウジング部分と嵌合する時に前記複数の電気接点が前記第２位置へ移動する、
請求項２９に記載の医療機器。
【請求項４８】
第１位置へ付勢されるとともに前記第１位置から第２位置へ押圧可能であるように前記短絡機構が構成され、
前記第１ハウジング部分が前記第２ハウジング部分と嵌合する時に前記第２位置へ移動するように前記短絡機構が構成される、
請求項２９に記載の医療機器。
【請求項４９】
前記第１ハウジング部分および前記第２ハウジング部分の一方が、流体媒体を格納するための内部空間を有するタンクを支持するためのものである、請求項２９に記載の医療機器。
【請求項５０】
前記一組の主電気接点の前記主電気接点の各々が導電性パッドを包含する、請求項２９に記載の医療機器。
【請求項５１】
前記複数の電気接点が前記第２ハウジング部分に設けられ、前記第２ハウジング部分の電子機器へ電力を提供するための電源を前記第２ハウジング部分が有し、
前記複数の電気接点の少なくともいくつかが、前記第２ハウジング部分の前記電源を充電するための電気供給源と嵌合可能であるように構成される、
請求項２９に記載の医療機器。
【請求項５２】
前記複数の電気接点が前記第２ハウジング部分に設けられ、前記第２ハウジング部分がプログラマブル回路網を有し、
前記複数の電気接点の少なくともいくつかが、前記第２ハウジング部分の前記プログラマブル回路網をプログラムするための入力装置と嵌合可能であるように構成される、
請求項２９に記載の医療機器。
【請求項５３】
前記複数の電気接点が前記第２ハウジング部分に設けられ、前記複数の電気接点と前記第１ハウジング部分の前記短絡機構の一方に基づいて前記第２ハウジング部分のタイプを判断するように前記回路網が構成される、請求項２９に記載の医療機器。
【請求項５４】
前記短絡機構が既知抵抗を包含する、請求項２９に記載の医療機器。
【請求項５５】
医療機器の製造方法であって、
第１ハウジング部分をユーザによる携行に適応させることと、
前記第１ハウジング部分に対して選択的に動作嵌合および解離されるように第２ハウジング部分を構成することと、
前記第１ハウジング部分および前記第２ハウジング部分の少なくとも一方に複数の電気接点を設けることであって、前記複数の電気接点が一組の主電気接点と少なくとも一つの副電気接点とを含むことと、
前記第１ハウジング部分および前記第２ハウジング部分の他方に短絡機構を設けることであって、前記短絡機構が前記一組の主電気接点と相互作用を行うためのものであることと、
前記第１ハウジング部分と前記第２ハウジング部分とが接合されて前記短絡機構が前記複数の電気接点の前記一組の主電気接点と相互作用を行う場合に第１信号を提供するように回路網を構成することと、
前記第１ハウジング部分と前記第２ハウジング部分とが接合されて前記短絡機構が前記複数の電気接点の少なくとも一つの副電気接点と相互作用を行う場合に第２信号を提供するように前記回路網を構成することと、
を包含する方法。
【請求項５６】
利用者を治療するための医療機器であって、
利用者による携行に適応した第１ハウジング部分と、
前記第１ハウジング部分に対して選択的に動作嵌合および解離されるように構成された第２ハウジング部分と、
前記第１ハウジング部分および前記第２ハウジング部分の少なくとも一方に設けられた、所定磁場および所定磁気強度の少なくとも一方を有する磁気源と、
前記第１ハウジング部分および前記第２ハウジング部分の他方に設けられた、前記所定磁場および前記所定磁気強度の少なくとも一方を検出するためのセンサと、
前記第１ハウジング部分と前記第２ハウジング部分とが接合されて前記磁気源の前記所定磁場および前記所定磁気強度の少なくとも一方を前記センサが検出する場合に第１信号を提供するように構成された回路網と、
を包含し、
前記回路網がさらに、前記第１ハウジング部分と前記第２ハウジング部分とが接合されて前記所定磁場源と異なる磁場と前記磁場源の前記所定磁気強度と異なる磁気強度とのうち少なくとも一方を前記センサが検出する場合に第２信号を提供するように構成され、
前記センサが、第１既定閾値を超えるガウスレベルを前記センサが検出する場合に制御回路網を起動させるための信号を提供し、前記所定磁場の方向を検出するように構成される、
医療機器。
【請求項５７】
前記センサが磁気閾値スイッチを包含する、請求項５６に記載の医療機器。
【請求項５８】
第２既定閾値を超えるガウスレベルを前記センサが検知する場合に前記制御回路網と前記センサの少なくとも一方を停止させるための信号を提供するように構成された第２磁気閾値スイッチをさらに包含する医療機器であって、前記第２既定閾値が前記第１既定閾値よりも高い、請求項５６に記載の医療機器。
【請求項５９】
磁気源が所定磁場方向を有し、
前記センサが前記所定磁場方向を検出するためのものであり、
前記第１ハウジング部分と前記第２ハウジング部分とが接合されて前記センサが前記所定磁場方向を検出する場合に前記第１信号を提供するように前記回路網が構成される、
請求項５６に記載の医療機器。
【請求項６０】
前記第１ハウジング部分と前記第２ハウジング部分とが接合されて前記所定磁場方向と異なる磁場方向を前記センサが検出する場合に前記第２信号を提供するように前記回路網がさらに構成される、請求項５９に記載の医療機器。
【請求項６１】
医療機器の製造方法であって、
第１ハウジング部分を利用者による携行に適応させることと、
前記第１ハウジング部分に対して選択的に動作嵌合および解離されるように第２ハウジング部分を構成することと、
所定磁場および所定磁気強度のうち少なくとも一方を有する磁気源を前記第１ハウジング部分および前記第２ハウジング部分の少なくとも一方に設けることと、
前記所定磁場および前記所定磁気強度のうち少なくとも一方を検出するためのセンサを前記第１ハウジング部分および前記第２ハウジング部分の他方に設けることと、
前記第１ハウジング部分と前記第２ハウジング部分とが接合されて前記磁気源の前記所定磁場および前記所定磁気強度の少なくとも一方を前記センサが検出する場合に第１信号を提供するように回路網を構成することと、
前記第１ハウジング部分と前記第２ハウジング部分とが接合されて前記所定磁場と異なる磁場と前記磁気源の前記所定磁気強度と異なる磁気強度のうち少なくとも一方を前記センサが検出する場合に第２信号を提供するように前記回路網を構成することと、
を包含する方法。
【国際調査報告】
2013516239.tif 000062
2013516239.tif 000063
2013516239.tif 000064
2013516239.tif 000065
2013516239.tif 000066